(57)【要約】【課題】本発明は、流体中に存在する細菌の殺菌効率の向上を図ることができる流水殺菌モジュールを提供することを目的とする。【解決手段】流水殺菌モジュール１００１は、流水が流通する内部空間１１１１を有する流路管１０１１と、流路管１０１１の一端部の側から内部空間１１１１に突出し内部空間１１１１に向けて紫外線を照射可能に設けられた光源１３とを備えている。【選択図】図１
2019018198.tif 000002
【特許請求の範囲】
【請求項１】
流水が流通する内部空間を有する流路管と、
前記流路管の一端部の側から前記内部空間に突出し前記内部空間に向けて紫外線を照射可能に設けられた光源と
を備える流水殺菌モジュール。
【請求項２】
流水が流入及び流出することが可能な第一流入出口を有する第一流入出部を備え、
前記第一流入出部は、前記第一流入出口から流入する流水を前記内部空間に流出し、前記内部空間から流入する流水を前記第一流入出口から外部に流出する
請求項１に記載の流水殺菌モジュール。
【請求項３】
前記流路管は、前記第一流入出部を有する
請求項２に記載の流水殺菌モジュール。
【請求項４】
前記流路管の他端部の側に設けられ流水が流入及び流出することが可能な第二流入出口を有する第二流入出部を備え、
前記第二流入出部は、前記第二流入出口から流入する流水を前記内部空間に流出し、前記内部空間から流入する流水を前記第二流入出口から外部に流出する
請求項２又は３に記載の流水殺菌モジュール。
【請求項５】
少なくとも一部が前記内部空間に露出し前記光源から発生する熱を放熱する放熱部材を備え、
前記放熱部材の一端部は、前記第一流入出口よりも前記流路管の他端部の側に飛び出して配置されている
請求項２から４までのいずれか一項に記載の流水殺菌モジュール。
【請求項６】
前記第一流入出部は、前記第一流入出口を含み前記放熱部材の少なくとも一部が露出して配置される緩衝空間を備える
請求項５に記載の流水殺菌モジュール。
【請求項７】
流水が流入及び流出することが可能な第一流入出口と、前記第一流入出口から流入する流水を前記流路管に導入し前記流路管から流入する流水を前記第一流入出口に導入可能な導入空間とを有する流水流入出部
を備える請求項１に記載の流水殺菌モジュール。
【請求項８】
少なくとも一部が前記内部空間及び前記導入空間の少なくとも一方に露出し前記光源から発生する熱を放熱する放熱部材を備える
請求項７に記載の流水殺菌モジュール。
【請求項９】
前記放熱部材は、前記光源が取り付けられる光源取付部と、板状に形成された板状部を有し前記光源取付部に熱接触して前記光源で発生する熱を放熱する放熱部とを有し、
前記一端部は、前記放熱部の一部に接触して配置されている
請求項８に記載の流水殺菌モジュール。
【請求項１０】
前記流路管は、前記流路管の他端部よりも前記一端部に近く且つ前記第一流入出口に対して前記内部空間を挟む位置に形成されて前記流路管の側壁を貫通する第一貫通孔を有する
請求項８又は９に記載の流水殺菌モジュール。
【請求項１１】
前記流路管は、前記流路管の他端部よりも前記一端部に近く且つ前記第一流入出口の上方に形成されて前記流路管の側壁を貫通する第一貫通孔を有し、
前記放熱部材は、前記内部空間に露出せず且つ前記第一貫通孔に対して前記内部空間を挟む位置に形成されて前記放熱部を貫通する第二貫通孔を有する
請求項９に記載の流水殺菌モジュール。
【請求項１２】
前記流路管は、前記第二貫通孔の少なくとも一部が露出されて前記一端部における前記側壁の外表面を切り欠いて形成された切欠き部を有し、
前記第一貫通孔は、前記切欠き部に形成されている
請求項１１に記載の流水殺菌モジュール。
【請求項１３】
前記放熱部は、前記板状部から前記導入空間に突出して形成されて前記第一流入出口と前記第二貫通孔との間に配置される突出部を有する
請求項１１又は１２に記載の流水殺菌モジュール。
【請求項１４】
少なくとも一部が前記内部空間に露出して前記放熱部材を挿入する挿入口を有し、一部に前記一端部が接触する板状部材を備え、
前記放熱部材は、前記挿入口に挿入されて前記光源が取り付けられる光源取付部と、前記光源取付部から前記導入空間に突出する突出部を有し前記光源取付部に熱接触して前記光源で発生する熱を放熱する放熱部とを有する
請求項８に記載の流水殺菌モジュール。
【請求項１５】
前記流路管は、前記流路管の他端部よりも前記一端部に近く且つ前記第一流入出口の上方に形成されて前記流路管の側壁を貫通する第一貫通孔を有し、
前記板状部材は、前記内部空間に露出せず且つ前記第一貫通孔に対して前記内部空間を挟む位置に形成されて前記板状部材を貫通する第三貫通孔を有する
請求項１４に記載の流水殺菌モジュール。
【請求項１６】
前記流路管は、前記第三貫通孔の少なくとも一部が露出されて前記一端部における前記側壁の外表面を切り欠いて形成された切欠き部を有し、
前記第一貫通孔は、前記切欠き部に形成されている
請求項１５に記載の流水殺菌モジュール。
【請求項１７】
前記突出部は、筒状に形成されており、
前記突出部の内部には、前記光源に電力を供給する電線が配線される
請求項１４から１６までのいずれか一項に記載の流水殺菌モジュール。
【請求項１８】
前記光源は、
前記紫外線を発光する発光素子と、
前記発光素子の発熱部に接触するサーマルパッドを有し、前記発光素子が実装されて前記放熱部材と熱的に接続された金属基板と
を有する
請求項８から１７までのいずれか一項に記載の流水殺菌モジュール。
【請求項１９】
前記第一流入出口に取り付けられ、前記導入空間と外部との間で流水を流通可能な第一流通口を側壁に有する第一流入出部材と、
前記流路管の他端部の側に設けられ前記内部空間に流水を流入し前記内部空間から流水を流出可能な第二流入出口に取り付けられ、前記内部空間と外部との間で流水を流通可能な第二流通口を側壁に有する第二流入出部材と
を備える請求項７から１８までのいずれか一項に記載の流水殺菌モジュール。
【請求項２０】
前記光源は、複数設けられており、
複数の前記光源のうちの少なくとも２つは、前記内部空間を挟んで向かい合わせて配置されている
請求項１から１９までのいずれか一項に記載の流水殺菌モジュール。
【発明の詳細な説明】
【技術分野】
【０００１】
本発明は、紫外線を照射して流体を殺菌する流水殺菌モジュールに関する。
【背景技術】
【０００２】
特許文献１には、紫外線を照射して流体を殺菌する流体殺菌装置が開示されている。
【先行技術文献】
【特許文献】
【０００３】
【特許文献１】特許第６０８０９３７号公報
【発明の概要】
【発明が解決しようとする課題】
【０００４】
特許文献１に開示されている流体殺菌装置のように、流体中に存在する細菌を殺菌する技術分野では、殺菌効率の向上が常に求められている。
【０００５】
本発明の目的は、流体中に存在する細菌の殺菌効率の向上を図ることができる流水殺菌モジュールを提供することにある。
【課題を解決するための手段】
【０００６】
上記目的を達成するために、本発明の一態様による流水殺菌モジュールは、流水が流通する内部空間を有する流路管と、前記流路管の一端部の側から前記内部空間に突出し前記内部空間に向けて紫外線を照射可能に設けられた光源とを備えることを特徴とする。
【発明の効果】
【０００７】
本発明の一態様によれば、流体中に存在する細菌の殺菌効率の向上を図ることができる。
【図面の簡単な説明】
【０００８】
【図１】本発明の第１実施形態の実施例１−１による流水殺菌モジュール１００１の概略構成及び動作を説明する図である。
【図２】本発明の第１実施形態の実施例１−１による流水殺菌モジュール１００１を説明する図であって、第一流入出口１０１２と放熱部材１０１４との相対位置関係を示す図である。
【図３】本発明の第１実施形態の実施例１−１による流水殺菌モジュール１００１に備えられた第二流入出部１０１３の概略構成を示す図であって、図３（ａ）は第二流入出部１０１３の構成例１を示し、図３（ｂ）は第二流入出部１０１３の構成例２を示している。
【図４】本発明の第１実施形態の実施例１−２による流水殺菌モジュール２００１の概略構成及び動作を説明する図である。
【図５】本発明の第１実施形態の実施例１−３による流水殺菌モジュール３００１の概略構成及び動作を説明する図である。
【図６】本発明の第１実施形態の実施例１−４による流水殺菌モジュール４００１の概略構成及び動作を説明する図である。
【図７】本発明の第１実施形態の実施例１−５による流水殺菌モジュール５００１の概略構成及び動作を説明する図である。
【図８】本発明の第１実施形態の実施例１−６による流水殺菌モジュール６００１の概略構成及び動作を説明する図である。
【図９】本発明の第２実施形態の実施例２−１による流水殺菌モジュール１の概略構成を示す断面図である。
【図１０】本発明の第２実施形態の実施例２−１による流水殺菌モジュール１の概略構成を示す断面図であって、図９中のＡ−Ａ線で切断した断面図である。
【図１１】本発明の第２実施形態の実施例２−１による流水殺菌モジュール１に設けられた光源１３の概略構成を示す図であって、図１１（ａ）は光源１３の平面図であり、図１１（ｂ）は図１１（ａ）中に示すＢ−Ｂ線で切断した光源１３の断面を模式的に示す図である。
【図１２】本発明の第２実施形態の実施例２−１による流水殺菌モジュール１の動作を説明する図である。
【図１３】比較例としての流水殺菌モジュールの概略構成及び動作を説明する図である。
【図１４】本発明の第２実施形態の実施例２−１による流水殺菌モジュール１の効果を説明する図であって、図１４（ａ）は実施例２−１による流水殺菌モジュール１の減菌率の一例を示すグラフであり、図１４（ｂ）は図１３に示す比較例の流水殺菌モジュールの減菌率の一例を示すグラフである。
【図１５】本発明の第２実施形態の実施例２−１による流水殺菌モジュール１の効果を説明する図であって、流体に生存する細菌の生残率の一例を示すグラフである。
【図１６】本発明の第２実施形態の実施例２−２による流水殺菌モジュール２の概略構成を示す断面図である。
【図１７】本発明の第２実施形態の実施例２−２による流水殺菌モジュール２の動作を説明する図である。
【図１８】本発明の第２実施形態の実施例２−３による流水殺菌モジュール３の概略構成を示す断面図である。
【図１９】本発明の第２実施形態の実施例２−３による流水殺菌モジュール３の概略構成を示す断面図であって、図１９（ａ）は図１８中に示すＣ−Ｃ線で切断した流水殺菌モジュール３の断面を模式的に示す図であり、図１９（ｂ）は図１８中に示すＤ−Ｄ線で切断した流水殺菌モジュール３の断面を模式的に示す図であり、図１９（ｃ）は図１８中に示すＥ−Ｅ線で切断した流水殺菌モジュール３の断面を模式的に示す図である。
【図２０】本発明の第２実施形態の実施例２−３による流水殺菌モジュール３の動作を説明する図である。
【図２１】本発明の第２実施形態の実施例２−４による流水殺菌モジュール４の概略構成を示す断面図である。
【図２２】本発明の第２実施形態の実施例２−４による流水殺菌モジュール４の動作を説明する図である。
【図２３】本発明の第２実施形態の実施例２−５による流水殺菌モジュール５の概略構成を示す断面図である。
【図２４】本発明の第２実施形態の実施例２−５による流水殺菌モジュール５の動作を説明する図である。
【図２５】本発明の第３実施形態による流水殺菌モジュール８の概略構成及び動作を説明する図である。
【図２６】本発明の第１から第３実施形態による流水殺菌モジュールに備えられる光源の変形例を示す図である。
【発明を実施するための形態】
【０００９】
〔第１実施形態〕
本発明の第１実施形態による流水殺菌モジュールについて図１から図８を用いて説明する。
本実施形態による流水殺菌モジュールは、流水が流通する内部空間を有する流路管と、流路管の一端部の側から内部空間に突出し内部空間に向けて紫外線を照射可能に設けられた光源とを備えている。また、本実施形態による流水殺菌モジュールは、流水が流入及び流出することが可能な第一流入出口を有する第一流入出部を備え、第一流入出部は、第一流入出口から流入する流水を内部空間に流出し、内部空間から流入する流水を第一流入出口から外部に流出する。流路管は第一流入出部を有している。
【００１０】
また、本実施形態による流水殺菌モジュールは、流路管の他端部の側に設けられ流水が流入及び流出することが可能な第二流入出口を有する第二流入出部を備え、第二流入出部は、第二流入出口から流入する流水を内部空間に流出し、内部空間から流入する流水を第二流入出口から外部に流出する。さらに、本実施形態による流水殺菌モジュールは、少なくとも一部が内部空間に露出し光源から発生する熱を放熱する放熱部材を備えている。放熱部材の一端部は、第一流入出口よりも流路管の他端部の側に飛び出して配置されている。
以下、本実施形態による流水殺菌モジュールについて実施例を用いて具体的に説明する。
【００１１】
（実施例１−１）
第１実施形態の実施例１−１による流水殺菌モジュールについて図１から図３を用いて説明する。まず、本実施例による流水殺菌モジュール１００１の概略構成について図１を用いて説明する。
【００１２】
＜流水殺菌モジュール１００１の概略構成＞
図１に示すように、流水殺菌モジュール１００１は、流水が流通する内部空間１１１１を有する流路管１０１１と、流路管１０１１の一端部の側から内部空間１１１１に突出し内部空間１１１１に向けて紫外線を照射可能に設けられた光源１３とを備えている。光源の個数は１個でもよく、複数個でもよい。流路管１０１１は、例えば円筒状を有している。流路管１０１１は、円筒状に限られず、中空の角柱状を有していてもよい。流路管１０１１の一端部は、流路管１０１１の長手方向の両端部のうち、後述する放熱部材１０１４が設けられる方の端部に相当する。流路管１０１１は、紫外線反射性材料を用いて形成されることが好ましく、例えばポリテトラフルオロエチレン（ＰＴＦＥ）で形成されている。これにより、光源１３から照射される紫外線は、内部空間１１１１において流路管１０１１の内壁面で反射を繰り返すことができるので、流水殺菌モジュール１００１は、内部空間１１１１を流通する流水の殺菌効率を向上することができる。また、流水殺菌モジュール１００１は、光源１３から照射される紫外線が流水殺菌モジュール１００１の外部に漏洩するのを防止することができる。
【００１３】
本実施形態による流水殺菌モジュールに備えられる光源は、後述する第２実施形態による流水殺菌モジュールに備えられる光源と同様の構成を有している。このため、光源１３については、第２実施形態において詳細に説明することとし、本実施例及び後述する実施例１−２から実施例１−６では説明を省略する。
【００１４】
流水殺菌モジュール１００１は、流水が流入及び流出することが可能な第一流入出口１１２１を有する第一流入出部１０１２を備えている。第一流入出部１０１２は、第一流入出口１１２１から流入する流水を内部空間１１１１に流出し、内部空間１１１１から流入する流水を第一流入出口１１２１から外部に流出するようになっている。流路管１０１１は第一流入出部１０１２を有している。第一流入出口１１２１は、流路管１０１１の側壁を貫通して形成されている。
【００１５】
流水殺菌モジュール１００１は、流路管１０１１の他端部の側に設けられ流水が流入及び流出することが可能な第二流入出口１１３１を有する第二流入出部１０１３を備えている。第二流入出部１０１３は、第二流入出口１１３１から流入する流水を内部空間１１１１に流出し、内部空間１１１１から流入する流水を第二流入出口１１３１から外部に流出するようになっている。第二流入出口１１３１は、例えば光源１３に対向して配置されている。
【００１６】
流水殺菌モジュール１００１は、少なくとも一部が内部空間１１１１に露出し光源１３から発生する熱を放熱する放熱部材１０１４を備えている。放熱部材１０１４の一端部は、第一流入出口１１２１よりも流路管１０１１の他端部の側に飛び出して配置されている。放熱部材１０１４は、光源１３が取り付けられる光源取付部と、光源１３で発生する熱を放熱する放熱部とを兼ねる柱状部１１４１を有している。放熱部材１０１４は、光源で発生する熱を通水する水に速やかに逃がすために熱伝導率の高い素材で形成されていることが好ましい。放熱部材１０１４を形成するための素材として、例えばアルミニウム、銅、鉄、ステンレス鋼（ＳＵＳ）などの金属や窒化アルミニウムなどの金属セラミック等を用いることができる。また、水への金属成分溶出などの影響を避けるには、放熱部材１０１４の接水部分に用いる金属は化学的に安定であることが好ましい。放熱部材１０１４の接水部分に用いる金属は、ステンレス鋼（ＳＵＳ）等がより好ましい。また、放熱部材１０１４は、接水部分にはステンレス鋼（ＳＵＳ）を用い、接水しない内部には熱伝導性のより高いアルミニウムや銅あるいはそれらを含んで形成された合金を用いてもよい。つまり、放熱部材１０４１は、水に対する影響と放熱性とを考慮して、複数の素材を組み合わせて形成することもできる。放熱部材１０１４の接水部分に金属を用いる場合は、接水する表面部分に金属不導体処理を施したり、化学的に安定な有機高分子、例えばフッ素樹脂等の被膜で接水部分を被覆したりすることが好ましい。
【００１７】
柱状部１１４１は例えばステンレス鋼（ＳＵＳ）で形成されている。柱状部１１４１の一端部に光源１３が配置されている。光源１３で発生した熱は、柱状部１１４１に到達する。柱状部１１４１の少なくとも一部（本実施例では柱状部１１４１の側壁の全体）は内部空間１１１１を流通する流水に接している。内部空間１１１１を流通する流水は、冷媒となって、柱状部１１４１に達した熱を柱状部１１４１から奪う。このように、流水殺菌モジュール１００１は、光源１３を水冷によって冷却するようになっている。
【００１８】
柱状部１１４１には、両端部間を貫通し光源１３に電力を供給する電源ケーブル（不図示）を挿通可能な貫通孔（不図示）が形成されている。放熱部材１０１４は、柱状部１１４１の他端部のうち当該貫通孔が形成された位置を少なくとも外部に露出させた状態で流路管１０１１に取り付けられている。これにより、流水殺菌モジュール１００１は、光源１３に電力を供給する電源ケーブルを外部に引き出すとともに、光源１３に電力を供給できるようになっている。
【００１９】
次に、本実施例及び後述する実施例１−２から実施例１−６における第一流入出口１１２１と放熱部材１０１４との相対位置関係について図２を用いて説明する。図２に示すように、流路管１０１１の一端側に最も近い位置の第一流入出口１１２１の内壁面を含む仮想平面を仮想平面ＢＰとし、流路管１０１１の他端側に最も近い位置の第一流入出口１１２１の内壁面を含む仮想平面を仮想平面ＴＰとする。放熱部材１０１４は、光源１３が配置される端部（放熱部材の一端部の一例）が少なくとも仮想平面ＢＰよりも流路管１０１１の他端部の側に飛び出して配置される。また、放熱部材１０１４は、光源１３が配置される端部が仮想平面ＴＰよりも流路管１０１１の他端部の側に飛び出して配置されてもよい。
【００２０】
このように、放熱部材１０１４が第一流入出口１１２１よりも流路管１０１１の他端部側に飛び出させて配置されることにより、第一流入出部１０１２は、外部から内部空間１１１１に流水を流入する場合に、流水を放熱部材１０１４に衝突させることができる。その結果、放熱部材１０１４の周囲で流水に乱流が発生するので、内部空間１１１１に所定形状（例えば渦状）の流水を生じさせることができる。
【００２１】
次に、本実施例及び後述する実施例１−２から実施例１−６における第二流入出部１０１３の概略構成について図３を用いて説明する。
図３（ａ）に示すように、構成例１による第二流入出部１０１３は、所定の間隙を設けて第二流入出口１１３１に対向して配置された平板部１１３２を有している。平板部１１３２は内部空間１１１１に設けられている。平板部１１３２は、例えば第二流入出口１１３１よりも一回り大きく形成されている。流路管１０１１の一端部側から流路管１０１１の他端部側の内壁を見た場合、平板部１１３２は第二流入出口１１３１を覆って配置されている。平板部１１３２と流路管１０１１の他端部側の内壁との間には、所定の間隙が形成されている。第二流入出口１１３１を通って外部から内部空間１１１１に流入する流水は、平板部１１３２に衝突して、流路管１０１１の長手方向から短手方向に流れの方向が変更される。つまり、平板部１１３２はバッフルプレートとしての機能を発揮する。その結果、平板部１１３２の周囲で流水に乱流が発生するので、内部空間１１１１に所定形状（例えば渦状）の流水を生じさせることができる。
【００２２】
図３（ｂ）に示すように、構成例２による第二流入出部１０１３は、流路管１０１１の他端部側の内壁と所定の間隙を設けて対向して配置された平板部１１３４を有している。平板部１１３４は内部空間１１１１に設けられている。平板部１１３４は、内部空間１１１１の流路管１０１１の他端部側の一定領域を仕切るように設けられている。平板部１１３４には、複数の貫通孔１１３５が設けられている。第二流入出口１１３１を通って外部から内部空間１１１１に流入する流水は、平板部１１３４に形成された複数の貫通孔１１３５を通って流路管１０１１の一端部側の内部空間１１１１に流入する。その結果、第二流入出口１１３１を通って外部から内部空間１１１１に流入する流水は、平板部１１３４を通過する際に乱流が発生するので、内部空間１１１１に所定形状（例えば渦状）の流水を生じさせることができる。
【００２３】
＜流水殺菌モジュール１００１の動作＞
本実施例による流水殺菌モジュール１００１の動作について図１を用いて説明する。  図１に示すように、流水殺菌モジュール１００１は、一の外部から第一流入出部１０１２を介して流入し、内部空間１１１１を通って第二流入出部１０１３から他の外部に流出する流水ＷＦ１１を形成する。
【００２４】
流水殺菌モジュール１００１は、第一流入出口１１２１を通って内部空間１１１１に流入する流水を放熱部材１０１４に衝突させ、放熱部材１０１４の周りを回転する乱流を流水に発生させる。この時、流水殺菌モジュール１００１は、放熱部材１０１４の周りを一方向に回転する流水ＷＦ１１を放熱部材１０１４の周りに形成するのではなく、放熱部材１０１４の周りを一の方向に回転する流水ＷＦ１１と、他の方向に回転する流水ＷＦ１１とを形成する。
【００２５】
流水殺菌モジュール１００１は、放熱部材１０１４の周りを回転する流水ＷＦ１１を形成することにより、流路管１０１１の一端部側から他端部側に回転しながら向かう渦状の流水ＷＦ１１を内部空間１１１１に形成する。流水殺菌モジュール１００１は、内部空間１１１１で回転する流水ＷＦ１１を形成することにより、液体が内部空間１１１１に滞在する時間を長くすることができる。その結果、内部空間１１１１を流れる液体は、光源１３から出射される紫外線及び流路管１０１１の内壁で反射した紫外線に長時間照射される。これにより、流水殺菌モジュール１００１は、流水の殺菌効率の向上を図ることができる。
【００２６】
流水殺菌モジュール１００１は、第二流入出部１０１３から内部空間１１１１に流水を流入した場合には、第二流入出口１１３１の近傍に回転する流水ＷＦ１１を形成することにより、流路管１０１１の他端部側から一端部側に回転しながら向かう渦状の流水ＷＦ１１を内部空間１１１１に形成することができる。その結果、内部空間１１１１を流れる液体は、光源１３から出射される紫外線及び流路管１０１１の内壁で反射した紫外線に長時間照射される。これにより、流水殺菌モジュール１００１は、流水の殺菌効率の向上を図ることができる。
【００２７】
（実施例１−２）
第１実施形態の実施例１−２による流水殺菌モジュールについて図４を用いて説明する。本実施例による流水殺菌モジュール２００１は、箱状部２１２２を有する第一流入出部２０１２を備えている点に特徴を有している。
【００２８】
＜流水殺菌モジュール２００１の概略構成＞
まず、本実施例による流水殺菌モジュール２００１の概略構成について図４を用いて説明する。なお、上記実施例１−１による流水殺菌モジュール１００１の構成要素と同一の作用・機能を奏する構成要素には同一の符号を付して、その詳細な説明は省略する。
【００２９】
図４に示すように、流水殺菌モジュール２００１は、流水が流通する内部空間２１１１を有する流路管２０１１と、流路管２０１１の一端部の側から内部空間２１１１に突出し内部空間２１１１に向けて紫外線を照射可能に設けられた光源１３とを備えている。流路管２０１１は、例えば円筒状を有している。流路管２０１１は、円筒状に限られず、中空の角柱状を有していてもよい。流路管２０１１の一端部は、流路管２０１１の長手方向の両端部のうち、放熱部材１０１４が設けられる方に相当する。流路管２０１１は、例えばポリテトラフルオロエチレン（ＰＴＦＥ）で形成されている。これにより、光源１３から照射される紫外線は、内部空間２１１１において流路管２０１１の内壁面で反射を繰り返すことができるので、流水殺菌モジュール２００１は、内部空間２１１１を流通する流水の殺菌効率を向上することができる。また、流水殺菌モジュール２００１は、光源１３から照射される紫外線が流水殺菌モジュール２００１の外部に漏洩するのを防止できる。
【００３０】
流水殺菌モジュール２００１は、流水が流入及び流出することが可能な第一流入出口２１２１を有する第一流入出部２０１２を備えている。第一流入出部２０１２は、第一流入出口２１２１から流入する流水を内部空間２１１１に流出し、内部空間２１１１から流入する流水を第一流入出口２１２１から外部に流出するようになっている。流路管２０１１は第一流入出部２０１２を有している。
【００３１】
第一流入出部２０１２は、第一流入出口２１２１と、第一流入出口２１２１を覆って設けられた箱状部２１２２とを有している。箱状部２１２２は、流路管２０１１の側壁と放熱部材１０１４との間に設けられている。箱状部２１２２は、放熱部材１０１４に対向する側壁の一部を貫通する第一貫通孔２１２２ａを有している。これにより、第一流入出口２１２１、箱状部２１２２の内部空間及び第一貫通孔２１２２ａによって流水殺菌モジュール２００１の外部と流路管２０１１との内部空間２１１１とが連通される。その結果、第一流入出部２０１２は、外部から内部空間２１１１に向かって流水を流入したり、内部空間２１１１から外部に向かって流水を流出したりできる。
【００３２】
放熱部材１０１４は、第一貫通孔２１２２ａよりも流路管１０１１の他端部側に飛び出させて配置されている。つまり、第一貫通孔２１２２ａは、上記実施例１−１における第一流入出口１１２１が放熱部材１０１４に対して有する相対位置関係と同様の相対位置関係となるように配置される。これにより、第一流入出部２０１２は、第一貫通孔２１２２ａから内部空間２１１１に流水を流入する場合に、流水を放熱部材１０１４に衝突させることができる。その結果、流水殺菌モジュール２００１は、放熱部材１０１４の周囲で流水に乱流が発生するので、内部空間２１１１に所定形状（例えば渦状）の流水を生じさせることができる。
【００３３】
＜流水殺菌モジュール２００１の動作＞
本実施例による流水殺菌モジュール２００１の動作について図４を用いて説明する。
図４に示すように、流水殺菌モジュール２００１は、一の外部から第一流入出部２０１２を介して流入し、内部空間２１１１を通って第二流入出部１０１３から他の外部に流出する流水ＷＦ１２を形成する。
【００３４】
流水殺菌モジュール２００１は、第一流入出口２１２１、箱状部２１２２の内部空間及び第一貫通孔２１２２ａを通って内部空間２１１１に流水を流入する際に、流水を放熱部材１０１４に衝突させ、放熱部材１０１４の周りを回転する乱流を流水に発生させる。この時、流水殺菌モジュール２００１は、放熱部材１０１４の周りを一方向に回転する流水ＷＦ１２を放熱部材１０１４の周りに形成するのではなく、放熱部材１０１４の周りを一の方向に回転する流水ＷＦ１２と、他の方向に回転する流水ＷＦ１２とを形成する。
【００３５】
このため、流水殺菌モジュール２００１は、上記実施例１−１による流水殺菌モジュール１００１と同様の原理によって内部空間２１１１で回転する流水ＷＦ１２を形成する。これにより、流水殺菌モジュール２００１は、液体が内部空間２１１１に滞在する時間を長くすることができる。その結果、内部空間２１１１を流れる液体は、光源１３から出射される紫外線及び流路管２０１１の内壁で反射した紫外線に長時間照射される。これにより、流水殺菌モジュール２００１は、流水の殺菌効率の向上を図ることができる。
【００３６】
流水殺菌モジュール２００１は、第二流入出部１０１３から内部空間２１１１に流水を流入した場合には、第二流入出口１１３１の近傍に整流された流水ＷＦ１２を形成することにより、回転しながら流路管２０１１の他端部側から一端部側に向かう流水ＷＦ１２を内部空間２１１１に形成することができる。その結果、内部空間２１１１を流れる液体は、光源１３から出射される紫外線及び流路管２０１１の内壁で反射した紫外線に長時間照射される。これにより、流水殺菌モジュール２００１は、流水の殺菌効率の向上を図ることができる。
【００３７】
（実施例１−３）
第１実施形態の実施例１−３による流水殺菌モジュールについて図５を用いて説明する。本実施例による流水殺菌モジュール３００１は、回廊部３１２２を有する第一流入出部３０１２を備えている点に特徴を有している。
【００３８】
＜流水殺菌モジュール３００１の概略構成＞
まず、本実施例による流水殺菌モジュール３００１の概略構成について図５を用いて説明する。なお、上記実施例１−１による流水殺菌モジュール１００１の構成要素と同一の作用・機能を奏する構成要素には同一の符号を付して、その詳細な説明は省略する。
【００３９】
図５に示すように、流水殺菌モジュール３００１は、流水が流通する内部空間３１１１を有する流路管３０１１と、流路管３０１１の一端部の側から内部空間３１１１に突出し内部空間３１１１に向けて紫外線を照射可能に設けられた光源１３とを備えている。流路管３０１１は、例えば円筒状を有している。流路管３０１１は、円筒状に限られず、中空の角柱状を有していてもよい。流路管３０１１の一端部は、流路管３０１１の長手方向の両端部のうち、放熱部材１０１４が設けられる方に相当する。流路管３０１１は、例えばポリテトラフルオロエチレン（ＰＴＦＥ）で形成されている。これにより、光源１３から照射される紫外線は、内部空間３１１１において流路管３０１１の内壁面で反射を繰り返すことができるので、流水殺菌モジュール３００１は、内部空間３１１１を流通する流水の殺菌効率を向上することができる。また、流水殺菌モジュール３００１は、光源１３から照射される紫外線が流水殺菌モジュール３００１の外部に漏洩するのを防止できる。
【００４０】
流水殺菌モジュール３００１は、流水が流入及び流出することが可能な第一流入出口３１２１を有する第一流入出部３０１２を備えている。第一流入出部３０１２は、第一流入出口３１２１から流入する流水を内部空間３１１１に流出し、内部空間３１１１から流入する流水を第一流入出口３１２１から外部に流出するようになっている。流路管３０１１は第一流入出部３０１２を有している。
【００４１】
第一流入出部３０１２は、第一流入出口３１２１と、放熱部材１０１４を囲んで設けられた回廊部３１２２とを有している。回廊部３１２２は、放熱部材１０１４と所定の間隙を有し、流路管３０１１の側壁に沿って設けられている。回廊部３１２２は、放熱部材１０１４に対向する側壁の一部を貫通する第一貫通孔３１２２ａを有している。これにより、第一流入出口３１２１、回廊部３１２２の内部空間３１２２ｂ及び第一貫通孔３１２２ａによって流水殺菌モジュール３００１の外部と流路管３０１１との内部空間３１１１とが連通される。その結果、第一流入出部３０１２は、外部から内部空間３１１１に向かって流水を流入したり、内部空間３１１１から外部に向かって流水を流出したりできる。
【００４２】
第一貫通孔３１２２ａは、第一流入出口３１２１に対して放熱部材１０１４を挟む位置に形成されている。流路管３０１１の延在する方向に流水殺菌モジュール３００１を見た場合に、第一流入出口３１２１に対して放熱部材１０１４を挟む位置には、第一流入出口３１２１の中心軸に直交し且つ放熱部材１０１４の中心軸を通る直線上に配置され、且つ第一流入出口３１２１の中心軸から相対的に離れた場所であって放熱部材１０１４に対向する回廊部３１２２の側壁の一部が含まれる。また、第一流入出口３１２１に対して放熱部材１０１４を挟む位置には、当該一部に限られず、放熱部材１０１４の中心軸を回転軸として当該一部に対して±９０°よりも小さい範囲に含まれる回廊部３１２２の当該側壁の部分も含まれる。
【００４３】
放熱部材１０１４は、第一貫通孔３１２２ａよりも流路管３０１１の他端部側に飛び出させて配置されている。つまり、第一貫通孔３１２２ａは、上記実施例１−１における第一流入出口１１２１が放熱部材１０１４に対して有する相対位置関係と同様の相対位置関係となるように配置される。これにより、第一流入出部３０１２は、第一貫通孔３１２２ａから内部空間３１１１に流水を流入する場合に、流水を放熱部材１０１４に衝突させることができる。その結果、放熱部材１０１４の周囲で流水に乱流が発生するので、内部空間３１１１に所定形状（例えば渦状）の流水を生じさせることができる。
【００４４】
＜流水殺菌モジュール３００１の動作＞
本実施例による流水殺菌モジュール３００１の動作について図５を用いて説明する。
図５に示すように、流水殺菌モジュール３００１は、一の外部から第一流入出部３０１２を介して流入し、内部空間３１１１を通って第二流入出部１０１３から他の外部に流出する流水ＷＦ１３を形成する。
【００４５】
流水殺菌モジュール３００１は、第一流入出口３１２１から流入して回廊部３１２２の内部空間３１２２ｂを一方向に回転する流水ＷＦ１３を形成するのではなく、回廊部３１２２を一の方向に回転して第一貫通孔３１２２ａに到達する流水ＷＦ１３と、回廊部３１２２を他の方向に回転して第一貫通孔３１２２ａに到達する流水ＷＦ１３とを形成する。流水殺菌モジュール３００１は、第一貫通孔３１２２ａを通って内部空間３１１１に流水を流入する際に、流水を放熱部材１０１４に衝突させ、放熱部材１０１４の周りを回転する乱流を流水に発生させる。この時、流水殺菌モジュール３００１は、放熱部材１０１４の周りを一方向に回転する流水ＷＦ１３を放熱部材１０１４の周りに形成するのではなく、放熱部材１０１４の周りを一の方向に回転する流水ＷＦ１３と、他の方向に回転する流水ＷＦ１３とを形成する。
【００４６】
このため、流水殺菌モジュール３００１は、上記実施例１−１による流水殺菌モジュール１００１と同様の原理によって内部空間３１１１で整流された流水ＷＦ１３を形成する。しかも、流水殺菌モジュール３００１は、回廊部３１２２によって流水の流れる方向をある程度制限しているため、上記実施例１−１及び実施例１−２による流水殺菌モジュールと比較して、内部空間３１１１に回転する流水ＷＦ１３を形成しやすい。これにより、流水殺菌モジュール３００１は、液体が内部空間３１１１に滞在する時間を長くすることができる。その結果、内部空間３１１１を流れる液体は、光源１３から出射される紫外線及び流路管３０１１の内壁で反射した紫外線に長時間照射される。これにより、流水殺菌モジュール３００１は、流水の殺菌効率の向上を図ることができる。
【００４７】
流水殺菌モジュール３００１は、第二流入出部１０１３から内部空間３１１１に流水を流入した場合には、第二流入出口１１３１の近傍に回転する流水ＷＦ１３を形成することにより、回転しながら流路管３０１１の他端部側から一端部側に向かう流水ＷＦ１３を内部空間３１１１に形成することができる。その結果、内部空間３１１１を流れる液体は、光源１３から出射される紫外線及び流路管３０１１の内壁で反射した紫外線に長時間照射される。これにより、流水殺菌モジュール３００１は、流水の殺菌効率の向上を図ることができる。
【００４８】
（実施例１−４）
第１実施形態の実施例１−４による流水殺菌モジュールについて図６を用いて説明する。本実施例による流水殺菌モジュール４００１は、複数の第一貫通孔４１２２ａが形成された回廊部４１２２を有する第一流入出部４０１２を備えている点に特徴を有している。
【００４９】
＜流水殺菌モジュール４００１の概略構成＞
まず、本実施例による流水殺菌モジュール４００１の概略構成について図６を用いて説明する。なお、上記実施例１−１による流水殺菌モジュール１００１の構成要素と同一の作用・機能を奏する構成要素には同一の符号を付して、その詳細な説明は省略する。
【００５０】
図６に示すように、流水殺菌モジュール４００１は、流水が流通する内部空間４１１１を有する流路管４０１１と、流路管４０１１の一端部の側から内部空間４１１１に突出し内部空間４１１１に向けて紫外線を照射可能に設けられた光源１３とを備えている。流路管４０１１は、例えば円筒状を有している。流路管４０１１は、円筒状に限られず、中空の角柱状を有していてもよい。流路管４０１１の一端部は、流路管４０１１の長手方向の両端部のうち、放熱部材１０１４が設けられる方に相当する。流路管４０１１は、例えばポリテトラフルオロエチレン（ＰＴＦＥ）で形成されている。これにより、光源１３から照射される紫外線は、内部空間４１１１において流路管４０１１の内壁面で反射を繰り返すことができるので、流水殺菌モジュール４００１は、内部空間４１１１を流通する流水の殺菌効率を向上することができる。また、流水殺菌モジュール４００１は、光源１３から照射される紫外線が流水殺菌モジュール４００１の外部に漏洩するのを防止できる。
【００５１】
流水殺菌モジュール４００１は、流水が流入及び流出することが可能な第一流入出口４１２１を有する第一流入出部４０１２を備えている。第一流入出部４０１２は、第一流入出口４１２１から流入する流水を内部空間４１１１に流出し、内部空間４１１１から流入する流水を第一流入出口４１２１から外部に流出するようになっている。流路管４０１１は第一流入出部４０１２を有している。
【００５２】
第一流入出部４０１２は、第一流入出口４１２１と、放熱部材１０１４を囲んで設けられた回廊部４１２２とを有している。回廊部４１２２は、放熱部材１０１４と所定の間隙を有し、流路管４０１１の側壁に沿って設けられている。回廊部４１２２は、放熱部材１０１４に対向する側壁の一部を貫通する複数の第一貫通孔４１２２ａを有している。これにより、第一流入出口４１２１、回廊部４１２２の内部空間４１２２ｂ及び第一貫通孔４１２２ａによって流水殺菌モジュール４００１の外部と流路管４０１１との内部空間４１１１とが連通される。その結果、第一流入出部４０１２は、外部から内部空間４１１１に向かって流水を流入したり、内部空間４１１１から外部に向かって流水を流出したりできる。
【００５３】
放熱部材１０１４は、複数の第一貫通孔４１２２ａのそれぞれよりも流路管４０１１の他端部側に飛び出させて配置されている。つまり、複数の第一貫通孔４１２２ａのそれぞれは、上記実施例１−１における第一流入出口１１２１が放熱部材１０１４に対して有する相対位置関係と同様の相対位置関係となるように配置される。これにより、第一流入出部４０１２は、複数の第一貫通孔４１２２ａから内部空間４１１１に流水を流入する場合に、流水を放熱部材１０１４に衝突させることができる。その結果、放熱部材１０１４の周囲で流水に乱流が発生するので、内部空間４１１１に所定形状（例えば渦状）の流水を生じさせることができる。
【００５４】
＜流水殺菌モジュール４００１の動作＞
本実施例による流水殺菌モジュール４００１の動作について図６を用いて説明する。
図６に示すように、流水殺菌モジュール４００１は、一の外部から第一流入出部４０１２を介して流入し、内部空間４１１１を通って第二流入出部１０１３から他の外部に流出する流水ＷＦ１４を形成する。
【００５５】
流水殺菌モジュール４００１は、第一流入出口４１２１から流入して回廊部４１２２の内部空間４１２２ｂを一方向に回転する流水ＷＦ１４を形成するのではなく、回廊部４１２２を一の方向に回転する流水ＷＦ１４と、回廊部４１２２を他の方向に回転する流水ＷＦ１４とを形成する。流水殺菌モジュール４００１は、回廊部４１２２を流通する流水を複数の第一貫通孔４１２１ａを介して内部空間４１１１に流入する際に、流水を放熱部材１０１４に衝突させ、放熱部材１０１４の周りを回転する乱流を発生する。この時、流水殺菌モジュール４００１は、放熱部材１０１４の周りを一方向に回転する流水ＷＦ１４を放熱部材１０１４の周りに形成するのではなく、放熱部材１０１４の周りを一の方向に回転する流水ＷＦ１４と、他の方向に回転する流水ＷＦ１４とを形成する。
【００５６】
このため、流水殺菌モジュール４００１は、上記実施例１−１による流水殺菌モジュール１００１と同様の原理によって内部空間４１１１で整流された流水ＷＦ１４を形成する。これにより、流水殺菌モジュール４００１は、液体が内部空間４１１１に滞在する時間を長くすることができる。その結果、内部空間４１１１を流れる液体は、光源１３から出射される紫外線及び流路管４０１１の内壁で反射した紫外線に長時間照射される。これにより、流水殺菌モジュール４００１は、流水の殺菌効率の向上を図ることができる。
【００５７】
流水殺菌モジュール４００１は、第二流入出部１０１３から内部空間４１１１に流水を流入した場合には、第二流入出口１１３１の近傍に回転する流水ＷＦ１４を形成することにより、流路管４０１１の他端部側から一端部側に回転しながら向かう渦状の流水ＷＦ１４を内部空間４１１１に形成することができる。その結果、内部空間４１１１を流れる液体は、光源１３から出射される紫外線及び流路管４０１１の内壁で反射した紫外線に長時間照射される。これにより、流水殺菌モジュール４００１は、流水の殺菌効率の向上を図ることができる。
【００５８】
（実施例１−５）
第１実施形態の実施例１−５による流水殺菌モジュールについて図７を用いて説明する。本実施例による流水殺菌モジュール５００１は、放熱部材１０１４の少なくとも一部が露出して配置される緩衝空間５１２３を有する第一流入出部５０１２を備えている点に特徴を有している。
【００５９】
＜流水殺菌モジュール５００１の概略構成＞
まず、本実施例による流水殺菌モジュール５００１の概略構成について図７を用いて説明する。なお、上記実施例１−１による流水殺菌モジュール１００１の構成要素と同一の作用・機能を奏する構成要素には同一の符号を付して、その詳細な説明は省略する。
【００６０】
図７に示すように、流水殺菌モジュール５００１は、流水が流通する内部空間５１１１を有する流路管５０１１と、流路管５０１１の一端部の側から内部空間５１１１に突出し内部空間５１１１に向けて紫外線を照射可能に設けられた光源１３とを備えている。流路管５０１１は、例えば円筒状を有している。流路管５０１１は、円筒状に限られず、中空の角柱状を有していてもよい。流路管５０１１の一端部は、流路管５０１１の長手方向の両端部のうち、放熱部材１０１４が設けられる方に相当する。流路管５０１１は、例えばポリテトラフルオロエチレン（ＰＴＦＥ）で形成されている。これにより、光源１３から照射される紫外線は、内部空間５１１１において流路管５０１１の内壁面で反射を繰り返すことができるので、流水殺菌モジュール５００１は、内部空間５１１１を流通する流水の殺菌効率を向上することができる。また、流水殺菌モジュール５００１は、光源１３から照射される紫外線が流水殺菌モジュール５００１の外部に漏洩するのを防止できる。
【００６１】
流水殺菌モジュール５００１は、流水が流入及び流出することが可能な第一流入出口５１２１を有する第一流入出部５０１２を備えている。第一流入出部５０１２は、第一流入出口５１２１から流入する流水を内部空間５１１１に流出し、内部空間５１１１から流入する流水を第一流入出口５１２１から外部に流出するようになっている。流路管５０１１は第一流入出部５０１２を有している。
【００６２】
第一流入出部５０１２は、第一流入出口５１２１を含み放熱部材１０１４の少なくとも一部が露出して配置される緩衝空間５１２３を備えている。また、第一流入出部５０１２は、緩衝空間５１２３に対して流路管５０１１の他端部側に設けられ放熱部材１０１４を囲んで設けられた回廊部５１２２を有している。回廊部５１２２の内部空間５１２２ｂと緩衝空間５１２３とは仕切板５１２４で仕切られている。回廊部５１２２は、仕切板５１２４と流路管５０１１の側壁とに跨って形成されている。
【００６３】
仕切板５１２４は、仕切板５１２４を貫通して形成された第二貫通孔５１２４ａを有している。第二貫通孔５１２４ａは、回廊部５１２２の内部空間５１２２ｂと緩衝空間５１２３とを連通する連通口である。第二貫通孔５１２４ａは、第一流入出口５１２１に対して放熱部材１０１４を挟む位置に形成されている。流路管５０１１の延在する方向に流水殺菌モジュール５００１を見た場合に、第一流入出口５１２１に対して放熱部材１０１４を挟む位置には、放熱部材１０１４の中心を通り且つ第一流入出口５１２１の中心軸に一致する直線上の仕切板５１２４の周縁であって第一流入出口５１２１から相対的に離れた位置が含まれる。また、第一流入出口５１２１に対して放熱部材１０１４を挟む位置には、この直線上の当該位置に限られず、放熱部材１０１４の中心軸を回転軸として当該位置に対して±９０°の範囲に含まれる仕切板５１２４の周縁の位置も含まれる。
【００６４】
回廊部５１２２は、放熱部材１０１４と所定の間隙を有し、流路管５０１１の側壁に沿って設けられている。回廊部５１２２は、放熱部材１０１４に対向する側壁の一部を貫通する第一貫通孔５１２２ａを有している。これにより、第一流入出口５１２１、緩衝空間５１２３、第二貫通孔５１２４ａ、回廊部５１２２の内部空間５１２２ｂ及び第一貫通孔５１２２ａによって流水殺菌モジュール５００１の外部と流路管５０１１との内部空間５１１１とが連通される。その結果、第一流入出部５０１２は、外部から内部空間５１１１に向かって流水を流入したり、内部空間５１１１から外部に向かって流水を流出したりできる。
【００６５】
第一貫通孔５１２２ａは、第二貫通孔５１２４ａに対して放熱部材１０１４を挟む位置に形成されている。流路管５０１１の延在する方向に流水殺菌モジュール５００１を見た場合に、第二貫通孔５１２４ａに対して放熱部材１０１４を挟む位置には、第二貫通孔５１２４ａの中心軸及び放熱部材１０１４の中心軸に直交する直線上に配置され、且つ第二貫通孔５１２４ａの中心軸から相対的に離れた場所であって放熱部材１０１４に対向する回廊部５１２２の側壁の一部が含まれる。また、第二貫通孔５１２４ａに対して放熱部材１０１４を挟む位置には、当該一部に限られず、放熱部材１０１４の中心軸を回転軸として当該一部に対して±９０°よりも小さい範囲に含まれる回廊部５１２２の当該側壁の部分も含まれる。
【００６６】
放熱部材１０１４の柱状部１１４１は、緩衝空間５１２３のほぼ中央に配置されている。このため、緩衝空間５１２３は円環状を有する。第一流入出口５１２１から緩衝空間５１２３に流入する流水は、柱状部１１４１の周りを回転しながら第二貫通孔５１２４ａに到達する。第二貫通孔５１２４ａから回廊部５１２２に流入する流水は、回廊部５１２２の内部空間５１２２ｂを通って第一貫通孔５１２２ａに到達する。
【００６７】
放熱部材１０１４は、第一貫通孔５１２２ａよりも流路管５０１１の他端部側に飛び出させて配置されている。つまり、第一貫通孔５１２２ａは、上記実施例１−１における第一流入出口１１２１が放熱部材１０１４に対して有する相対位置関係と同様の相対位置関係となるように配置される。これにより、第一流入出部５０１２は、第一貫通孔５１２２ａから内部空間５１１１に流水を流入する場合に、流水を放熱部材１０１４に衝突させることができる。なお、第一貫通孔５１２２ａは複数個設けることができる。
【００６８】
このように、流水殺菌モジュール５００１は、緩衝空間５１２３及び回廊部５１２２において流水を回転させつつ放熱部材１０１４に衝突させることによって、放熱部材１０１４の周囲で流水に乱流を発生し易くできる。このため、流水殺菌モジュール５００１は、上記実施例１−１から上記実施例１−４による流水殺菌モジュールと比較して、内部空間５１１１に所定形状（例えば渦状）の流水を生じさせやすい。
【００６９】
＜流水殺菌モジュール５００１の動作＞
本実施例による流水殺菌モジュール５００１の動作について図７を用いて説明する。
図７に示すように、流水殺菌モジュール５００１は、一の外部から第一流入出部５０１２を介して流入し、第二流入出部１０１３から他の外部に流出する流水ＷＦ１５を形成する。
【００７０】
流水殺菌モジュール５００１は、放熱部材１０１４の柱状部１１４１の周りを回転しながら第二貫通孔５１２４ａに到達する流水ＷＦ１５を緩衝空間５１２３に形成する。流水殺菌モジュール５００１は、柱状部１１４１の周りを一方向に回転する流水ＷＦ１５を緩衝空間５１２３に形成するのではなく、柱状部１１４１の周りを一の方向に回転して第二貫通孔５１２４ａに到達する流水ＷＦ１５と、他の方向に回転して第二貫通孔５１２４ａに到達する流水ＷＦ１５とを形成する。このように、緩衝空間５１２３に流入する流水ＷＦ１５は、流れる方向がある程度制限されることによって整流される。緩衝空間５１２３は、流水ＷＦ１５を整流する整流部としての機能を発揮するようになっている。
【００７１】
流水殺菌モジュール５００１は、第二貫通孔５１２４ａから回廊部５１２２の内部空間５１２２ｂに流入する流水を回廊部５１２２の一方向に回転させるのではなく、回廊部５１２２を一の方向に回転して第一貫通孔５１２２ａに到達する流水ＷＦ１５と、他の方向に回転して第一貫通孔５１２２ａに到達する流水ＷＦ１５とを形成する。
【００７２】
流水殺菌モジュール５００１は、第一貫通孔５１２２ａを通って内部空間５１１１に流水を流入する際に、流水を放熱部材１０１４に衝突させ、放熱部材１０１４の周りを回転する乱流を発生する。この時、流水殺菌モジュール５００１は、放熱部材１０１４の周りを一方向に回転する流水ＷＦ１５を放熱部材１０１４の周りに形成するのではなく、放熱部材１０１４の周りを一の方向に回転する流水ＷＦ１５と、他の方向に回転する流水ＷＦ１５とを形成する。
【００７３】
このため、流水殺菌モジュール５００１は、上記実施例１−１による流水殺菌モジュール１００１と同様の原理によって内部空間５１１１で整流された流水ＷＦ１５を形成する。しかも、流水殺菌モジュール５００１は、緩衝空間５１２３及び回廊部５１２２によって流水を整流しているため、流水殺菌モジュール１００１と比較して内部空間５１１１に回転する流水ＷＦ１５を形成しやすい。これにより、流水殺菌モジュール５００１は、液体が内部空間５１１１に滞在する時間を長くすることができる。その結果、内部空間５１１１を流れる液体は、光源１３から出射される紫外線及び流路管５０１１の内壁で反射した紫外線に長時間照射される。これにより、流水殺菌モジュール５００１は、流水の殺菌効率の向上を図ることができる。
【００７４】
流水殺菌モジュール５００１は、第二流入出部１０１３から内部空間５１１１に流水を流入した場合には、第二流入出口１１３１の近傍に回転する流水ＷＦ１５を形成することにより、回転しながら流路管５０１１の他端部側から一端部側に向かう流水ＷＦ１５を内部空間５１１１に形成することができる。その結果、内部空間５１１１を流れる液体は、光源１３から出射される紫外線及び流路管５０１１の内壁で反射した紫外線に長時間照射される。これにより、流水殺菌モジュール５００１は、流水の殺菌効率の向上を図ることができる。
【００７５】
（実施例１−６）
第１実施形態の実施例１−６による流水殺菌モジュールについて図８を用いて説明する。本実施例による流水殺菌モジュール６００１は、放熱部材１０１４の少なくとも一部が露出して配置される緩衝空間６１２３を有する第一流入出部６０１２を備えている点に特徴を有している。
【００７６】
＜流水殺菌モジュール６００１の概略構成＞
まず、本実施例による流水殺菌モジュール６００１の概略構成について図８を用いて説明する。なお、上記実施例１−１による流水殺菌モジュール１００１の構成要素と同一の作用・機能を奏する構成要素には同一の符号を付して、その詳細な説明は省略する。
【００７７】
図８に示すように、流水殺菌モジュール６００１は、流水が流通する内部空間６１１１を有する流路管６０１１と、流路管６０１１の一端部の側から内部空間６１１１に突出し内部空間６１１１に向けて紫外線を照射可能に設けられた光源１３とを備えている。流路管６０１１は、例えば円筒状を有している。流路管６０１１は、円筒状に限られず、中空の角柱状を有していてもよい。流路管６０１１の一端部は、流路管６０１１の長手方向の両端部のうち、放熱部材１０１４が設けられる方に相当する。流路管６０１１は、例えばポリテトラフルオロエチレン（ＰＴＦＥ）で形成されている。これにより、光源１３から照射される紫外線は、内部空間６１１１において流路管６０１１の内壁面で反射を繰り返すことができるので、流水殺菌モジュール６００１は、内部空間６１１１を流通する流水の殺菌効率を向上することができる。また、流水殺菌モジュール６００１は、光源１３から照射される紫外線が流水殺菌モジュール６００１の外部に漏洩するのを防止できる。
【００７８】
流水殺菌モジュール６００１は、流水が流入及び流出することが可能な第一流入出口６１２１を有する第一流入出部６０１２を備えている。第一流入出部６０１２は、第一流入出口６１２１から流入する流水を内部空間６１１１に流出し、内部空間６１１１から流入する流水を第一流入出口６１２１から外部に流出するようになっている。流路管６０１１は第一流入出部６０１２を有している。
【００７９】
第一流入出部６０１２は、第一流入出口６１２１を含み放熱部材１０１４の少なくとも一部が露出して配置される緩衝空間６１２３を備えている。また、第一流入出部６０１２は、緩衝空間６１２３に対して流路管６０１１の他端部側に設けられ放熱部材１０１４を囲んで設けられた回廊部６１２２を有している。流水殺菌モジュール６００１は、上記実施例１−５による流水殺菌モジュール５００１と異なり、回廊部６１２２の内部空間６１２２ｂと緩衝空間６１２３との間には仕切板が設けられていない。
【００８０】
回廊部６１２２は、放熱部材１０１４と所定の間隙を有し、流路管６０１１の側壁に沿って設けられている。回廊部６１２２は、放熱部材１０１４に対向する側壁の一部を貫通する第一貫通孔６１２２ａを有している。これにより、第一流入出口６１２１、緩衝空間６１２３、回廊部６１２２の内部空間６１２２ｂ及び第一貫通孔６１２２ａによって流水殺菌モジュール６００１の外部と流路管６０１１との内部空間６１１１とが連通される。その結果、第一流入出部６０１２は、外部から内部空間６１１１に向かって流水を流入したり、内部空間６１１１から外部に向かって流水を流出したりできる。
【００８１】
第一貫通孔６１２２ａは、放熱部材１０１４に鉛直な位置に形成されている。なお、第一貫通孔６１２２ａは複数個設けることができる。また、第一流入出口６１２１は、緩衝空間６１２３の側面、あるいは底部に設けても良い。
【００８２】
放熱部材１０１４の柱状部１１４１は、緩衝空間６１２３のほぼ中央に配置されている。
【００８３】
放熱部材１０１４は、第一貫通孔６１２２ａよりも流路管６０１１の他端部側に飛び出させて配置されている。つまり、第一貫通孔６１２２ａは、上記実施例１−１における第一流入出口１１２１が放熱部材１０１４に対して有する相対位置関係と同様の相対位置関係となるように配置される。これにより、第一流入出部６０１２は、第一貫通孔６１２２ａから内部空間６１１１に流水を流入する場合に、流水を放熱部材１０１４に衝突させることができる。なお、柱状部１１４１の下端部は、流路管６０１１の外部に突出せず、緩衝空間６１２３内部にあってもよい。
【００８４】
このように、流水殺菌モジュール６００１は、緩衝空間６１２３及び回廊部６１２２において流水を放熱部材１０１４に衝突させることによって、放熱部材１０１４の周囲で流水に乱流を発生し易くできる。このため、流水殺菌モジュール６００１は、上記実施例１−１から上記実施例１−４による流水殺菌モジュールと比較して、内部空間６１１１に所定形状（例えば渦状）の流水を生じさせやすい。
【００８５】
＜流水殺菌モジュール６００１の動作＞
本実施例による流水殺菌モジュール６００１の動作について図８を用いて説明する。
図８に示すように、流水殺菌モジュール６００１は、一の外部から第一流入出部６０１２を介して流入し、内部空間６１１１を通って第二流入出部１０１３から他の外部に流出する流水ＷＦ１６を形成する。
【００８６】
流水殺菌モジュール６００１は、放熱部材１０１４の柱状部１１４１の周りを通って徐々に回廊部６１２２の内部空間６１２２ｂに到達する流水ＷＦ１６を緩衝空間６１２３に形成する。緩衝空間６１２３は、流水ＷＦ１６を整流する整流部としての機能を発揮するようになっている。
【００８７】
流水殺菌モジュール６００１は、緩衝空間６１２３から回廊部６１２２の内部空間６１２２ｂに到達する流水を緩衝空間６１２３での回転方向と同方向に回転して第一貫通孔６１２２ａに到達する流水ＷＦ１６を形成する。
【００８８】
流水殺菌モジュール６００１は、第一貫通孔６１２２ａを通って内部空間６１１１に流水を流入する際に、流水を放熱部材１０１４に衝突させ、放熱部材１０１４の周りに乱流を発生する。
【００８９】
このため、流水殺菌モジュール６００１は、上記実施例１−１による流水殺菌モジュール１００１と同様の原理によって内部空間６１１１で整流された流水ＷＦ１６を形成する。しかも、流水殺菌モジュール６００１は、緩衝空間６１２３及び回廊部６１２２によって流水を整流しているため、流水殺菌モジュール１００１と比較して内部空間６１１１に回転する流水ＷＦ１６を形成しやすい。これにより、流水殺菌モジュール６００１は、液体が内部空間６１１１に滞在する時間を長くすることができる。その結果、内部空間６１１１を流れる液体は、光源１３から出射される紫外線及び流路管６０１１の内壁で反射した紫外線に長時間照射される。これにより、流水殺菌モジュール６００１は、流水の殺菌効率の向上を図ることができる。
【００９０】
流水殺菌モジュール６００１は、第二流入出部１０１３から内部空間６１１１に流水を流入した場合には、第二流入出口１１３１の近傍に整流された流水ＷＦ１６を形成することにより、流路管６０１１の他端部側から一端部側に向かう流水ＷＦ１６を内部空間６１１１に形成することができる。その結果、内部空間６１１１を流れる液体は、光源１３から出射される紫外線及び流路管６０１１の内壁で反射した紫外線に長時間照射される。これにより、流水殺菌モジュール６００１は、流水の殺菌効率の向上を図ることができる。
【００９１】
〔第２実施形態〕
本発明の第２実施形態による流水殺菌モジュールについて図９から図２４を用いて説明する。
本実施形態による流水殺菌モジュールは、流水が流通する内部空間を有する流路管と、流路管の一端部の側から内部空間に突出し内部空間に向けて紫外線を照射可能に設けられた光源とを備えている。本実施形態による流水殺菌モジュールは、流水が流入及び流出することが可能な第一流入出口と、第一流入出口から流入する流水を流路管に導入し流路管から流入する流水を第一流入出口に導入可能な導入空間とを有する流水流入出部を備えている。本実施形態による流水殺菌モジュールは、少なくとも一部が内部空間及び導入空間の少なくとも一方に露出し光源から発生する熱を放熱する放熱部材を備えている。
【００９２】
また、本実施形態による流水殺菌モジュールは、第一流入出口に取り付けられて導入空間と外部との間で流水を流通可能な第一流通口を側壁に有する第一流入出部材と、流路管の他端部の側に設けられ内部空間に流水を流入し内部空間から流水を流出可能な第二流入出口に取り付けられ内部空間と外部との間で流水を流通可能な第二流通口を側壁に有する第二流入出部材とを備えている。
以下、本実施形態による流水殺菌モジュールについて実施例を用いて具体的に説明する。
【００９３】
（実施例２−１）
まず、第２実施形態の実施例２−１による流水殺菌モジュール１の概略構成について図９から図１１を用いて説明する。図９及び後述の実施例を説明する図１６、図１８、図２１及び図２３では、光源１３は断面ではなく模式的に図示されている。
【００９４】
＜流水殺菌モジュール１の概略構成＞
図９に示すように、流水殺菌モジュール１は、流水が流通する内部空間１１１を有する流路管１１と、流路管１１の一端部の側から内部空間１１１に突出し内部空間１１１に向けて紫外線を照射可能に設けられた光源１３とを備えている。詳細は後述するが、流路管１１は、第一本体部材１８の薄板状部１８１ｂ及び円筒状部１８２で構成されている。また、流水殺菌モジュール１は、流水が流入及び流出することが可能な第一流入出口１２１と、第一流入出口１２１から流入する流水を流路管１１に導入し流路管１１から流入する流水を第一流入出口１２１に導入可能な導入空間１２２とを有する流水流入出部１２を備えている。詳細は後述するが、流水流入出部１２は、第一本体部材１８の厚板状部１８１ａ及び第二本体部材１９で構成されている。
【００９５】
また、流水殺菌モジュール１は、少なくとも一部が内部空間１１１及び導入空間１２２の少なくとも一方に露出し光源１３から発生する熱を放熱する放熱部材１４を備えている。本実施例では、放熱部材１４は、内部空間１１１に一部が露出しており、導入空間１２２には露出していない。また、流水殺菌モジュール１は、第一流入出口１２１に取り付けられ、導入空間１２２と外部との間で流水を流通可能な第一流通口１５１を側壁に有する第一流入出部材１５を備えている。さらに、流水殺菌モジュール１は、流路管１１の他端部の側に設けられ内部空間１１１に流水を流入し内部空間１１１から流水を流出可能な第二流入出口１１３に取り付けられ、内部空間１１１と外部との間で流水を流通可能な第二流通口１６１を側壁に有する第二流入出部材１６を備えている。
【００９６】
流水殺菌モジュール１は、第一流入出部材１５及び第二流入出部材１６が取り付けられる第一本体部材１８と、第一本体部材１８に設けられた雌ねじＦＳ１１３と締結される雄ねじＭＳ１１３が設けられた第二本体部材１９とを備えている。雄ねじＭＳ１１３及び雌ねじＦＳ１１３を互いに締結して第一本体部材１８及び第二本体部材１９を互いに固定すると、流水殺菌モジュール１の形状は円柱状となる。第一本体部材１８及び第二本体部材１９は、例えばポリテトラフルオロエチレン（ＰＴＦＥ）で形成されている。これにより、光源１３から照射される紫外線は、内部空間１１１において流路管１１の内壁面で反射を繰り返すことができるので、流水殺菌モジュール１は、内部空間１１１を流通する流水の殺菌効率を向上することができる。また、流水殺菌モジュール１は、光源１３から照射される紫外線が流水殺菌モジュール１の外部に漏洩するのを防止できる。
【００９７】
第一本体部材１８は、円盤状に形成された円盤部１８１と、円盤部１８１の周縁から突出して形成された周縁部１８３とを有している。周縁部１８３の内壁面に雌ねじＦＳ１１３が切られている。円盤部１８１は、第二流入出口１１３が形成された薄板状部１８１ｂと、薄板状部１８１ｂよりも厚く形成された厚板状部１８１ａとを有している。厚板状部１８１ａは、薄板状部１８１ｂの周囲に設けられている。厚板状部１８１ａの周縁に周縁部１８３が設けられている。第二流入出口１１３は、薄板状部１８１ｂを貫通して形成されている。第二流入出口１１３によって形成される薄板状部１８１ｂの内壁面には、雌ねじＦＳ１２が切られている。雌ねじＦＳ１２は、第二流入出部材１６を第二流入出口１１３に取り付けるために設けられている（詳細は後述）。
【００９８】
第一本体部材１８は、厚板状部１８１ａと薄板状部１８１ｂとの境界部分に周縁部１８３と同じ方向に延在する円筒状部１８２を有している。円筒状部１８２は、周縁部１８３よりも長い長さを有している。円筒状部１８２の薄板状部１８１ｂが設けられていない側の端部（先端部）は開放されている。円筒状部１８２の先端部は、円筒状部１８２の内壁面から外壁面に向かって傾斜する傾斜部１８４を有している。傾斜部１８４は凹曲面状に形成されている。詳細は後述するが、放熱部材１４は、放熱部材１４の板状部１４２ａの周縁を傾斜部１８４に嵌め合わせた状態で円筒状部１８２の開放部分を塞ぐように配置される。
【００９９】
円筒状部１８２及び薄板状部１８１ｂによって流路管１１が構成される。円筒状部１８２は流路管１１の側壁の一例に相当する。薄板状部１１８ｂ、円筒状部１８２及び放熱部材１４の板状部１４２ａで画定される領域が内部空間１１１となる。円筒状部１８２の先端部が流路管１１の一端部の一例に相当する。円筒状部１８２の先端部の側に対して薄板状部１８１ｂが配置されている側が流路管１１の他端部の側に相当する。
【０１００】
第二本体部材１９は、薄板円形状の底板部１９１と、底板部１９１の周縁に屹立して形成された側壁１９２とを有している。第二本体部材１９は円筒形状を有している。底板部１９１のほぼ中央には、底板部１９１を開口する開口部１９１ａが形成されている。開口部１９１ａは、第一本体部材１８に円筒状部１８２及び放熱部材１４の板状部１４２ａのそれぞれの直径よりも短い直径を有している。このため、第二本体部材１９は、板状部１４２ａの中央部分を外部に露出させた状態で、放熱部材１４を第一本体部材１８の円盤部１８１に対向させて配置できる。第一本体部材１８を第二本体部材１９に取り付けると、円筒状部１８２は、傾斜部１８４で板状部１４２ａの周縁部を覆いつつ、放熱部材１４が配置される底板部１９１の表面に先端を接触する。これにより、放熱部材１４は、円筒状部１８２と板状部１４２ａとの間に挟まれるので、流水殺菌モジュール１は、放熱部材１４が内部空間１１１でずれてしまうのを防止できる。詳細は後述するが、光源１３に電力を供給するための電源ケーブルは、開口部１９１ａを介して外部に引き出される。
【０１０１】
側壁１９２は、第一本体部材１８が取り付けられる側の端部に形成された段差部１９２ａを有している。段差部１９２ａは、第一本体部材１８の周縁部１８３とほぼ同じ大きさの分だけ側壁１９２の端部の外表面を切り欠いて形成されている。段差部１９２ａの外表面には雄ねじＭＳ１１３が切られている。雄ねじＭＳ１１３は、第一本体部材１８の周縁部１８３に形成された雌ねじＦＳ１１３と互いに締結可能なピッチを有する。側壁１９２は、周縁部１８３とほぼ同じ長さの外径を有している。このため、周縁部１８３に形成された雌ねじＦＳ１１３を段差部１９２ａに形成された雄ねじＭＳ１１３に締結させながら第一本体部材１８を第二本体部材１９に取り付けると、段差部１９２ａに周縁部１８３が配置され、第一本体部材１８の側面と第二本体部材１９の側面とはほぼ面一となる。
【０１０２】
第二本体部材１９及び第一本体部材１８の厚板状部１８１ａによって流水流入出部１２が構成される。第一本体部材１８を第二本体部材１９に取り付けると、第一本体部材１８の円筒状部１８２と第二本体部材１９の側壁１９２との間に形成される円環状の空間が導入空間１２２となる。
【０１０３】
第一本体部材１８の厚板状部１８１ａの一部に第一流入出口１２１が形成されている。第一流入出口１２１は、厚板状部１８１ａを貫通する貫通孔である。第一流入出口１２１は、第一本体部材１８を第二本体部材１９に取り付けた場合に、厚板状部１８１ａが第二本体部材１９の側壁１９２に接触しない領域を開口して形成されている。第一流入出口１２１は、第一本体部材１８を第二本体部材１９に取り付けると導入空間１２２と連通するようになっている。第一流入出口１２１によって形成される厚板状部１８１ａの内壁面の一部には、雌ねじＦＳ１１が切られている。雌ねじＦＳ１１は、厚板状部１８１ａの外表面から薄板状部１８１ｂとほぼ同じ厚さの分だけ形成されている。
【０１０４】
第一流入出口１２１には、第一流入出部材１５が取り付けられる。第一流入出部材１５は、例えばポリテトラフルオロエチレン（ＰＴＦＥ）で形成されている。第一流入出部材１５は、全体的に円筒形状を有している。第一流入出部材１５の内部には、流水が流通する第一流通空間１５２が形成されている。第一流入出部材１５の一端部は第一流通空間１５２が閉鎖された閉鎖端になっており、第一流入出部材１５の他端部は第一流通空間１５２が開放された開放端になっている。
【０１０５】
第一流入出部材１５の長手方向のほぼ中央には、第一流入出部材１５の外側面の一部が張り出された張出部１５３が形成されている。張出部１５３と第一流入出部材１５の他端部との間の外表面には、凹凸が形成されている。すなわち、第一流入出部材１５の他端部側は、流水殺菌モジュール１に流入させたり流出させたりする流水が流通する所定のホース（不図示）を装着可能なホースエンド型の形状に形成されている。
【０１０６】
張出部１５３と第一流入出部材１５の一端部との間であって第一流通空間１５２を閉鎖する閉鎖端の近傍に、複数の第一流通口１５１が形成されている。本実施例では第一流通口１５１は４個（図９では３個のみ図示されている）設けられている。第一流通口１５１はそれぞれ、円形状を有している。第一流通口１５１はそれぞれ、第一流入出部材１５の外表面から第一流通空間１５２まで貫通して形成されている。４個の第一流通口１５１は、第一流入出部材１５の一端部側の側壁にほぼ等間隔（約９０°）に設けられている。
【０１０７】
第一流通口１５１と張出部１５３との間の第一流入出部材１５の外表面の一部には、雄ねじＭＳ１１が切られている。雄ねじＭＳ１１は、張出部１５３に隣接して設けられている。雄ねじＭＳ１１は、第一本体部材１８の厚板状部１８１ａに形成された雌ねじＦＳ１１と互いに締結可能なピッチを有している。張出部１５３と第一流通口１５１との間の第一流入出部材１５の外表面は、第一流入出口１２１によって形成される厚板状部１８１ａの内壁面にならう形状を有している。このため、第一流入出部材１５を一端部側から第一流入出口１２１に挿入して張出部１５３が第一本体部材１８の厚板状部１８１ａに接触するまで雄ねじＭＳ１１と雌ねじＦＳ１１とを締結することにより、第一流入出部材１５は、厚板状部１８１ａ、すなわち流水流入出部１２に取り付けられる。
【０１０８】
第一流入出部材１５が流水流入出部１２に取り付けられると、第一流入出部材１５の一端部の一部が導入空間１２２に突出し、第一流通口１５１は導入空間１２２に露出される。これにより、導入空間１２２、第一流通口１５１及び第一流通空間１５２が連通され、外部と導入空間１２２との間を流水が流通可能になる。本実施例では、第一流通空間１５２及び第一流通口１５１を通って外部から導入空間１２２に流水が流入される。
【０１０９】
円盤部１８１のほぼ中央であって薄板状部１８１ｂには、第二流入出口１１３が形成されている。第二流入出口１１３は、第一流入出口１２１と並んで配置されている。第二流入出口１１３は、薄板状部１８１ｂを貫通する貫通孔である。第二流入出口１１３は、内部空間１１１と連通するようになっている。第二流入出口１１３によって形成される薄板状部１８１ｂの内壁面には、雌ねじＦＳ１２が切られている。
【０１１０】
第二流入出口１１３には、第二流入出部材１６が取り付けられる。第二流入出部材１６は、例えばポリテトラフルオロエチレン（ＰＴＦＥ）で形成されている。第二流入出部材１６は、全体的に円筒形状を有している。第二流入出部材１６の内部には、流水が流通する第二流通空間１６２が形成されている。第二流入出部材１６の一端部は第二流通空間１６２が閉鎖された閉鎖端になっており、第二流入出部材１６の他端部は第二流通空間１６２が開放された開放端になっている。
【０１１１】
第二流入出部材１６の長手方向の中央やや一端部寄りには、第二流入出部材１６の外側面の一部が張り出された張出部１６３が形成されている。張出部１６３と第二流入出部材１６の他端部との間の外表面には、他端部寄りに凹凸が形成されている。すなわち、第二流入出部材１６の他端部側は、流水殺菌モジュール１に流入させたり流出させたりする流水が流通する所定のホース（不図示）を装着可能なホースエンド型の形状に形成されている。
【０１１２】
張出部１６３と第二流入出部材１６の一端部との間であって第二流通空間１６２を閉鎖する閉鎖端の近傍に、複数の第二流通口１６１が形成されている。本実施例では第二流通口１６１は４個（図９では３個のみ図示されている）設けられている。第二流通口１６１はそれぞれ、円形状を有している。第二流通口１６１はそれぞれ、第二流入出部材１６の外表面から第二流通空間１６２まで貫通して形成されている。４個の第二流通口１６１は、第二流入出部材１６の一端部側の側壁にほぼ等間隔（約９０°）に設けられている。
【０１１３】
第二流通口１６１と張出部１６３との間の第二流入出部材１６の外表面には、雄ねじＭＳ１２が切られている。雄ねじＭＳ１２は、第一本体部材１８の薄板状部１８１ｂに形成された雌ねじＦＳ１２と互いに締結可能なピッチを有する。張出部１６３と第二流通口１６１との間の第二流入出部材１６の外表面は、第二流入出口１１３によって形成される薄板状部１８１ｂの内壁面にならう形状を有している。このため、第二流入出部材１６を一端部側から第二流入出口１１３に挿入して張出部１６３が第一本体部材１８の薄板状部１８１ｂに接触するまで雄ねじＭＳ１２と雌ねじＦＳ１２とを締結することにより、第二流入出部材１６は、薄板状部１８１ｂ、すなわち流路管１１に取り付けられる。
【０１１４】
第二流入出部材１６を流路管１１に取り付けると、第二流入出部材１６の一端部の一部が内部空間１１１に突出し、第二流通口１６１は内部空間１１１に露出される。これにより、内部空間１１１、第二流通口１６１及び第二流通空間１６２が連通され、外部と内部空間１１１との間を流水が流通可能になる。本実施例では、内部空間１１１において光源１３から照射される紫外線によって殺菌された流水が内部空間１１１、第二流通口１６１及び第二流通空間１６２を通って外部に流出される。
【０１１５】
図９に示すように、流路管１１は、流路管１１の他端部よりも一端部に近く且つ第一流入出口１２１に対して内部空間１１１を挟む位置に形成されて流路管１１の側壁を貫通する第一貫通孔１１２を有している。すなわち、第一貫通孔１１２は、円筒状部１８２に形成されている。第一貫通孔１１２は、流路管１１の側壁の一端部、すなわち円筒状部１８２の先端部の近傍に形成されている。第一流入出口１２１に対して内部空間１１１を挟む位置には、流路管１１の延在する方向に流水殺菌モジュール１を見た場合に、第一流入出口１２１の中心及び内部空間１１１の中心を通る直線上の流路管１１の側壁（円筒状部１８２）であって第一流入出口１２１から相対的に離れた位置が含まれる。また、第一流入出口１２１に対して内部空間１１１を挟む位置には、この直線上の当該位置に限られず、内部空間１１１の中心を中心軸として当該位置に対して±９０°の範囲に含まれる流路管１１の側壁（円筒状部１８２）の位置も含まれる。
【０１１６】
第一貫通孔１１２は、内部空間１１１と導入空間１２２とを仕切る流路管１１の側壁を貫通して設けられている。このため、第一貫通孔１１２は、内部空間１１１と導入空間１２２とを連通する連通口となる。これにより、第二流入出部材１６を流路管１１に取り付けると、第一流入出部材１５の第一流通空間１５２、第一流入出部材１５の第一流通口１５１、導入空間１２２、内部空間１１１、第二流入出部材１６の第二流通口１６１及び第二流入出部材１６の第二流通空間１６２が連通される。その結果、流水殺菌モジュール１は、一の外部から流入する流水を内部空間１１１で殺菌した後に他の外部に流出することができる。
【０１１７】
図９に示すように、第一本体部材１８は、第二本体部材１９の側壁１９２の端部に対面する場所に形成された環状の溝部１８１ｃを有している。溝部１８１ｃは、円盤部１８１の厚板状部１８１ａに形成されている。溝部１８１ｃには、ゴムパッキンＰＫ１１が挿入されている。ゴムパッキンＰＫ１１は、一部が溝部１８１ｃから飛び出した状態で取り付けられており、第一本体部材１８を第二本体部材１９に取り付けて固定すると、溝部１８１ｃと側壁１９２で押し潰された状態となる。ゴムパッキンＰＫ１１は、弾性力によって元の状態に戻ろうとして側壁１９２の端部に力を加えつつ密着する。これにより、流水殺菌モジュール１は、導入空間１２２を流通する流水が円盤部１８１と側壁１９２との間から漏洩するのを防止できる。
【０１１８】
図９に示すように、第二本体部材１９は、放熱部材１４の板状部１４２ａと対面する場所に形成された環状の溝部１９１ｂを有している。溝部１９１ｂは、底板部１９１に形成されている。溝部１９１ｂには、ゴムパッキンＰＫ１２が挿入されている。ゴムパッキンＰＫ１２は、一部が溝部１９１ｂから飛び出した状態で取り付けられており、第一本体部材１８を第二本体部材１９に取り付けて固定すると、底板部１９１と溝部１９１ｂで押し潰された状態となる。ゴムパッキンＰＫ１２は、弾性力によって元の状態に戻ろうとして板状部１４２ａに力を加える。板状部１４２ａは、円筒状部１８２によってゴムパッキンＰＫ１２から受ける力よりも強く且つ反対方向に力を受ける。その結果、ゴムパッキンＰＫ１２は板状部１４２ａに密着するので、流水殺菌モジュール１は、導入空間１２２を流れる流水が底板部１９１と板状部１４２ａとの間から漏洩するのを防止できる。
【０１１９】
図９に示すように、放熱部材１４は、光源１３が取り付けられる光源取付部１４１と、板状に形成された板状部１４２ａを有し光源取付部１４１に熱接触して光源１３で発生する熱を放熱する放熱部１４２とを有している。放熱部材１４は、例えばステンレス鋼（ＳＵＳ）で形成されている。板状部１４２ａは、例えば５ｍｍの厚さを有している。本実施例では、放熱部１４２は、光源取付部１４１と一体に形成されることにより、光源取付部１４１と熱接触するようになっているが、これに限られない。例えば、放熱部１４２と光源取付部１４１とは、異なる部材として形成されており、ねじによって互いに固定されて熱接触したり、接着材によって互いに接着されて熱接触したり、組み合わせ部分に形成されたねじによって互いに締結されたりしてもよい。
【０１２０】
流路管１１の一端部は、放熱部１４２の一部に接触して配置されている。より具体的には上述のとおり、流路管１１の側壁の先端部（すなわち円筒状部１８２に先端部）は、放熱部材１４の板状部１４２ａの周縁に接触している。
【０１２１】
図９に示すように、光源取付部１４１は円柱形状を有している。第二流入出口１１３に対向する光源取付部１４１の平面上に光源１３が配置されている。光源１３を覆って光源取付部１４１にはカバー部材１７が取り付けられている。カバー部材１７は石英で形成されている。これにより、カバー部材１７は、光源１３から照射される紫外線を透過できるようになっている。
【０１２２】
光源取付部１４１の側面には、当該側面の周方向に溝部１４１ａ及び溝部１４１ｂが形成されている。溝部１４１ａにはゴムパッキンＰＫ１３が取り付けられ、溝部１４１ｂにはゴムパッキンＰＫ１４が取り付けられている。カバー部材１７は、ゴムパッキンＰＫ１３，ＰＫ１４を含んで光源取付部１４１を覆って配置されている。これにより、ゴムパッキンＰＫ１３，ＰＫ１４とカバー部材１７とが密着するので、内部空間１１１を流通する流水に光源１３が浸されてしまうのを防止できる。
【０１２３】
図１０に示すように、光源取付部１４１には、ケーブル挿通孔１４６ａ及びケーブル挿通孔１４６ｂと、ねじ穴１４５ａ及びねじ穴１４５ｂが形成されている。ケーブル挿通孔１４６ａ，１４６ｂは、光源１３が配置される光源取付部１４１の平面から当該平面とは反対側の開口部１９１ａに露出する平面まで貫通して形成されている。ケーブル挿通孔１４６ａ，１４６ｂには、光源１３に設けられた発光素子１３１（図９参照）に電力を供給する電源ケーブル（不図示）が挿通される。ねじ穴１４５ａ，１４５ｂには、光源１３に設けられた金属基板１３２（詳細は後述）を光源取付部１４１にねじ止めするためのねじが締結される。詳細は後述するが、ねじ穴１４５ａ，１４５ｂ及びねじ穴１４５ａ，１４５ｂにそれぞれ締結されたねじは、発光素子１３１から発生する熱を放熱するための放熱経路の一部となる。
【０１２４】
次に、光源１３の詳細な構成について図９及び図１０を参照しつつ図１１を用いて説明する。図１１（ａ）では、理解を容易にするため、後述する金属基板１３２に実装された発光素子１３１は破線枠で図示されている。また、図１１（ｂ）では、理解を容易にするため、後述するベース基板１３２ａや絶縁層１３２ｂなどの各構成要素の厚さや長さは、本来の縮尺とは異ならせて図示されている。
【０１２５】
光源１３は、紫外線を発光する発光素子１３１と、発光素子１３１が実装されて放熱部材１４と熱的に接続された金属基板１３２とを有している。金属基板１３２は、発光素子１３１の発熱部に接触するサーマルパッド１３２ｆを有している。発光素子１３１は、例えば発光ダイオードである。
【０１２６】
図１１（ａ）に示すように、金属基板１３２は、発光素子１３１が実装される実装面に直交する方向に見て、ケーブル挿通孔１４６ａ，１４６ｂの少なくとも一部に重ならないように、一部に括れが形成された形状を有している。本実施例では、金属基板１３２は、ケーブル挿通孔１４６ａ，１４６ｂの全体と重ならないようになっているが、電源ケーブルを通すことが可能な領域が確保されていれば、ケーブル挿通孔１４６ａ，１４６ｂの一部に重なっていてもよい。
【０１２７】
図１１（ｂ）に示すように、金属基板１３２は、光源取付部１４１上に配置されたベース基板１３２ａと、ベース基板１３２ａ上に形成された絶縁層１３２ｂとを有している。図１１（ａ）に示すように、金属基板１３２は、所定形状を有し絶縁層１３２ｂ上に形成された熱伝導層１３２ｃと、所定形状を有し絶縁層１３２ｂ上に形成された第一電極層１３２ｄ及び第二電極層１３２ｅとを有している。金属基板１３２は、熱伝導層１３２ｃ上に形成されたサーマルパッド１３２ｆを有している金属基板１３２は、第一電極層１３２ｄ上に形成された第一電極パッド１３２ｇ及び第一配線パッド１３２ｉと、第二電極層１３２ｅ上に形成された第二電極パッド１３２ｈ及び第二配線パッド１３２ｊとを有している。金属基板１３２は、熱伝導層１３２ｃを開口して形成された第一ねじ挿通口１３２ｋ及び第二ねじ挿通口１３２ｌを有している。
【０１２８】
ベース基板１３２ａは、薄板状を有し、例えばアルミニウム（Ａｌ）で形成されている。熱伝導層１３２ｃ、第一電極層１３２ｄ、第二電極層１３２ｅ、サーマルパッド１３２ｆ、第一電極パッド１３２ｇ、第二電極パッド１３２ｈ、第一配線パッド１３２ｉ及び第二配線パッド１３２ｊは、それぞれ銅（Ｃｕ）で形成されている。絶縁層１３２ｂは、例えばエポキシ樹脂で形成されている。
【０１２９】
熱伝導層１３２ｃは、発光素子１３１の実装領域を横切って延在する直線領域と、この直線領域の両端部に接続されて２辺がベース基板１３２ａの外形に沿う三角形状領域とを有する。２つの三角形状領域の一方は、第一ねじ挿通口１３２ｋが設けられた領域を含んで形成され、第一ねじ挿通口１３２ｋが設けられた領域には開口が形成されている。熱伝導層１３２ｃの２つの三角形状領域の一方の３辺のうちのベース基板１３２ａの外形に沿っていない辺は、ねじと熱伝導層１３２ｃとの接触面積が大きくなるように、第一ねじ挿通口１３２ｋの近傍が開口に沿うように張り出している。
【０１３０】
２つの三角形状領域の他方は、第二ねじ挿通口１３２ｌが設けられた領域を含んで形成され、第二ねじ挿通口１３２ｌが設けられた領域には開口が形成されている。熱伝導層１３２ｃの２つの三角形状領域の他方の３辺のうちのベース基板１３２ａの外形に沿っていない辺は、ねじと熱伝導層１３２ｃとの接触面積が大きくなるように、第二ねじ挿通口１３２ｌの近傍が開口に沿うように張り出している。
【０１３１】
第一電極層１３２ｄは、１辺がベース基板１３２ａの外形に沿う長方形状を有している。第二電極層１３２ｅは、１辺がベース基板１３２ａの外形に沿う長方形状を有している。第一電極層１３２ｄ及び第二電極層１３２ｅは、熱伝導層１３２ｃの直線領域を挟んで配置されている。
【０１３２】
第一電極層１３２ｄは、熱伝導層１３２ｃの２つの三角形状領域に挟まれて配置されている。第一電極層１３２ｄは、熱伝導層１３２ｃの２つの三角形状領域に長辺を対向させて配置されている。第一電極層１３２ｄの長辺と、当該長辺に対向する熱伝導層１３２ｃの２つの三角形状領域との間隔は、ほぼ一定である。
【０１３３】
第二電極層１３２ｅは、熱伝導層１３２ｃの２つの三角形状領域に挟まれて配置されている。第二電極層１３２ｅは、熱伝導層１３２ｃの２つの三角形状領域に長辺を対向させて配置されている。第二電極層１３２ｅの長辺と、当該長辺に対向する熱伝導層１３２ｃの２つの三角形状領域との間隔は、ほぼ一定である。
【０１３４】
熱伝導層１３２ｃの直線領域上には、サーマルパッド１３２ｆが形成されている。サーマルパッド１３２ｆは、長方形状を有している。サーマルパッド１３２ｆは、金属基板１３２のほぼ中央に配置されている。サーマルパッド１３２ｆと熱伝導層１３２ｃとは機械的及び熱的に接触している。
【０１３５】
図１１（ｂ）に示すように、第一ねじ挿通口１３２ｋを介してねじＳ１１をねじ穴１４５ａに締結し、第二ねじ挿通口１３２ｌを介してねじＳ１２をねじ穴１４５ｂに締結して光源取付部１４１に金属基板１３２が固定される。これにより、ベース基板１３２ａと光源取付部１４１とは機械的及び熱的に接触する。その結果、「サーマルパッド１３２ｆ→熱伝導層１３２ｃ→ねじＳ１１，Ｓ１２→光源取付部１４１→放熱部１４２」による第一熱伝導経路が形成される。さらに、「サーマルパッド１３２ｆ→熱伝導層１３２ｃ→ねじＳ１１，Ｓ１２→ベース基板１３２ａ→光源取付部１４１→放熱部１４２」による第二熱伝導経路が形成される。発光素子１３１を金属基板１３２上に実装すると、発光素子１３１の基板実装面は、サーマルパッド１３２ｆに機械的及び熱的に接触される。このため、発光素子１３１で発生した熱は、第一熱伝導経路及び第二熱伝導経路を通って放熱部１４２に到達する。放熱部１４２の一部は、内部空間１１１を流通する流水に接している。内部空間１１１を流通する流水は、冷媒となって、放熱部１４２に達した熱を放熱部１４２から奪う。このように、流水殺菌モジュール１は、光源１３を水冷によって冷却するようになっている。
【０１３６】
金属基板１３２の中央側の第一電極層１３２ｄの端部上には、第一電極パッド１３２ｇが形成されている。金属基板１３２の中央側の第二電極層１３２ｅの端部上には、第二電極パッド１３２ｈが形成されている。第一電極パッド１３２ｇ及び第二電極パッド１３２ｈは、長方形状を有し、サーマルパッド１３２ｆと並列して配置されている。第一電極パッド１３２ｇ及び第二電極パッド１３２ｈは、サーマルパッド１３２ｆを挟んで配置されている。図１１（ａ）に示すサーマルパッド１３２ｆ、第一電極パッド１３２ｇ及び第二電極パッド１３２ｈの形状は、一例であり、発光素子１３１のアノード電極端子及びカソード電極端子の形状や全体の外形状に応じて適宜決定される。
【０１３７】
金属基板１３２の周縁寄りの第一電極層１３２ｄの端部上には、第一配線パッド１３２ｉが形成されている。金属基板１３２の周縁寄りの第二電極層１３２ｅの端部上には、第二配線パッド１３２ｊが形成されている。第一配線パッド１３２ｉ及び第二配線パッド１３２ｊは正方形状を有している。第一電極パッド１３２ｇ及び第一配線パッド１３２ｉは第一電極層１３２ｄを介して電気的に接続されている。第二電極パッド１３２ｈ及び第二配線パッド１３２ｊは第二電極層１３２ｅを介して電気的に接続されている。
【０１３８】
一方の電源ケーブル（不図示）は、第一配線パッド１３２ｉに半田付けされて接続され、ケーブル挿通孔１４６ａに挿通されて流水殺菌モジュール１の外部に引き出される。他方の電源ケーブル（不図示）は、第二配線パッド１３２ｊに半田付けされて接続され、ケーブル挿通孔１４６ｂに挿通されて流水殺菌モジュール１の外部に引き出される。これにより、発光素子１３１に電源供給が可能になる。
【０１３９】
＜流水殺菌モジュール１の動作＞
本実施例による流水殺菌モジュール１の動作について図１２を用いて説明する。  図１２に示すように、流水殺菌モジュール１は、一の外部から第一流入出部材１５を介して流入し、導入空間１２２、第一貫通孔１１２及び内部空間１１１を通って第二流入出部材１６から他の外部に流出する流水ＷＦ２１を形成する。
【０１４０】
流水殺菌モジュール１は、円筒状部１８２の周りを回転しながら第一貫通孔１１２に到達する流水ＷＦ２１を導入空間１２２に形成する。流水殺菌モジュール１は、円筒状部１８２の周りを一方向に回転する流水ＷＦ２１を導入空間１２２に形成するのではなく、円筒状部１８２の周りを一の方向に回転して第一貫通孔１１２に到達する流水ＷＦ２１と、他の方向に回転して第一貫通孔１１２に到達する流水ＷＦ２１とを形成する。流水殺菌モジュール１は、導入空間１２２において反対方向に回転する流水ＷＦ２１同士で互いの水勢を抑制させて整流する。
【０１４１】
流水殺菌モジュール１は、導入空間１２２を流れる液体（本実施例では水）を１箇所（すなわち第一貫通孔１１２）から内部空間１１１に流入することにより、回転しながら第二流入出部材１６に向かう流水ＷＦ２１を内部空間１１１に形成する。流水殺菌モジュール１は、内部空間１１１で回転する流水ＷＦ２１を形成することにより、液体が内部空間１１１に滞在する時間を長くすることができる。その結果、内部空間１１１を流れる液体は、光源１３から出射される紫外線及び円筒状部１８２で反射した紫外線に長時間照射される。これにより、流水殺菌モジュール１は、流水の殺菌効率の向上を図ることができる。なお、第一貫通孔１１２は１箇所でも良いし、複数個所、設けても良い。
【０１４２】
＜流水殺菌モジュール１の効果＞
本実施例による流水殺菌モジュール１の効果について、図９を参照しつつ図１３から図１５を用いて説明する。流水殺菌モジュール１の効果を説明するに当たって、まず、流水殺菌モジュール１と比較する比較例としての流水殺菌モジュールの概略構成及び動作について図１３を用いて説明する。
【０１４３】
１つ目の比較例（比較例１）による流水殺菌モジュール９ａについて図１３（ａ）を用いて説明する。図１３（ａ）に示すように、流水殺菌モジュール９ａは、光源９４の構成を除いて、流水殺菌モジュール１とほぼ同様の構造を有している。流水殺菌モジュール９ａは、流水が流通する内部空間９１１を有する流路管９１を備えている。流水殺菌モジュール９ａは、流水が流入及び流出することが可能な第一流入出口９２１と、第一流入出口９２１から流入する流水を流路管９１に導入し流路管９１から流入する流水を第一流入出口９２１に導入可能な導入空間９２２とを有する流水流入出部９２を備えている。流水流入出部９２は、流路管９１の側壁の周りに配置されている。流路管９１の側壁には、第一流入出口９２１に対して内部空間９１１を挟む位置に貫通孔９１２が形成されている。貫通孔９１２は光源９３（詳細は後述）の近傍で流路管９１の側壁を貫通して形成されている。
【０１４４】
流水殺菌モジュール９ａは、第一流入出口９２１に取り付けられ、導入空間９２２と一の外部との間で流水を流通可能な第一流通口（不図示）を側壁に有する第一流入出部材９５を備えている。また、流水殺菌モジュール９ａは、流路管９１の他端部の側に設けられ内部空間９１１に流水を流入し内部空間９１１から流水を流出可能な第二流入出口９１３に取り付けられ、内部空間９１１と他の外部との間で流水を流通可能な第二流通口（不図示）を側壁に有する第二流入出部材９６を備えている。
【０１４５】
流水殺菌モジュール９ａは、内部空間９１１から隔離された光源９３と、光源９３を内部空間９１１から隔離するための仕切部９７とを備えている。光源９３は４個の発光素子（図１３（ａ）では２個の発光素子９３ａ，９３ｂのみ図示されている）を有している。
【０１４６】
流路管９１、流水流入出部９２、第一流入出部材９５及び第二流入出部材９６は、例えばポリテトラフルオロエチレン（ＰＴＦＥ）で形成されている。仕切部９７は、例えば石英で形成されている。これにより、発光素子９３ａ，９３ｂから照射された紫外線は、仕切部９７を透過して内部空間９１１に進入する。内部空間９１１に進入した紫外線は、流路管９１で効率よく反射される。
【０１４７】
次に、流水殺菌モジュール９ａの動作について説明する。図１３（ａ）に示すように、流水殺菌モジュール９ａは、一の外部から第一流入出部材９５を介して流入し、導入空間９２２、貫通孔９１２及び内部空間９１１を通って第二流入出部材９６から外部に流出する流水ＷＦ９ａを形成する。流水殺菌モジュール９ａは、流路管９１の側壁の周りを一の方向に回転して貫通孔９１２に到達する流水ＷＦ９ａと、他の方向に回転して貫通孔９１２に到達する流水ＷＦ９ａとを形成し、導入空間９２２において流水ＷＦ９ａを整流する。流水殺菌モジュール９ａは、導入空間９２２を流れる流体を１箇所（すなわち貫通孔９１２）から内部空間９１１に流入することにより、回転しながら第二流入出部材９６に向かう流水ＷＦ９ａを内部空間９１１に形成する。これにより、内部空間９１１を流れる水は、光源９３から出射される紫外線及び流路管９１の内表面で反射した紫外線に長時間照射されて殺菌される。
【０１４８】
２つ目の比較例（比較例２）による流水殺菌モジュール９ｂについて図１３（ｂ）を用いて説明する。図１３（ｂ）に示すように、２つ目の比較例としての流水殺菌モジュール９ｂは、流水が流入及び流出することが可能な第一流入出口９１４と、流水が流入及び流出することが可能な第二流入出口９１５と、第一流入出口９１４及び第二流入出口９１５の一方から流入した流水が流通する内部空間９８１とを有する流路管９８を備えている。第一流入出口９１４は、流路管９８の側壁を貫通して設けられている。第二流入出口９１５は、光源９３に対向する対向壁を貫通して設けられている。
【０１４９】
流水殺菌モジュール９ｂは、第一流入出口９１４に取り付けられて内部空間９８１と一の外部との間で流水を流通可能な第一流通口（不図示）を側壁に有する第一流入出部材９５を備えている。また、流水殺菌モジュール９ｂは、第二流入出口９１５に取り付けられて内部空間９８１と他の外部との間で流水を流通可能な第二流通口（不図示）を側壁に有する第二流入出部材９６を備えている。
【０１５０】
流水殺菌モジュール９ｂは、内部空間９８１から隔離された光源９３と、光源９３を内部空間９８１から隔離するための仕切部９７とを備えている。光源９３は４個の発光素子（図１３（ｂ）では２個の発光素子９３ａ，９３ｂのみ図示されている）を有している。
【０１５１】
流路管９８、第一流入出部材９５及び第二流入出部材９６は、例えばポリテトラフルオロエチレン（ＰＴＦＥ）で形成されている。仕切部９７は、例えば石英で形成されている。これにより、発光素子９３ａ，９３ｂから照射された紫外線は、仕切部９７を透過して内部空間９８１に進入する。内部空間９８１に進入した紫外線は、流路管９８で効率よく反射される。
【０１５２】
次に、流水殺菌モジュール９ｂの動作について説明する。図１３（ｂ）に示すように、流水殺菌モジュール９ｂは、一の外部から第一流入出部材９５を介して流入し、内部空間９８１を通って第二流入出部材９６から他の外部に流出する流水ＷＦ９ｂを形成する。流水殺菌モジュール９ｂは、１箇所（すなわち第一流入出部材９５）から内部空間９８１に水を流入することにより、回転しながら第二流入出部材９６に向かう流水ＷＦ９ｂを内部空間９８１に形成する。これにより、内部空間９８１を流れる水は、光源９３から出射される紫外線及び流路管９８の内表面で反射した紫外線に長時間照射されて殺菌される。
【０１５３】
まず、本実施例による流水殺菌モジュール１の減菌率について図１４を用いて説明する。図１４（ａ）は、流水殺菌モジュール１の減菌率を示すグラフである。図１４（ｂ）は、比較例１による流水殺菌モジュール９ａの減菌率を示すグラフである。図１４（ａ）及び図１４（ｂ）に示すグラフにおいて、横軸は、それぞれの流水殺菌モジュールを流れる流体の流量（Ｌ（リットル）／ｍｉｎ（分））を示している。当該グラフの縦軸は、大腸菌（Ｅｓｃｈｅｒｉｃｈｉａ  ｃｏｌｉ：Ｅ．ｃｏｌｉ）の対数減菌率（Ｌｏｇａｒｉｔｈｍｉｃ  Ｒｅｄｕｃｔｉｏｎ  Ｖａｌｕｅ：ＬＲＶ）を示している。図１４（ａ）中に示す◇印は、発光素子１３１の駆動電流が３００ｍＡの場合の減菌率の測定値を表し、□印は、発光素子１３１の駆動電流が４００ｍＡの場合の減菌率の測定値を表している。図１４（ｂ）中に示す◇印は、４個の発光素子の１個当たりの駆動電流が１００ｍＡの場合の減菌率の測定値を表し、□印は、４個の発光素子の１個当たりの駆動電流が２００ｍＡの場合の減菌率の測定値を表し、△印は、４個の発光素子の１個当たりの駆動電流が３００ｍＡの場合の減菌率の測定値を表している。
【０１５４】
図１４（ａ）に示すように、流量が１．０５（Ｌ／ｍｉｎ）の場合に対数減菌率を−４以下とするためには、本実施例による流水殺菌モジュール１では、４００ｍＡの駆動電流が必要になる。これに対し、比較例１による流水殺菌モジュール９ａでは、図１４（ｂ）に示すように、流量が１．０５（Ｌ／ｍｉｎ）の場合に対数減菌率を−４以下とするためには、１２００ｍＡ（＝３００ｍＡ×４個）の駆動電流が必要になる。流水殺菌モジュール１及び流水殺菌モジュール９ａのそれぞれの発光素子の駆動電圧は同じである。このため、流水殺菌モジュール１は、流水殺菌モジュール９ａと比較して、１／３の供給電力で同じかそれ以上（図１４に示すように、流水殺菌モジュール９ａよりも流水殺菌モジュール１の方がＬＲＶの値が小さい）の減菌効率を得ることができる。したがって、流水殺菌モジュール１は、光源１３を流路管１１の内部空間１１１に露出させることにより、流体中に存在する細菌の殺菌効率の向上を図ることができる。さらに、流水殺菌モジュール１は、流水殺菌モジュール９ａと比較して供給電力を低減できるので、光源１３の低発熱化を図ることができる。その結果、流水殺菌モジュール１は、光源１３の長寿命化を図ることができる。
【０１５５】
次に、流水殺菌モジュールの細菌の生残率について図１５を用いて説明する。図１５中に示すグラフの横軸は、流水殺菌モジュールに備えられた光源の出力（ｍＷ）を示している。図１５中に示すグラフの縦軸は、最近の生残率を対数（ｌｏｇ）で示している。
【０１５６】
図１５中に○印で示す測定値は、図１３（ａ）に示す流水殺菌モジュール９ａにおいて得られた値である。但し、流水殺菌モジュール９ａに設けられた第一流入出部材９５の第一流通口は、側壁ではなく先端部を開口した形状を有している。同様に、流水殺菌モジュール９ａに設けられた第二流入出部材９６の第二流通口は、側壁ではなく先端部を開口した形状を有している。一方、図１５中に□印で示す測定値は、図１３（ｂ）に示す流水殺菌モジュール９ｂにおいて得られた値である。但し、流水殺菌モジュール９ａに設けられた第一流入出部材９５の第一流通口は、側壁ではなく先端部を開口した形状を有している。同様に、流水殺菌モジュール９ａに設けられた第二流入出部材９６の第二流通口は、側壁ではなく先端部を開口した形状を有している。
【０１５７】
○印及び□印でそれぞれ示す測定値から明らかなように、流水殺菌モジュールでは、流路管の内部空間に流水を直接流入するよりも第一流入出部の導入空間で整流した後に流路管の内部空間に流水を流入した方が生残率の低減を図ることができる。つまり、○印及び□印で示す測定値は、流水殺菌モジュールの導入空間の効果を示す。
【０１５８】
図１５中に△印で示す測定値は、図１３（ａ）に示す流水殺菌モジュール９ａにおいて得られた値である。但し、流水殺菌モジュール９ａに設けられた第一流入出部材９５の第一流通口は、図９に示す第一流入出部材１５と同様に、側壁に４個設けられた形状を有している。流水殺菌モジュール９ａに設けられた第二流入出部材９６の第二流通口は、図９に示す第二流入出部材１６と同様に、側壁に４個設けられた形状を有している。
【０１５９】
△印及び○印で示す測定値から明らかなように、流水殺菌モジュールでは第一流通口が第一流入出部材の側壁に、第二流通口が第二流入出部材の側壁に設けられている方が、第一流通口が第一流入出部材の先端部に、第二流通口が第二流入出部材の先端部に設けられているよりも低出力で生残率を低減することができる。つまり、△印及び○印で示す測定値は、第一流通口が第一流入出部材の側壁に設けられ、第二流通口が第二流入出部材の側壁に設けられることの効果を示す。また、第一流通口が第一流入出部材の側壁に設けられ、第二流通口が第二流入出部材の側壁に設けられることにより、第一流通空間及び第二流通空間から紫外線が漏洩するのを防止できるという効果も得られる。
【０１６０】
以上説明したように、本実施例による流水殺菌モジュール１は、流路管１１の内部空間１１１に突出し内部空間１１１に向けて紫外線を照射可能に設けられた光源１３を備えている。これにより、流水殺菌モジュール１は、流体中に存在する細菌の殺菌効率の向上を図ることができる。
【０１６１】
また、流水殺菌モジュール１は、流水が流入及び流出することが可能な第一流入出口１２１と、第一流入出口１２１から流入する流水を流路管１１に導入し流路管１１から流入する流水を第一流入出口１２１に導入可能な導入空間１２２とを有する流水流入出部１２を備えている。これにより、流水殺菌モジュール１は、導入空間１２２において整流した流水を導入空間１２２に流入できるので、流体中に存在する細菌の殺菌効率の向上を図ることができる。
【０１６２】
また、流水殺菌モジュール１は、側壁に第一流通口１５１を有する第一流入出部材１５と、側壁に第二流通口１６１を有する第二流入出部材１６とを備えている。これにより、流水殺菌モジュール１は、端部に流通口を有する流入出部材の場合と比較して、光源１３の出力を低減しても流体中に存在する細菌の生残率が維持される。このため、流水殺菌モジュール１は、流体中に存在する細菌の殺菌効率の向上を図ることができる。また、流水殺菌モジュール１は、光源１３を低出力で使用できるため、光源１３の長寿命化を図ることができる。
【０１６３】
また、流水殺菌モジュール１は、少なくとも一部が内部空間１１１及び導入空間１２２の少なくとも一方に露出し光源１３から発生する熱を放熱する放熱部材１４を備えている。これにより、流水殺菌モジュール１は、内部空間１１１及び導入空間１２２の少なくとも一方を流通する流水を冷媒として放熱部材１４を水冷できる。これにより、流水殺菌モジュール１は、空冷と比較して光源１３の冷却効率を向上することができるので、光源１３の長寿命化を図ることができる。
【０１６４】
（実施例２−２）
第２実施形態の実施例２−２による流水殺菌モジュールについて図１６及び図１７を用いて説明する。まず、本実施例による流水殺菌モジュール２の概略構成について図１６を用いて説明する。なお、上記実施例２−１による流水殺菌モジュール１の構成要素と同一の作用・機能を奏する構成要素には同一の符号を付して、その詳細な説明は省略する。また、図１６から図１７に図示されていない光源１３の構成要素については、必要に応じて図１１に示す符号を用いて説明する。
【０１６５】
＜流水殺菌モジュール２の概略構成＞
図１６に示すように、流水殺菌モジュール２は、流水が流通する内部空間２１１を有する流路管２１と、流路管２１の一端部の側から内部空間２１１に突出し内部空間２１１に向けて紫外線を照射可能に設けられた光源１３とを備えている。また、流水殺菌モジュール２は、流水が流入及び流出することが可能な第一流入出口２２１と、第一流入出口２２１から流入する流水を流路管２１に導入し流路管２１から流入する流水を第一流入出口２２１に導入可能な導入空間２２２とを有する流水流入出部２２を備えている。
【０１６６】
また、流水殺菌モジュール２は、少なくとも一部が内部空間２１１及び導入空間２２２の少なくとも一方に露出し光源１３から発生する熱を放熱する放熱部材２４を備えている。本実施例では、放熱部材２４は、内部空間２１１及び導入空間２２２のそれぞれに一部が露出している。また、流水殺菌モジュール２は、第一流入出口２２１に取り付けられ、導入空間２２２と外部との間で流水を流通可能な第一流通口２５１を側壁に有する第一流入出部材２５を備えている。さらに、流水殺菌モジュール２は、流路管２１の他端部の側に設けられ内部空間２１１に流水を流入し内部空間２１１から流水を流出可能な第二流入出口２１３に取り付けられ、内部空間２１１と外部との間で流水を流通可能な第二流通口２６１を側壁に有する第二流入出部材２６を備えている。
【０１６７】
流路管２１は円筒形状を有している。流路管２１の一端部の側は開放されている。流路管２１の他端部の側は、第二流入出口２１３が形成された領域を除いて塞がれている。流路管２１の側壁２１４は、一端部及び他端部の中心よりも一端部寄りの所定位置で厚さが厚くなっている。流路管２１は、この厚さが厚い領域の一端部の側の所定領域における側壁２１４の外表面を切り欠いて形成された切欠き部２１４ｂを有している。側壁２１４は、所定位置で厚さが厚くなるとともに一端部の側に切欠き部２１４ｂを有しているので、流路管２１の側壁２１４の一部には、外側に張り出す張出部２１４ａが形成される。張出部２１４ａは、流路管２１の他端部よりも一端部寄りに設けられている。流路管２１は、張出部２１４ａ及び切欠き部２１４ｂを流水流入出部２２の導入空間２２２に挿入して流水流入出部２２に取り付けられる。
【０１６８】
流水流入出部２２は、流路管２１の挿入側が窄まった壺形状を有している。流水流入出部２２の流路管２１の挿入側は、流路管２１の張出部２１４ａを挿入可能な大きさに開放されている。流水流入出部２２の内壁面の一部は、流路管２１の張出部２１４ａの外表面にならう形状を有している。流水流入出部２２は、流路管２１の張出部２１４ａの外表面を流水流入出部２２の内壁面に接触させた状態で流路管２１を保持できるようになっている。
【０１６９】
流水流入出部２２の底部のほぼ中央には、開口部２２３が形成されている。開口部２２３は、流水流入出部２２の底部を貫通して設けられている。開口部２２３は、上記実施例２−１における開口部１９１ａと同様の作用・機能を奏するようになっている。開口部２２３には、放熱部材２４の光源取付部２４１の裏面（光源１３の設置面の反対側の面）が露出して配置されている。これにより、光源１３に電力を供給するための電源ケーブルは、開口部２２３を介して外部に引き出される。
【０１７０】
流水流入出部２２の底部の内面（導入空間２２２に露出する面）の中央には、開口部２２３を囲んで凹部２２４が形成されている。凹部２２４は、放熱部材２４の板状部２４２ａに沿う外形状を有し、板状部２４２ａの厚さとほぼ同じ深さを有している。これにより、放熱部材２４は、凹部２２４に板状部２４２ａが収まった状態で流水流入出部２２に配置される。このため、放熱部材２４は、流水流入出部２２の底部でずれ難くなる。
【０１７１】
流路管２１が流水流入出部２２に挿入されると、流路管２１は、放熱部材２４の板状部２４２ａに一端部を接触した状態で流水流入出部２２に取り付けられる。流水流入出部２２に取り付けられた流路管２１は、固定部材２８によって流水流入出部２２に固定される。
【０１７２】
図１６に示すように、固定部材２８は、流路管２１を挿入可能な開口を底部に有する薄皿形状を有している。固定部材２８に形成された開口は、流路管２１の側壁２１４のうちの厚さが相対的に薄い部分は挿入できるが、張出部２１４ａは挿入できない大きさに形成されている。固定部材２８の側壁の内表面には雌ねじＦＳ２３が切られている。雌ねじＦＳ２３は、流水流入出部２２の窄まった部分の外壁面に切られた雄ねじＭＳ２３と締結可能なピッチを有している。固定部材２８は、流路管２１を流水流入出部２２に取り付けられた後に雌ねじＦＭ２３及び雄ねじＭＭ２３を互いに締結して流水流入出部２２に取り付けられる。固定部材２８を用いて流路管２１を流水流入出部２２に固定すると、一端部から他端部の方向に流路管２１に力を加えても、固定部材２８の底部が流路管２１の張出部２１４ａに引っ掛かる。このため、流路管２１は流水流入出部２２から外れない。例えば、第二流入出部材２６を流路管２１から取り外す作業を行う場合に一端部から他端部の方向に流路管２１に力が加わるが、当該作業によって流路管２１が流水流入出部２２から外れてしまうことが防止される。
【０１７３】
図１６に示すように、流路管２１は、張出部２１４ａの周方向に形成された溝部２１４ｃを有している。溝部２１４ｃには、ゴムパッキンＰＫ２３が挿入されている。ゴムパッキンＰＫ２３は、一部が溝部２１４ｃから飛び出した状態で取り付けられており、流路管２１を流水流入出部２２に取り付けると、流水流入出部２２の内壁面と溝部２１４ｃで押し潰された状態となる。ゴムパッキンＰＫ２３は、弾性力によって元の状態に戻ろうとして流水流入出部２２の内壁面に力を加える。その結果、ゴムパッキンＰＫ２３は流水流入出部２２の内壁面に密着するので、流水殺菌モジュール２は、導入空間２２２を流通する流水が流路管２１と流水流入出部２２との間から漏洩するのを防止できる。
【０１７４】
流水流入出部２２は、放熱部材２４の板状部２４２ａと対面する場所に形成された環状の溝部２２５を有している。溝部２２５は、流水流入出部２２の底部に設けられた凹部２２４に形成されている。溝部２２５には、ゴムパッキンＰＫ２４が挿入されている。ゴムパッキンＰＫ２４は、一部が溝部２２５から飛び出した状態で取り付けられており、流路管２１を流水流入出部２２に取り付けると、板状部２４２ａと溝部２２５で押し潰された状態となる。ゴムパッキンＰＫ２４は、弾性力によって元の状態に戻ろうとして板状部２４２ａに力を加える。板状部２４２ａを介して溝部２２５上には、流路管２１の一端部が配置されている。このため、板状部２４２ａは、流路管２１によってゴムパッキンＰＫ２４から受ける力よりも強く且つ反対方向に力を受ける。その結果、ゴムパッキンＰＫ２４は板状部２４２ａに密着するので、流水殺菌モジュール２は、導入空間２２２を流れる流水が流水流入出部２２の底部と板状部２４２ａとの間から漏洩するのを防止できる。
【０１７５】
流水流入出部２２の側壁の一部に第一流入出口２２１が形成されている。第一流入出口２２１は、流水流入出部２２の側壁を貫通する貫通孔である。第一流入出口２２１によって形成される流水流入出部２２の内面の一部には、雌ねじＦＳ２１が切られている。雌ねじＦＳ２１は、第一流入出口２２１の周囲の流水流入出部２２の内壁面の所定領域に形成されている。
【０１７６】
第一流入出口２２１には、第一流入出部材２５が取り付けられる。第一流入出部材２５は、例えばポリテトラフルオロエチレン（ＰＴＦＥ）で形成されている。第一流入出部材２５は、溝部２５４を有している点を除いて、上記実施例２−１における第一流入出部材１５と同様の構造を有している。第一流入出部材２５は、流水が流通する第一流通空間２５２と、第一流入出部材２５の外側面の一部が張り出された張出部２５３とを有している。第一流通空間２５２は、上記実施例２−１における第一流入出部材１５の第一流通空間１５２と同様の構造を有し、同様の作用・機能を奏する。張出部２５３は、上記実施例２−１における第一流入出部材１５の張出部１５３と同様の構造を有し、同様の作用・機能を奏する。第一流入出部材２５の他端部側は、流水殺菌モジュール１に流入させたり流出させたりする流水が流通する所定のホース（不図示）を装着可能なホースエンド型の形状に形成されている。
【０１７７】
張出部２５３と第一流入出部材２５の一端部との間であって第一流通空間２５２を閉鎖する閉鎖端の近傍に、複数の第一流通口２５１が形成されている。本実施例では第一流通口２５１は４個（図９では３個のみ図示されている）設けられている。４個の第一流通口２５１は、第一流入出部材２５の一端部側の側壁にほぼ等間隔（約９０°）に設けられている。第一流通口２５１は、上記実施例２−１における第一流入出部材１５の第一流通口１５１と同様の構造を有し、同様の作用・機能を奏する。
【０１７８】
第一流通口２５１と張出部２５３との間の第一流入出部材２５の外表面には、雄ねじＭＳ２１及び溝部２５４が形成されている。雄ねじＭＳ２１は、第一流通口２５１に隣接して第一流入出部材２５の外表面に切られている。溝部２５４は、張出部２５３に隣接して設けられている。雄ねじＭＳ２１は、流水流入出部２２の側壁に形成された雌ねじＦＳ２１と互いに締結可能なピッチを有している。溝部２５４は、第一流入出部材２５の側面の周方向に形成されている。溝部２５４にはゴムパッキンＰＫ２１が挿入されている。張出部２５３と第一流通口２５１との間の第一流入出部材２５の外表面は、第一流入出口２２１によって流水流入出部２２の側壁に形成される内面にならう形状を有している。このため、第一流入出部材２５を一端部側から第一流入出口２２１に挿入して張出部２５３が流水流入出部２２の側壁に接触するまで雄ねじＭＳ２１と雌ねじＦＳ２１とを締結することにより、第一流入出部材２５は、流水流入出部２２に取り付けられる。
【０１７９】
第一流入出部材２５が流水流入出部２２に取り付けられると、第一流入出部材２５の一端部の一部が導入空間２２２に突出し、第一流通口２５１は導入空間２２２に露出される。これにより、導入空間２２２、第一流通口２５１及びび第一流通空間２５２が連通され、外部と導入空間２２２との間を流水が流通可能になる。本実施例では、第一流通空間２５２及び第一流通口２５１を通って外部から導入空間２２２に流水が流入される。
【０１８０】
ゴムパッキンＰＫ２１は、一部が溝部２５４から飛び出した状態で取り付けられており、第一流入出部材２５を流水流入出部２２に取り付けて固定すると、溝部２５４と流水流入出部２２の側壁で押し潰された状態となる。ゴムパッキンＰＫ２１は、弾性力によって元の状態に戻ろうとして流水流入出部２２の側壁に力を加えつつ密着する。これにより、流水殺菌モジュール２は、導入空間２２２を流れる流水が第一流入出口２２１から漏洩するのを防止できる。
【０１８１】
流路管２１及び流水流入出部２２は、例えばポリテトラフルオロエチレン（ＰＴＦＥ）で形成されている。これにより、光源１３から照射される紫外線は、内部空間２１１において流路管２１の内壁面で反射を繰り返すことができるので、流水殺菌モジュール２は、内部空間２１１を流れる流水の殺菌効率を向上することができる。また、流水殺菌モジュール２は、光源１３から照射される紫外線が流水殺菌モジュール２の外部に漏洩するのを防止できる。
【０１８２】
流路管２１の他端部のほぼ中央に設けられた第二流入出口２１３には、第二流入出部材２６が取り付けられる。第二流入出部材２６は、例えばポリテトラフルオロエチレン（ＰＴＦＥ）で形成されている。第二流入出部材２６は、第一流入出部材２５と同一の構造を有し、第二流入出口２１３は第一流入出口２２１と同一の構造を有している。このため、第一流入出部材２５及び第一流入出口２２１の詳細な説明は省略する。
【０１８３】
第二流入出口２１３によって流路管２１の他端部に形成される内面に切られた雌ねじＦＳ２２に第二流入出部材２６に形成された雄ねじＭＳ２２を締結することにより、第二流入出部材２６は第二流入出口２１３に取り付けられる。第二流入出部材２６が第二流入出口２１３に取り付けられると、第二流入出部材２６の一端部の一部が導入空間２２２に突出し、第二流通口２６１は導入空間２２２に露出される。これにより、導入空間２２２、第二流通口２６１及び第二流通空間２６２が連通され、外部と導入空間２２２との間を流水が流通可能になる。本実施例では、第二流通口２６１及び第二流通空間２６２を通って導入空間２２２から外部に流水が流出される。
【０１８４】
ゴムパッキンＰＫ２２は、一部が溝部２６４から飛び出した状態で取り付けられており、第二流入出部材２６を第二流入出口２１３に取り付けて固定すると、溝部２６４と第二流入出口２１３によって形成される流路管２１の内面で押し潰された状態となる。ゴムパッキンＰＫ２２は、弾性力によって元の状態に戻ろうとして流路管２１の当該内面に力を加えつつ密着する。これにより、流水殺菌モジュール２は、導入空間２２２を流れる流水が第二流入出口２１３から漏洩するのを防止できる。
【０１８５】
図１６に示すように、流路管２１は、流路管２１の他端部よりも一端部に近く且つ第一流入出口２２１に対して内部空間２１１を挟む位置に形成されて流路管２１の側壁２１４を貫通する第一貫通孔２１２を有している。第一貫通孔２１２は、流路管２１の側壁２１４の一端部の近傍に形成されている。第一流入出口２２１に対して内部空間２１１を挟む位置には、流路管２１の延在する方向に流水殺菌モジュール２を見た場合に、内部空間２１１の中心を通り且つ第一流入出口２２１の中心軸に一致する直線上の流路管２１の側壁２１４であって第一流入出口２２１から相対的に離れた位置が含まれる。また、第一流入出口２２１に対して内部空間２１１を挟む位置には、この直線上の当該位置に限られず、内部空間２１１の中心軸を回転軸として当該位置に対して±９０°の範囲に含まれる流路管２１の側壁２１４の位置も含まれる。
【０１８６】
流路管２１は、流路管２１の長手方向に延在して側壁２１４に形成された直線溝部２１５を有している。直線溝部２１５は、第一貫通孔２１２の上方に設けられている。直線溝部２１５は、流路管２１を流水流入出部２２に取り付ける際に第一貫通孔２１２の位置を示す目印としての機能を発揮するようになっている。第一貫通孔２１２は、流路管２１が流水流入出部２２の導入空間２２２に挿入されると視認できなくなる。そこで、流水殺菌モジュール２は、直線溝部２１５を用いて第一流入出口２２１に対する第一貫通孔２１２の相対位置を特定できるようになっている。
【０１８７】
第一貫通孔２１２は、内部空間２１１と導入空間２２２とを仕切る流路管２１の側壁２１４を貫通して設けられている。このため、第一貫通孔２１２は、内部空間２１１と導入空間２２２とを連通する連通口となる。これにより、第二流入出部材２６を流路管２１に取り付けると、第一流入出部材２５の第一流通空間２５２、第一流入出部材２５の第一流通口２５１、導入空間２２２、内部空間２１１、第二流入出部材２６の第二流通口２６１及び第二流入出部材２６の第二流通空間２６２が連通される。その結果、流水殺菌モジュール２は、一の外部から流入する流水を内部空間２１１で殺菌した後に他の外部に流出することができる。
【０１８８】
図１６に示すように、放熱部材２４は、光源１３が取り付けられる光源取付部２４１と、板状に形成された板状部２４２ａを有し光源取付部２４１に熱接触して光源１３で発生する熱を放熱する放熱部２４２とを有している。本実施例では、放熱部２４２は、光源取付部２４１と一体に形成されることにより、光源取付部２４１と熱接触するようになっているが、これに限られない。例えば、放熱部２４２と光源取付部２４１とは、異なる部材として形成されており、ねじによって互いに固定されて熱接触したり、接着材によって互いに接着されて熱接触したり、組み合わせ部分に形成されたねじによって互いに締結されたりしてもよい。放熱部材２４は、例えばステンレス鋼（ＳＵＳ）で形成されている。板状部２４２ａは、例えば５ｍｍの厚さを有している。
【０１８９】
流路管２１の一端部は、放熱部２４２の一部に接触して配置されている。より具体的には上述のとおり、流路管２１の側壁２１４の先端部は、放熱部材２４の板状部２４２ａに接触している。放熱部材２４は、板状部２４２ａの大きさが上記実施例２−１における放熱部材１４の板状部１４２ａよりも大きい点を除いて、放熱部材１４と同様の構造を有し、同様の作用・機能を奏するため、説明は省略する。
【０１９０】
図１６に示すように、第二流入出口２１３に対向する光源取付部２４１の平面上に光源１３が配置されている。光源１３を覆って光源取付部２４１にはカバー部材１７が取り付けられている。光源取付部２４１は、上記実施例２−１における光源取付部１４１と同一の外形状を有している。光源取付部２４１の外表面に形成された溝部２４１ａには、上記実施例２−１におけるゴムパッキンＰＫ１３と同一形状のゴムパッキンＰＫ２５を取り付けることができる。また、光源取付部２４１の外表面に形成された溝部２４１ｂには、上記実施例２−１におけるゴムパッキンＰＫ１４と同一形状のゴムパッキンＰＫ２６を取り付けることができる。これにより、ゴムパッキンＰＫ２５，ＰＫ２６を含んで光源取付部２４１を覆ってカバー部材１７を配置できる。その結果、ゴムパッキンＰＫ２５，ＰＫ２６とカバー部材１７とが密着するので、内部空間２１１を流通する流水に光源１３が浸されてしまうのを防止できる。
【０１９１】
光源１３は、紫外線を発光する発光素子１３１と、発光素子１３１の発熱部に接触するサーマルパッド（不図示）を有し、発光素子１３１が実装されて放熱部材２４と熱的に接続された金属基板１３２とを有している。金属基板１３２は、上記実施例２−１における金属基板１３２と同様の構造を有し、同様の作用・機能を奏するため、説明は省略する。
【０１９２】
金属基板１３２は、金属基板１３２に形成された第一ねじ挿通口及び第二ねじ挿通口（不図示）並びに光源取付部２４１に形成されたねじ穴（不図示）を用いて光源取付部２４１にねじ止めされる。これにより、金属基板１３２に設けられたベース基板（不図示）と光源取付部２４１とは機械的及び熱的に接触する。その結果、「金属基板１３２のサーマルパッド１３２ｆ→熱伝導層１３２ｃ→ねじ→光源取付部２４１→放熱部２４２」による第一熱伝導経路が形成される。さらに、「サーマルパッド１３２ｆ→熱伝導層１３２ｃ→ねじ→ベース基板１３２ａ→光源取付部２４１→放熱部２４２」による第二熱伝導経路が形成される。発光素子１３１を金属基板１３２上に実装すると、発光素子１３１の基板実装面は、サーマルパッド１３２ｆに機械的及び熱的に接触される。このため、発光素子１３１で発生した熱は、第一熱伝導経路及び第二熱伝導経路を通って放熱部２４２に到達する。放熱部２４２の一部は、内部空間２１１及び導入空間２２２をそれぞれ流れる流水に接している。内部空間２１１及び導入空間２２２をそれぞれ流れる流水は、冷媒となって、放熱部２４２に達した熱を放熱部２４２から奪う。このように、流水殺菌モジュール２は、光源１３を水冷するようになっている。
【０１９３】
一方の電源ケーブル（不図示）は、金属基板１３２に形成された第一配線パッド１３２ｉに半田付けされ、光源取付部２４１に形成された一方のケーブル挿通孔（不図示）に挿通されて流水殺菌モジュール２の外部に開口部２２３を介して引き出される。他方の電源ケーブル（不図示）は、第二配線パッド１３２ｊに半田付けされ、他方のケーブル挿通孔（不図示）に挿通されて流水殺菌モジュール２の外部に開口部２２３を介して引き出される。これにより、発光素子１３１に電源供給が可能になる。
【０１９４】
＜流水殺菌モジュール２の動作＞
本実施例による流水殺菌モジュール２の動作について図１７を用いて説明する。
図１７に示すように、流水殺菌モジュール２は、一の外部から第一流入出部材２５を介して流入し、導入空間２２２、第一貫通孔２１２及び内部空間２１１を通って第二流入出部材２６から他の外部に流出する流水ＷＦ２２を形成する。
【０１９５】
流水殺菌モジュール２は、流路管２１の周りを回転しながら第一貫通孔２１２に到達する流水ＷＦ２２を導入空間２２２に形成する。流水殺菌モジュール２は、流路管２１の周りを一方向に回転する流水ＷＦ２２を導入空間２２２に形成するのではなく、流路管２１の周りを一の方向に回転して第一貫通孔２１２に到達する流水ＷＦ２２と、他の方向に回転して第一貫通孔２１２に到達する流水ＷＦ２２とを形成する。流水殺菌モジュール２は、導入空間２２２において反対方向に回転する流水ＷＦ２２同士で互いの水勢を抑制させて整流する。
【０１９６】
流水殺菌モジュール２は、導入空間２２２を流れる液体（本実施例では水）を１箇所（すなわち第一貫通孔２１２）から内部空間２１１に流入することにより、回転しながら第二流入出部材２６に向かう流水ＷＦ２２を内部空間２１１に形成する。流水殺菌モジュール２は、内部空間２１１で回転する流水ＷＦ２２を形成することにより、液体が内部空間２１１に滞在する時間を長くすることができる。その結果、内部空間２１１を流れる液体は、光源１３から出射される紫外線及び流路管２１で反射した紫外線に長時間照射される。これにより、流水殺菌モジュール２は、流水の殺菌効率の向上を図ることができる。
【０１９７】
以上説明したように、本実施例による流水殺菌モジュール２は、流路管２１の内部空間２１１に突出し内部空間２１１に向けて紫外線を照射可能に設けられた光源１３を備えている。また、流水殺菌モジュール２は、流水が流入及び流出することが可能な第一流入出口２２１と、第一流入出口２２１から流入する流水を流路管２１に導入し流路管２１から流入する流水を第一流入出口２２１に導入可能な導入空間２２２とを有する流水流入出部２２を備えている。また、流水殺菌モジュール２は、側壁に第一流通口２５１を有する第一流入出部材２５と、側壁に第二流通口２６１を有する第二流入出部材２６とを備えている。さらに、流水殺菌モジュール２は、少なくとも一部が内部空間２１１及び導入空間２２２の少なくとも一方に露出し光源１３から発生する熱を放熱する放熱部材２４を備えている。これにより、流水殺菌モジュール２は、上記実施例２−１による流水殺菌モジュール１と同様の効果が得られる。
【０１９８】
（実施例２−３）
第３実施形態の実施例２−３による流水殺菌モジュールについて図１８から図２０を用いて説明する。まず、本実施例による流水殺菌モジュール３の概略構成について図１８及び図１９を用いて説明する。なお、上記実施例２−１及び上記実施例２−２による流水殺菌モジュールの少なくとも一方の構成要素と同一の作用・機能を奏する構成要素には同一の符号を付して、その詳細な説明は省略する。また、図１８から図２０に図示されていない光源１３の構成要素については、必要に応じて図１１に示す符号を用いて説明する。
【０１９９】
＜流水殺菌モジュール３の概略構成＞
図１８に示すように、流水殺菌モジュール３は、流水が流通する内部空間２１１を有する流路管２１と、流路管２１の一端部の側から内部空間２１１に突出し内部空間２１１に向けて紫外線を照射可能に設けられた光源１３とを備えている。また、流水殺菌モジュール３は、流水が流入及び流出することが可能な側壁流入出口（第一流入出口の一例）３２１及び底部流入出口（第一流入出口の一例）３２４と、側壁流入出口３２１及び底部流入出口３２４の一方から流入する流水を流路管２１に導入し流路管２１から流入する流水を側壁流入出口３２１及び底部流入出口３２４の一方に導入可能な導入空間３２２とを有する流水流入出部３２を備えている。
【０２００】
また、流水殺菌モジュール３は、少なくとも一部が内部空間２１１及び導入空間３２２の少なくとも一方に露出し光源１３から発生する熱を放熱する放熱部材３４を備えている。本実施例では、放熱部材３４は、内部空間２１１及び導入空間３２２のそれぞれに一部が露出している。また、流水殺菌モジュール３は、導入空間３２２と外部との間で流水を流通可能な第一流通口２５１を側壁に有する第一流入出部材２５を備えている。第一流入出部材２５は、側壁流入出口３２１及び底部流入出口３２４の一方に取り付けられている。さらに、流水殺菌モジュール３は、内部空間２１１と外部との間で流水を流通可能な第二流通口２６１を側壁に有する第二流入出部材２６を備えている。第二流入出部材２６は、流路管２１の他端部の側に設けられ内部空間２１１に流水を流入し内部空間２１１から流水を流出可能な第二流入出口２１３に取り付けられる。
【０２０１】
流路管２１は、上記実施例２−２における流路管２１と同一の構造を有しているため、詳細な説明は省略する。流路管２１は、流路管２１の張出部２１４ａ及び切欠き部２１４ｂを流水流入出部３２の導入空間３２２に挿入して流水流入出部３２に取り付けられる。
【０２０２】
流水流入出部３２は、薄板円形状の底部３２ａと、底部３２ａの周縁から屹立する側壁３２ｂとを有し、全体として円筒形状を有している。底部３２ａ及び側壁３２ｂは一体に形成されている。流路管２１が挿入される側の側壁３２ｂの端部は、流路管２１の張出部２１４ａを挿入可能な大きさに開放されている。側壁３２ｂの内面は、２つの段差部が設けられている。底部３２ａ側の段差部には、放熱部材３４の板状部３４２ａが配置される。もう一方の段差部は、流路管２１の張出部２１４ａの外表面にならう形状を有している。これにより、流路管２１を流水流入出部３２に取り付けた場合に、側壁３２ｂの内面と流路管２１の張出部２１４ａの外表面とが面接触できるようになっている。
【０２０３】
図１８に示すように、流路管２１の張出部２１４ａに形成された溝部２１４ｃに挿入されたゴムパッキンＰＫ２３は、流路管２１を流水流入出部３２に取り付けると、流水流入出部３２の側壁３２ｂの内表面と溝部２１４ｃとで押し潰された状態となる。ゴムパッキンＰＫ２３は、弾性力によって元の状態に戻ろうとして側壁３２ｂの内表面に力を加える。その結果、ゴムパッキンＰＫ２３は側壁３２ｂの内表面に密着するので、流水殺菌モジュール３は、導入空間３２２を流れる流水が流路管２１と流水流入出部３２との間から漏洩するのを防止できる。
【０２０４】
流路管２１が流水流入出部３２に挿入されると、流路管２１は、放熱部材３４の板状部３４２ａ（詳細は後述）に一端部を接触した状態で流水流入出部３２に取り付けられる。流水流入出部３２に取り付けられた流路管２１は、固定部材３８によって流水流入出部３２に固定される。
【０２０５】
図１８に示すように、固定部材３８は、側壁の長さ及び雌ねじＦＳ３３の長さが異なる点を除いて、上記実施例２−２における固定部材２８と同様の構造を有し、同様の作用・機能を奏するようになっている。固定部材３８は、流路管２１を挿入可能な開口を底部に有する薄皿形状を有している。固定部材３８に形成された開口は、流路管２１の側壁２１４のうちの厚さが相対的に薄い部分は挿入できるが、張出部２１４ａは挿入できない大きさに形成されている。固定部材３８の側壁の内表面には雌ねじＦＳ３３が切られている。雌ねじＦＳ３３は、流水流入出部２２の側壁３２ｂの外表面に切られた雄ねじＭＳ３３と締結可能な形状を有している。固定部材３８は、流路管２１を流水流入出部３２に取り付けられた後に雌ねじＦＭ３３及び雄ねじＭＭ３３を互いに締結して流水流入出部３２に取り付けられる。固定部材３８を用いて流路管２１を流水流入出部３２に固定すると、一端部から他端部の方向に流路管２１に力を加えても、固定部材３８の底部が流路管２１の張出部２１４ａに引っ掛かる。このため、流路管２１は流水流入出部３２から外れない。例えば、第二流入出部材２６を流路管２１から取り外す作業を行う場合に一端部から他端部の方向に流路管２１に力が加わるが、当該作業によって流路管２１が流水流入出部３２から外れてしまうことが防止される。
【０２０６】
流路管２１及び流水流入出部３２は、例えばポリテトラフルオロエチレン（ＰＴＦＥ）で形成されている。これにより、光源１３から照射される紫外線は、内部空間２１１において流路管２１の内壁面で反射を繰り返すことができるので、流水殺菌モジュール３は、内部空間２１１を流れる流水の殺菌効率を向上することができる。また、流水殺菌モジュール３は、光源１３から照射される紫外線が流水殺菌モジュール２の外部に漏洩するのを防止できる。
【０２０７】
流水流入出部３２の底部３２ａの中央には、開口部３２３が形成されている。開口部３２３は、底部３２ａを貫通して設けられている。開口部３２３にはキャップ部材３０が配置されている。キャップ部材３０は、光源１３に電力を供給する電源ケーブル（不図示）を底部３２ａに形成された溝部３２６の側に配線させて流水殺菌モジュール３の外部に引き出すために設けられている。キャップ部材３０の詳細は後述する。
【０２０８】
流水流入出部３２は、第一流入出口として側壁流入出口３２１及び底部流入出口３２４を有している。側壁流入出口３２１は、側壁３２ｂを貫通して形成されている。底部流入出口３２４は、底部３２ａを貫通して形成されている。底部流入出口３２４は、開口部３２３を挟んで溝部３４５ｂと対向して配置されている。側壁流入出口３２１は、放熱部材３４の板状部３４２ａが配置される段差部と底部３２ａとの間に設けられている。側壁流入出口３２１は、底部流入出口３２４の近傍に形成されている。
【０２０９】
側壁流入出口３２１及び底部流入出口３２４は、互いに同じ大きさを有する貫通孔である。また、側壁流入出口３２１によって形成される側壁３２ｂの内面と、底部流入出口３２４によって形成される底部３２ａの内面とは、同一の形状を有している。すなわち、側壁流入出口３２１によって形成される側壁３２ｂの内面に形成される雌ねじＦＳ３１と、底部流入出口３２４によって形成される底部３２ａの内面に形成される雌ねじＦ３２とは、同一の形状を有している。さらに、側壁３２ｂの当該内面における雌ねじＦＳ３１の相対的な形成位置及び形成領域と、底部３２ａの当該内面における雌ねじＦ３２の相対的な形成位置及び形成領域とは、同一になっている。これにより、側壁流入出口３２１及び底部流入出口３２４のいずれにも、第一流入出部材２５を取り付けることができる。図１８では、側壁流入出口３２１に第一流入出部材２５が取り付けられた状態が図示されている。
【０２１０】
側壁流入出口３２１及び底部流入出口３２４のうち、流水の流入口として使用しない方には、栓部材３９が取り付けられる。図１８では、底部流入出口３２４に栓部材３９が取り付けられた状態が図示されている。図１８に示すように、栓部材３９は、円柱形状を有している。栓部材３９は、第一流通空間２５２を有していない点を除いて、第一流入出部材２５の張出部２５３と第一流通口２５１との間の形状と同一の形状を有している。つまり、栓部材３９の外壁面の一部に形成された雄ねじＭＳ３４と、第一流入出部材２５の外壁面の一部に形成された雄ねじＭＳ２１とは、同一の形状を有している。また、栓部材３９の外壁面における雄ねじＭＳ３４の相対的な形成位置及び形成領域と、張出部２５３と第一流通口２５１との間の領域の第一流入出部材２５の外壁面における雄ねじＭＳ２１の相対的な形成位置及び形成領域とは、同一になっている。さらに、雄ねじＭＳ２１及び雄ねじＭＳ３４はいずれも、雌ねじＦＳ３１及び雌ねじＦＳ３４に締結可能な形状を有している。これにより、栓部材３９は、側壁流入出口３２１及び底部流入出口３２４のいずれにも取り付けることができる。
【０２１１】
また、栓部材３９は、雄ねじＭＳ３４に隣接して外壁面の一部に形成された溝部３９１を有している。溝部３９１は、栓部材３９の外壁面の周方向に形成されている。溝部３９１にはゴムパッキンＰＫ３５が取り付けられている。ゴムパッキンＰＫ３５は、一部が溝部３９１から飛び出した状態で取り付けられている。ゴムパッキンＰＫ３５は、栓部材３９を側壁流入出口３２１（又は底部流入出口３２４）に取り付けて固定されると、溝部３９１と側壁流入出口３２１によって形成される側壁３２ｂの内面（又は底部流入出口３２４によって形成される底部３２ａの内面）で押し潰された状態となる。ゴムパッキンＰＫ３５は、弾性力によって元の状態に戻ろうとして側壁３２ｂの内面（又は底部３２ａの内面）に力を加えつつ密着する。これにより、流水殺菌モジュール３は、導入空間２２２を流れる流水が未使用状態にある側壁流入出口３２１又は底部流入出口３２４から漏洩するのを防止できる。
【０２１２】
第一流入出部材２５が側壁流入出口３２１及び底部流入出口３２４の一方に取り付けられると、第一流入出部材２５の一端部の一部が流水流入出部３２の導入空間３２２に突出し、第一流通口２５１は導入空間３２２に露出される。これにより、導入空間３２２、第一流通口２５１及び第一流通空間２５２が連通され、外部と導入空間３２２との間を流水が流通可能になる。本実施例では、第一流通空間２５２及び第一流通口２５１を通って外部から導入空間３２２に流水が流入される。
【０２１３】
第一流入出部材２５に取り付けられたゴムパッキンＰＫ２１は、一部が溝部２５４から飛び出した状態で取り付けられている。このため、第一流入出部材２５が側壁流入出口３２１及び底部流入出口３２４の一方に取り付けられると、ゴムパッキンＰＫ２１は、栓部材３９のゴムパッキンＰＫ３５と同様の機能を発揮する。これにより、流水殺菌モジュール３は、導入空間３２２を流れる流水が側壁流入出口３２１及び底部流入出口３２４のうちの第一流入出部材２５が取り付けられた方から漏洩するのを防止できる。
【０２１４】
図１８に示すように、流路管２１は、流路管２１の他端部よりも一端部に近く且つ側壁流入出口３２１及び底部流入出口３２４（いずれも第一流入出口の一例）の上方に形成されて流路管２１の側壁２１４を貫通する第一貫通孔２１２を有している。流水殺菌モジュール３では、上記実施例による流水殺菌モジュール１，２と異なり、第一貫通孔２１２は、側壁流入出口３２１及び底部流入出口３２４に対して内部空間２１１を挟まない位置に配置されている。
【０２１５】
流路管２１の延在する方向に流水殺菌モジュール３を見た場合に、側壁流入出口３２１の上方には、側壁流入出口３２１の中心軸上の流路管２１の側壁２１４の一部であって内部空間２１１の中点よりも側壁流入出口３２１に近い部分が含まれる。また、側壁流入出口３２１の上方には、側壁流入出口３２１の中心軸上の当該部分に限られず、内部空間２１１の中心軸を回転軸として当該部分に対して±９０°よりも小さい範囲に含まれる流路管２１の側壁２１４の部分も含まれる。
【０２１６】
底部流入出口３２４の上方には、流路管２１の延在する方向に流水殺菌モジュール３を見た場合に、第一貫通孔２１２の少なくとも一部が、底部流入出口３２４の少なくとも一部と重なる領域が含まれる。また、底部流入出口３２４の上方には、当該領域に限られず、底部流入出口３２４の中心軸と第一貫通孔２１２の中心軸とが交差する位置を起点とし、内部空間２１１の中心軸を回転軸として±９０°よりも小さい範囲に含まれる流路管２１の側壁２１４の部分も含まれる。
【０２１７】
図１８に示すように、放熱部材３４は、光源１３が取り付けられる光源取付部３４１と、板状に形成された板状部３４２ａを有し光源取付部３４１に熱接触して光源１３で発生する熱を放熱する放熱部３４２とを有している。流路管２１の一端部は、放熱部３４２の一部に接触して配置されている。本実施例では、流路管２１の一端部が接触する放熱部３４２の一部は、板状部３４２ａである。本実施例では、放熱部３４２は、光源取付部３４１と一体に形成されることにより、光源取付部３４１と熱接触するようになっているが、これに限られない。例えば、放熱部３４２と光源取付部３４１とは、異なる部材として形成されており、ねじによって互いに固定されて熱接触したり、接着材によって互いに接着されて熱接触したり、組み合わせ部分に形成されたねじによって互いに締結されたりしてもよい。放熱部材３４は、例えばステンレス鋼（ＳＵＳ）で形成されている。
【０２１８】
板状部３４２ａは、例えば５ｍｍの厚さを有している。また、板状部３４２ａは、例えば５ｍｍよりも薄い厚さを有していてもよい。板状部３４２ａの熱抵抗が高くなり、光源１３で発生した熱が板状部３４２ａに伝わり難くなる。このため、放熱部３４２は、光源１３が発生した熱を主に突出部３４２ｂ（詳細は後述）で放熱することになる。
【０２１９】
図１８、図１９（ｂ）及び図１９（ｃ）に示すように、放熱部材３４は、流路管２１の内部空間２１１に露出せず且つ第一貫通孔２１２に対して内部空間２１１を挟む位置に形成されて放熱部３４２を貫通する第二貫通孔３４３を有している。第二貫通孔３４３は、板状部３４２ａの周縁に形成されている。第二貫通孔３４３の少なくとも一部は、流路管２１の一端部における側壁２１４の外表面を切り欠いて形成された切欠き部２１４ｂに露出されている（図１８参照）。第二貫通孔３４３は、第一流入出部材２５から導入空間３２２に流入する流水の流量以上の流水を通過できる程度に切欠き部２１４ｂに露出されていればよい。これにより、流水殺菌モジュール３は、導入空間３２２における流水の滞留を防止しして、導入空間３２２を効率よく流水を流通できる。なお、本実施例では、第二貫通孔３４３の全体が切欠き部２１４ｂに露出されている。
【０２２０】
図１８及び図１９（ｃ）に示すように、第一貫通孔２１２は、切欠き部２１４ｂに形成されている。流水殺菌モジュール３は、切欠き部２１４ｂと、流水流入出部３２の内壁面と、放熱部材３４の板状部３４２ａの表面とで内部空間２１１の周囲に形成された回廊部３３を備えている。回廊部３３には、第一貫通孔２１２と、第二貫通孔３４３の少なくとも一部（本実施例では全部）が露出されている。これにより、回廊部３３は、流路管２１の内部空間２１１と流水流入出部３２の導入空間３２２とを連通する空間を構成する。このため、回廊部３３は、導入空間３２２から第二貫通孔３４３を通って流入する流水を第一貫通孔２１２から内部空間２１１に流出させることができる。さらに、回廊部３３は、内部空間２１１から第一貫通孔２１２を通って流入する流水を第二貫通孔３４３から導入空間３２２に流出させることができる。
【０２２１】
ここで、第一貫通孔２１２に対して内部空間２１１を挟む位置には、流路管２１の延在する方向に流水殺菌モジュール３を見た場合に、内部空間２１１の中心を通り且つ第一貫通孔２１２の中心軸に一致する直線上の、回廊部３３を構成する板状部３４２ａの周縁であって第一貫通孔２１２から相対的に離れた位置が含まれる。また、第一貫通孔２１２に対して内部空間２１１を挟む位置には、この直線上の当該位置に限られず、内部空間３１１の中心軸を回転軸として当該位置に対して±９０°の範囲に含まれて回廊部３３を構成する板状部３４２ａの周縁も含まれる。
【０２２２】
第一流入出部材２５を側壁流入出口３２１及び底部流入出口３２４の一方に取り付けると、第一流通口２５１は導入空間３２２に露出する。これにより、導入空間３２２、第一流通口２５１及び第一流通空間２５２が連通され、一の外部と導入空間３２２との間を流水が流通可能になる。また、第二流入出部材１６を第二流入出口２１３に取り付けると、第二流通口２６１が内部空間２１１に露出する。これにより、内部空間２１１、第二流通口２６１及び第二流通空間２６２が連通され、他の外部と内部空間２１１との間を流水が流通可能になる。内部空間２１１と導入空間３２２とは第一貫通孔２１２、回廊部３３及び第二貫通孔３４３によって繋がっている。このため、流水殺菌モジュール３は、一の外部又は他の外部（本実施例では一の外部）から流入する流水を内部空間２１１で殺菌し、他の外部又は一の外部（本実施例では他の外部）に殺菌した流水を流出することができる。
【０２２３】
流水殺菌モジュール３を組み立てる場合、放熱部材３４、流路管２１及び固定部材３８がこの順に流水流入出部３２に取り付けられる。放熱部材３４を流水流入出部３２に取り付ける際に、側壁流入出口３２１、底部流入出口３２４及び第二貫通孔３４３は視認できる状態にある。このため、側壁流入出口３２１及び底部流入出口３２４と、第二貫通孔３４３との相対位置関係は、側壁流入出口３２１、底部流入出口３２４及び第二貫通孔３４３を確認しながら特定できる。これに対し、流路管２１を流水流入出部３２に取り付ける際に流路管２１が流水流入出部３２の導入空間３２２に挿入されると、第一貫通孔２１２及び第二貫通孔３４３は視認できなくなる。しかしながら、流路管２１には、直線溝部２１５が形成されているため、直線溝部２１５を用いて第一貫通孔２１２及び第二貫通孔３４３の相対位置が特定できる。
【０２２４】
図１８に示すように、放熱部３４２は、板状部３４２ａから導入空間３２２に突出して形成されて側壁流入出口３２１及び底部流入出口３２４と第二貫通孔３４３との間に配置される突出部３４２ｂを有している。突出部３４２ｂは、筒状に形成されている。突出部３４２ｂの内部には、光源１３に電力を供給する不図示の電線（電源ケーブル）が配線される。突出部３４２ｂの内部には、突出部３４２ｂに囲まれて内側空間３４４が形成されている。内側空間３４４は、突出部３４２ｂ及び流水流入出部３２の底部３２ａによって導入空間３２２と分離された空間となっている。このため、内側空間３４４には、導入空間３２２を流通する流水が流入しないようになっている。
【０２２５】
図１８及び図１９（ａ）に示すように、突出部３４２ｂは、導入空間３２２のほぼ中央に配置されている。突出部３４２ｂは、放熱部材３４を流水流入出部３２に設置すると、突出部３４２ｂの端部側の一部が、底部３２ａの開口部３２３に挿入される。これにより、突出部３４２ｂは導入空間３２２を横切って配置される。その結果、導入空間３２２は環状の空間となる。図１９（ａ）に示すように、側壁流入出口３２１に取り付けられた第一流入出部材２５（図１９では不図示）の複数の第一流通口２５１から流入する流水は、突出部３４２ｂを迂回して第二貫通孔３４３が配置されている側に向かう。このように、導入空間３２２に流入する流水は、流れる方向がある程度制限されることによって整流される。したがって、導入空間３２２は、流水を整流する整流部としての機能を発揮するようになっている。
【０２２６】
図１８に示すように、突出部３４２ｂの内壁面には凹状部３４２ｃが形成されている。凹状部３４２ｃは、突出部３４２ｂの内壁面の周方向に形成されている。凹状部３４２ｃは、放熱部材３４を流水流入出部３２に設置した場合に、底部３２ａに囲まれる位置に配置される。凹状部３４２ｃには、底部３２ａの開口部３２３に挿入されたキャップ部材３０の凸状部３０２ｂが嵌め合わされる。これにより、キャップ部材３０は、開口部３２３を塞いだ状態で放熱部材３４に取り付けられる。
【０２２７】
ここでキャップ部材３０について説明する。図１８に示すように、キャップ部材３０は、開口部３２３を塞ぐ大きさに形成されて薄板円盤状の底板３０１と、底板３０１から屹立して形成された円筒状の側壁３０２とを有している。側壁３０２は、側壁３０２の一部を切り欠いて形成された複数の切欠き部３０２ａと、側壁３０２の端部の周囲で外側に向かって突出する凸状部３０２ｂとを有している。本実施例では、側壁３０２は、４個の切欠き部３０２ａを有している。なお、図１８では、３個の切欠き部３０２ａが図示されている。切欠き部３０２ａは、Ｕ字状に形成されている。４個の切欠き部３０２ａは、ほぼ等間隔（約９０°）に設けられている。詳細は後述するが、切欠き部３０２ａは、光源取付部３４１から内側空間３４４に引き出された電源ケーブルを溝部３２６に引き回わすために用いられる。
【０２２８】
図１８に示すように、光源取付部３４１が内側空間３４４に接する平面とは反対側の平面上に光源１３が配置されている。光源１３を覆って光源取付部３４１にはカバー部材１７が取り付けられている。カバー部材１７は、光源取付部３４１に形成された溝部３４１ａ，３４１ｂに取り付けられたゴムパッキンＰＫ３６，ＰＫ３７を含んで光源取付部３４１を覆って配置されている。これにより、ゴムパッキンＰＫ３６，ＰＫ３７とカバー部材１７とが密着するので、内部空間２１１を流通する流水に光源１３が浸されてしまうのを防止できる。
【０２２９】
金属基板１３２は、金属基板１３２に形成された第一ねじ挿通口１３２ｋ及び第二ねじ挿通口１３２ｌ並びに光源取付部３４１に形成されたねじ穴（不図示）を用いて光源取付部３４１にねじ止めされる。これにより、金属基板１３２に設けられたベース基板１３２ａと光源取付部３４１とは機械的及び熱的に接触する。その結果、「金属基板１３２のサーマルパッド１３２ｆ→熱伝導層１３２ｃ→ねじ→光源取付部３４１→放熱部３４２」による第一熱伝導経路が形成される。さらに、「サーマルパッド１３２ｆ→熱伝導層１３２ｃ→ねじ→ベース基板１３２ａ→光源取付部３４１→放熱部３４２」による第二熱伝導経路が形成される。発光素子１３１を金属基板１３２上に実装すると、発光素子１３１の基板実装面は、サーマルパッド１３２ｆに機械的及び熱的に接触される。このため、発光素子１３１で発生した熱は、第一熱伝導経路及び第二熱伝導経路を通って放熱部３４２に到達する。放熱部３４２の一部は、内部空間２１１及び導入空間３２２を流通するそれぞれの流水に接している。内部空間２１１及び導入空間３２２を流通するそれぞれの流水は、冷媒となって、放熱部３４２に達した熱を放熱部３４２から奪う。このように、流水殺菌モジュール３は、光源１３を水冷するようになっている。
【０２３０】
一方の電源ケーブル（不図示）は、金属基板１３２に形成された第一配線パッド１３２ｉに半田付けされ、光源取付部３４１に形成されたケーブル挿通孔３４６ａに挿通されて内側空間３４４に引き出される。他方の電源ケーブル（不図示）は、第二配線パッド１３２ｊに半田付けされ、ケーブル挿通孔３４６ｂに挿通されて内側空間３４４に引き出される。キャップ部材３０は、４個の切欠き部３０２ａのうちの１個の切欠き部３０２ａを溝部３２６に合わせて放熱部材３４に取り付けられる。キャップ部材３０が放熱部材３４に取り付けられると、放熱部材３４の突出部３４２ｂの端部は底板３０１で塞がれる。放熱部材３４の突出部３４２ｂの端部が底板３０１で塞がれても、内側空間３４４は、溝部３２６及び切欠き部３０２ａによって外部と連通されている。このため、流水殺菌モジュール３は、光源取付部３４１のケーブル挿通孔３４６ａ，３４６ｂから内側空間３４４に引き出された２本の電源ケーブル（不図示）を、切欠き部３０２ａ及び溝部３２６を介して外部に引き回すことができる。これにより、流水殺菌モジュール３は、電源ケーブルを流水に接触させずに発光素子１３１に電力を供給することができる。
【０２３１】
＜流水殺菌モジュール３の動作＞
本実施例による流水殺菌モジュール３の動作について図１９を参照しつつ図２０を用いて説明する。図２０では、側壁流入出口３２１及び底部流入出口３２４のいずれに第一流入出部材２５が取り付けられても同じ流水が流水殺菌モジュール３に形成されることを示すため、側壁流入出口３２１及び底部流入出口３２４のそれぞれに第一流入出部材２５が取り付けられた状態が図示されている。
【０２３２】
図２０に示すように、流水殺菌モジュール３は、一の外部から第一流入出部材２５を介して流体を流入し、導入空間３２２、第二貫通孔３４３、回廊部３３、第一貫通孔２１２及び内部空間２１１を通って第二流入出部材２６から他の外部に流出する流水ＷＦ２３を形成する。
【０２３３】
図１９（ａ）及び図２０に示すように、流水殺菌モジュール３は、放熱部材３４の突出部３４２ｂの周りを回転しながら第二貫通孔３４３に到達する流水ＷＦ２３を導入空間３２２に形成する。流水殺菌モジュール３は、突出部３４２ｂの周りを一方向に回転する流水ＷＦ２３を導入空間３２２に形成するのではなく、突出部３４２ｂの周りを一の方向に回転して第二貫通孔３４３に到達する流水ＷＦ２３と、他の方向に回転して第二貫通孔３４３に到達する流水ＷＦ２３とを形成する。このように、導入空間３２２に流入する流水ＷＦ２３は、流れる方向がある程度制限されることによって整流される。導入空間３２２は、流水ＷＦ２３を整流する整流部としての機能を発揮するようになっている。
【０２３４】
図１９（ｂ）及び図２０に示すように、流水殺菌モジュール３は、導入空間３２２を流れる液体（本実施例では水）を１箇所（すなわち第二貫通孔３４３）から流入して第一貫通孔２１２に到達する流水ＷＦ２３を回廊部３３に形成する。図１９（ｃ）に示すように、流水殺菌モジュール３は、流路管２１の周りを一方向に回転する流水ＷＦ２３を回廊部３３に形成するのではなく、流路管２１の周りを一の方向に回転して第一貫通孔２１２に到達する流水ＷＦ２３と、他の方向に回転して第一貫通孔２１２に到達する流水ＷＦ２３とを形成する。
【０２３５】
流水殺菌モジュール３は、回廊部３３を流れる液体（本実施例では水）を１箇所（すなわち第一貫通孔２１２）から内部空間２１１に流入することにより、回転しながら第二流入出部材２６に向かう流水ＷＦ２３を内部空間２１１に形成する。流水殺菌モジュール３は、内部空間２１１で回転する流水ＷＦ２３を形成することにより、液体が内部空間２１１に滞在する時間を長くすることができる。その結果、内部空間２１１を流れる液体は、光源１３から出射される紫外線及び流路管２１で反射した紫外線に長時間照射される。これにより、流水殺菌モジュール３は、流水の殺菌効率の向上を図ることができる。
【０２３６】
以上説明したように、本実施例による流水殺菌モジュール３は、流路管２１の内部空間２１１に突出し内部空間２１１に向けて紫外線を照射可能に設けられた光源１３を備えている。また、流水殺菌モジュール３は、流水が流入及び流出することが可能な側壁流入出口３２１及び底部流入出口３２４と、側壁流入出口３２１及び底部流入出口３２４から流入する流水を流路管２１に導入し流路管２１から流入する流水を側壁流入出口３２１及び底部流入出口３２４に導入可能な導入空間３２２とを有する流水流入出部３２を備えている。また、流水殺菌モジュール３は、側壁に第一流通口２５１を有する第一流入出部材２５と、側壁に第二流通口２６１を有する第二流入出部材２６とを備えている。さらに、流水殺菌モジュール３は、少なくとも一部が内部空間２１１及び導入空間３２２の少なくとも一方に露出し光源１３から発生する熱を放熱する放熱部材３４を備えている。これにより、流水殺菌モジュール３は、上記実施例２−１による流水殺菌モジュール１と同様の効果が得られる。
【０２３７】
（実施例２−４）
第２実施形態の実施例２−４による流水殺菌モジュールについて図２１及び図２２を用いて説明する。まず、本実施例による流水殺菌モジュール４の概略構成について図２１を用いて説明する。なお、上記実施例２−１から上記実施例２−３による流水殺菌モジュールの少なくともいずれかの構成要素と同一の作用・機能を奏する構成要素には同一の符号を付して、その詳細な説明は省略する。また、図２１及び図２２に図示されていない光源１３の構成要素については、必要に応じて図１１に示す符号を用いて説明する。
【０２３８】
＜流水殺菌モジュールの概略構成＞
図２１に示すように、流水殺菌モジュール４は、流水が流通する内部空間２１１を有する流路管２１と、流路管２１の一端部の側から内部空間２１１に突出し内部空間２１１に向けて紫外線を照射可能に設けられた光源１３とを備えている。また、流水殺菌モジュール４は、流水が流入及び流出することが可能な側壁流入出口（第一流入出口の一例）４２１及び底部流入出口（第一流入出口の一例）４２４と、側壁流入出口４２１及び底部流入出口４２４から流入する流水を流路管２１に導入し流路管２１から流入する流水を側壁流入出口４２１及び底部流入出口４２４に導入可能な導入空間４２２とを有する流水流入出部４２を備えている。
【０２３９】
また、流水殺菌モジュール４は、少なくとも一部が内部空間２１１及び導入空間４２２の少なくとも一方に露出し光源１３から発生する熱を放熱する放熱部材４４を備えている。本実施例では、放熱部材４４は、内部空間２１１及び導入空間４２２のそれぞれに一部が露出している。また、流水殺菌モジュール４は、側壁流入出口４２１及び底部流入出口４２４の一方に取り付けられ、導入空間４２２と外部との間で流水を流通可能な第一流通口２５１を側壁に有する第一流入出部材２５を備えている。さらに、流水殺菌モジュール４は、内部空間２１１と外部との間で流水を流通可能な第二流通口２６１を側壁に有する第二流入出部材２６を備えている。第二流入出部材２６は、流路管２１の他端部の側に設けられ内部空間２１１に流水を流入し内部空間２１１から流水を流出可能な第二流入出口２１３に取り付けられる。
【０２４０】
流路管２１は、流路管２１の張出部２１４ａ及び切欠き部２１４ｂを流水流入出部４２に挿入して流水流入出部４２に取り付けられる。流水流入出部４２は、薄板円形状の底部４２ａと、底部４２ａの周縁から屹立する側壁４２ｂとを有し、全体として円筒形状を有している。底部４２ａ及び側壁４２ｂは一体に形成されている。側壁４２ｂは、上記実施例２−３における側壁３２ｂと同一の構造を有し、同一の作用・機能を奏するため、詳細な説明は省略する。
【０２４１】
側壁４２ｂは、側壁３２ｂと同一の構造を有しているため、側壁４２ｂの外表面に形成された雄ねじＭ４３は、固定部材３８の側壁の内表面に形成された雌ねじＦＳ３３と締結することができる。詳細は後述するが、放熱部材４４の光源取付部４４１及び板状部４４２ａは、上記実施例２−３における光源取付部３４１及び板状部３４２ａと同一の外形を有している。これにより、流水殺菌モジュール４は、固定部材３８を用いて、放熱部材４４の板状部４４２ａ（詳細は後述）に一端部を接触した状態で流路管２１を流水流入出部４２に固定することができる。また、流路管２１を流水流入出部４２に取り付けると、流路管２１に設けられたゴムパッキンＰＫ２３は側壁４２ｂの内表面に密着する。このため、流水殺菌モジュール４は、導入空間４２２を流れる流水が流路管２１と流水流入出部４２との間から漏洩するのを防止できる。
【０２４２】
固定部材３８を用いて流路管２１を流水流入出部４２に固定すると、流路管２１の一端部から他端部の方向に流路管２１に力を加えても、固定部材３８の底部が流路管２１の張出部２１４ａに引っ掛かる。このため、流路管２１は流水流入出部４２から外れない。例えば、第二流入出部材２６を流路管２１から取り外す作業を行う場合に一端部から他端部の方向に流路管２１に力が加わるが、当該作業によって流路管２１が流水流入出部４２から外れてしまうことが防止される。
【０２４３】
流路管２１及び流水流入出部４２は、例えばポリテトラフルオロエチレン（ＰＴＦＥ）で形成されている。これにより、光源１３から照射される紫外線は、内部空間２１１において流路管２１の内壁面で反射を繰り返すことができるので、流水殺菌モジュール４は、内部空間２１１を流れる流水の殺菌効率を向上することができる。また、流水殺菌モジュール４は、光源１３から照射される紫外線が流水殺菌モジュール２の外部に漏洩するのを防止できる。
【０２４４】
流水流入出部４２は、上記実施例２−３における底部３２ａと異なり、底部４２ａに開口部を有していない。図示は省略するが、流水流入出部４２は、導入空間４２２に導入される流水を外部に漏らさずに光源１３に電力を供給する電源ケーブルを溝部４２６に引き回すことができる機構（例えばコネクタ）を底部４２ａに有している。
【０２４５】
流水流入出部４２は、第一流入出口として側壁流入出口４２１及び底部流入出口４２４を有している。側壁流入出口４２１は、上記実施例２−３における側壁流入出口３２１と同一の構造を有し、同一の作用・機能を奏するようになっている。底部流入出口４２４は、上記実施例２−３における底部流入出口３２４と同一の構造を有し、同一の作用・機能を奏するようになっている。このため、側壁流入出口４２１及び底部流入出口４２４には、第一流入出部材２５及び栓部材３９を取り付けることが可能である。図２１では、側壁流入出口４２１によって形成される側壁４２ｂの内面に形成された雌ねじＦＳ４１に第一流入出部材２５の雄ねじＭＳ２１を締結させて、第一流入出部材２５が側壁流入出口４２１に取り付けられた状態が図示されている。また、図２１では、底部流入出口４２４によって形成される底部４２ａの内面に形成された雌ねじＦＳ４４に栓部材３９の雄ねじＭＳ３４を締結させて、栓部材３９が底部流入出口４２４に取り付けられた状態が図示されている。
【０２４６】
栓部材３９が側壁流入出口４２１（又は底部流入出口４２４）に取り付けて固定されると、栓部材３９に取り付けられたゴムパッキンＰＫ３５は、溝部３９１と側壁流入出口４２１によって形成される側壁４２ｂの内面（又は底部流入出口４２４によって形成される底部４２ａの内面）で押し潰された状態となる。ゴムパッキンＰＫ３５は、弾性力によって元の状態に戻ろうとして側壁４２ｂの当該内面（又は底部３２ａの当該内面）に力を加えつつ密着する。これにより、流水殺菌モジュール４は、導入空間４２２を流通する流水が未使用状態にある側壁流入出口４２１又は底部流入出口４２４から漏洩するのを防止できる。
【０２４７】
流路管２１の側壁２１４に形成された第一貫通孔２１２と側壁流入出口４２１及び底部流入出口４２４との相対位置関係は、上記実施例２−３における第一貫通孔２１２と側壁流入出口３２１及び底部流入出口３２４との相対位置関係と同じであるため、説明は省略する。
【０２４８】
図２１に示すように、放熱部材４４は、光源１３が取り付けられる光源取付部４４１と、板状に形成された板状部４４２ａを有し光源取付部４４１に熱接触して光源１３で発生する熱を放熱する放熱部４４２とを有している。本実施例では、放熱部４４２は、光源取付部４４１と一体に形成されることにより、光源取付部４４１と熱接触するようになっているが、これに限られない。例えば、放熱部４４２と光源取付部４４１とは、異なる部材として形成されており、ねじによって互いに固定されて熱接触したり、接着材によって互いに接着されて熱接触したり、組み合わせ部分に形成されたねじによって互いに締結されたりしてもよい。放熱部材４４は、例えばステンレス鋼（ＳＵＳ）で形成されている。板状部４４２ａは、例えば５ｍｍの厚さを有している。
【０２４９】
流路管２１の一端部は、放熱部４４２の一部に接触して配置されている。本実施例では、流路管２１の一端部が接触する放熱部４４２の一部は、板状部４４２ａである。
【０２５０】
板状部４４２ａは、上記実施例２−３における板状部３４２ａと同一の形状を有している。このため、板状部４４２ａは、上記実施例２−３における流水流入出部３２の側壁３２ｂと同一の形状を有する側壁４２ｂの内面に設けられた段差部に配置されることができる。また、光源取付部４４１は、上記実施例２−３における光源取付部３４１と同一の外形状を有している。このため、光源取付部４４１は、内部空間２１１に突出して配置されることができる。さらに、光源取付部４４１の外表面に形成された溝部４４１ａには、上記実施例２−３におけるゴムパッキンＰＫ３６と同一形状のゴムパッキンＰＫ４６を取り付けることができる。また、光源取付部４４１の外表面に形成された溝部４４１ｂには、上記実施例２−３におけるゴムパッキンＰＫ３７と同一形状のゴムパッキンＰＫ４７を取り付けることができる。これにより、ゴムパッキンＰＫ４６，ＰＫ４７を含んで光源取付部３４１を覆ってカバー部材１７を配置できる。その結果、ゴムパッキンＰＫ４６，ＰＫ４７とカバー部材１７とが密着するので、内部空間２１１を流通する流水に光源１３が浸されてしまうのを防止できる。
【０２５１】
放熱部材４４は、流路管２１の内部空間２１１に露出せず且つ第一貫通孔２１２に対して内部空間２１１を挟む位置に形成されて放熱部４４２を貫通する第二貫通孔４４３を有している。第二貫通孔４４３は、板状部４４２ａの周縁に形成されている。第二貫通孔４４３の少なくとも一部は、流路管２１の一端部における側壁２１４の外表面を切り欠いて形成された切欠き部２１４ｂに露出されている。第二貫通孔４４３は、第一流入出部材２５から導入空間４２２に流入する流水の流量以上の流水を通過できる程度に切欠き部２１４ｂに露出されていればよい。これにより、流水殺菌モジュール４は、導入空間４２２における流水の滞留を防止しして、導入空間４２２に効率よく流水を流通できる。なお、本実施例では、第二貫通孔４４３の全体が切欠き部２１４ｂに露出されている。
【０２５２】
第二貫通孔４４３は、上記実施例２−３における第二貫通孔３４３と同一の作用・機能を奏するため、詳細な説明は省略する。また、第一貫通孔２１２と第二貫通孔４４３との相対位置関係は、第一貫通孔２１２と第二貫通孔３４３との相対位置関係と同一であるため、説明は省略する。
【０２５３】
流水殺菌モジュール４は、切欠き部２１４ｂと、流水流入出部４２の内壁面と、放熱部材４４の板状部４４２ａの表面とで内部空間２１１の周囲に形成された回廊部４３を備えている。回廊部４３には、第一貫通孔２１２と、第二貫通孔４４３の少なくとも一部（本実施例では全部）とが露出されている。これにより、回廊部４３は、流路管２１の内部空間２１１と流水流入出部４２の導入空間４２２とを連通する空間を構成する。このため、回廊部４３は、導入空間４２２から第二貫通孔４４３を通って流入する流水を第一貫通孔２１２から内部空間２１１に流出させることができる。さらに、回廊部４３は、内部空間２１１から第一貫通孔２１２を通って流入する流水を第二貫通孔４４３から導入空間４２２に流出させることができる。
【０２５４】
第一流入出部材２５を側壁流入出口４２１及び底部流入出口４２４の一方に取り付けると、第一流通口２５１は導入空間４２２に露出する。これにより、導入空間４２２、第一流通口２５１及び第一流通空間２５２が連通され、一の外部と導入空間４２２との間を流水が流通可能になる。また、第二流入出部材１６を第二流入出口２１３に取り付けると、第二流通口２６１が内部空間２１１に露出する。これにより、内部空間２１１、第二流通口２６１及び第二流通空間２６２が連通され、他の外部と内部空間２１１との間を流水が流通可能になる。内部空間２１１と導入空間４２２とは第一貫通孔２１２、回廊部４３及び第二貫通孔４４３によって繋がっている。このため、流水殺菌モジュール４は、一の外部又は他の外部（本実施例では一の外部）から流入する流水を内部空間２１１で殺菌し、他の外部又は一の外部（本実施例では他の外部）に殺菌した流水を流出することができる。
【０２５５】
図示は省略するが、導入空間４２２に露出する光源取付部４４１の面には、光源取付部４４１に形成された２つのケーブル挿通孔（不図示）を塞ぎつつ、当該ケーブル挿通孔を導入空間４２２に引き回すことが可能な機構（例えばコネクタ）が設けられている。光源取付部４４１において、２つのケーブル挿通孔のうちの一方が形成された相対位置は、上記実施例２−３における光源取付部３４１においてケーブル挿通孔３４６ａが形成された相対位置と同一である。また、光源取付部４４１において、２つのケーブル挿通孔のうちの他方が形成された相対位置は、光源取付部３４１においてケーブル挿通孔３４６ｂが形成された相対位置と同一である。このため、光源取付部４４１に取り付けられた光源１３から電源ケーブルを２つのケーブル挿通孔に挿通させることができる。流水殺菌モジュール４は、光源１３を流水で濡らさずに金属基板１３２に接続された電源ケーブルを外部に引き回すことできる。これにより、流水殺菌モジュール４は、発光素子１３１に電力を供給することができる。
【０２５６】
金属基板１３２は、金属基板１３２に形成された第一ねじ挿通口１３２ｋ及び第二ねじ挿通口１３２ｌ並びに光源取付部４４１に形成されたねじ穴（不図示）を用いて光源取付部４４１にねじ止めされる。これにより、金属基板１３２に設けられたベース基板１３２ａと光源取付部３４１とは機械的及び熱的に接触する。その結果、「金属基板１３２のサーマルパッド１３２ｆ→熱伝導層１３２ｃ→ねじ→光源取付部４４１→放熱部４４２」による第一熱伝導経路が形成される。さらに、「サーマルパッド１３２ｆ→熱伝導層１３２ｃ→ねじ→ベース基板１３２ａ→光源取付部４４１→放熱部４４２」による第二熱伝導経路が形成される。発光素子１３１を金属基板１３２上に実装すると、発光素子１３１の基板実装面は、サーマルパッド１３２ｆに機械的及び熱的に接触される。このため、発光素子１３１で発生した熱は、第一熱伝導経路及び第二熱伝導経路を通って放熱部４４２に到達する。放熱部４４２の一部は、内部空間２１１及び導入空間４２２をそれぞれ流れる流体に接している。内部空間２１１及び導入空間４２２をそれぞれ流れる流体は、冷媒となって、放熱部４４２に達した熱を放熱部４４２から奪う。このように、流水殺菌モジュール４は、光源１３を水冷するようになっている。
【０２５７】
＜流水殺菌モジュール４の動作＞
本実施例による流水殺菌モジュール４の動作について図２２を用いて説明する。図２２では、側壁流入出口４２１及び底部流入出口４２４のいずれに第一流入出部材２５が取り付けられても同じ流水が流水殺菌モジュール４に形成されることを示すため、側壁流入出口４２１及び底部流入出口４２４のそれぞれに第一流入出部材２５が取り付けられた状態が図示されている。
【０２５８】
図２２に示すように、流水殺菌モジュール４は、一の外部から第一流入出部材２５を介して流体を流入し、導入空間４２２、第二貫通孔４４３、回廊部４３、第一貫通孔２１２及び内部空間２１１を通って第二流入出部材２６から他の外部に流出する流水ＷＦ２４を形成する。
【０２５９】
流水殺菌モジュール４は、導入空間３２２を流れる液体（本実施例では水）を１箇所（すなわち第二貫通孔４４３）から流入して第一貫通孔２１２に到達する流水ＷＦ２４を回廊部４３に形成する。流水殺菌モジュール４は、流路管２１の周りを一方向に回転する流水ＷＦ２４を回廊部４３に形成するのではなく、流路管２１の周りを一の方向に回転して第一貫通孔２１２に到達する流水ＷＦ２４と、他の方向に回転して第一貫通孔２１２に到達する流水ＷＦ２４とを形成する。流水殺菌モジュール４は、放熱部材４４の突出部を導入空間４２２に設けていないため、上記実施例２−３による流水殺菌モジュール３と比較すると、導入空間４２２での整流効果が低減する。しかしながら、流水殺菌モジュール４は、流路管２１の周りを一の方向に回転する流水ＷＦ２４と、流路管２１の周りを他の方向に回転する流水ＷＦ２３とを回廊部４３に形成する。このように、回廊部４３に流入する流水ＷＦ２４は、流れる方向がある程度制限されることによって整流される。回廊部４３は、流水ＷＦ２４を整流する整流部としての機能を発揮する。これにより、流水殺菌モジュール４は、流体を整流できる。
【０２６０】
流水殺菌モジュール４は、回廊部４３を流れる液体（本実施例では水）を１箇所（すなわち第一貫通孔２１２）から内部空間２１１に流入することにより、回転しながら第二流入出部材２６に向かう流水ＷＦ２４を内部空間２１１に形成する。流水殺菌モジュール４は、内部空間２１１で回転する流水ＷＦ２３を形成することにより、液体が内部空間２１１に滞在する時間を長くすることができる。その結果、内部空間２１１を流れる液体は、光源１３から出射される紫外線及び流路管２１で反射した紫外線に長時間照射される。これにより、流水殺菌モジュール４は、流水の殺菌効率の向上を図ることができる。
【０２６１】
以上説明したように、本実施例による流水殺菌モジュール４は、流路管２１の内部空間２１１に突出し内部空間２１１に向けて紫外線を照射可能に設けられた光源１３を備えている。また、流水殺菌モジュール４は、流水が流入及び流出することが可能な側壁流入出口４２１及び底部流入出口４２４と、側壁流入出口４２１及び底部流入出口４２４から流入する流水を流路管２１に導入し流路管２１から流入する流水を側壁流入出口４２１及び底部流入出口４２４に導入可能な導入空間４２２とを有する流水流入出部４２を備えている。また、流水殺菌モジュール４は、側壁に第一流通口２５１を有する第一流入出部材２５と、側壁に第二流通口２６１を有する第二流入出部材２６とを備えている。さらに、流水殺菌モジュール４は、少なくとも一部が内部空間２１１及び導入空間４２２の少なくとも一方に露出し光源１３から発生する熱を放熱する放熱部材４４を備えている。これにより、流水殺菌モジュール４は、上記実施例２−１による流水殺菌モジュール１と同様の効果が得られる。
【０２６２】
（実施例２−５）
第２実施形態の実施例２−５による流水殺菌モジュールについて図２３及び図２４を用いて説明する。まず、本実施例による流水殺菌モジュール５の概略構成について図２３を用いて説明する。なお、上記実施例２−１から上記実施例２−４による流水殺菌モジュールの少なくともいずれかの構成要素と同一の作用・機能を奏する構成要素には同一の符号を付して、その詳細な説明は省略する。また、図２３及び図２４に図示されていない光源１３の構成要素については、必要に応じて図１１に示す符号を用いて説明する。
【０２６３】
＜流水殺菌モジュール５の概略構成＞
図２３に示すように、流水殺菌モジュール５は、流水が流通する内部空間２１１を有する流路管２１と、流路管２１の一端部の側から内部空間２１１に突出し内部空間２１１に向けて紫外線を照射可能に設けられた光源１３とを備えている。また、流水殺菌モジュール５は、流水が流入及び流出することが可能な側壁流入出口（第一流入出口の一例）５２１及び底部流入出口（第一流入出口の一例）５２４と、側壁流入出口５２１及び底部流入出口５２４の一方から流入する流水を流路管２１に導入し流路管２１から流入する流水を側壁流入出口５２１及び底部流入出口５２４に導入可能な導入空間５２２とを有する流水流入出部５２を備えている。
【０２６４】
また、流水殺菌モジュール５は、少なくとも一部が内部空間２１１及び導入空間５２２の少なくとも一方に露出し光源１３から発生する熱を放熱する放熱部材５４を備えている。本実施例では、放熱部材５４は、内部空間２１１及び導入空間５２２のそれぞれに一部が露出している。また、流水殺菌モジュール５は、側壁流入出口５２１及び底部流入出口５２４の一方に取り付けられて導入空間５２２と外部との間で流水を流通可能な第一流通口２５１を側壁に有する第一流入出部材２５を備えている。さらに、流水殺菌モジュール５は、流路管２１の他端部の側に設けられ内部空間２１１に流水を流入し内部空間２１１から流水を流出可能な第二流入出口２１３に取り付けられ、内部空間２１１と外部との間で流水を流通可能な第二流通口２６１を側壁に有する第二流入出部材２６を備えている。
【０２６５】
流路管２１は、流路管２１の張出部２１４ａ及び切欠き部２１４ｂを流水流入出部５２に挿入して流水流入出部５２に取り付けられる。流水流入出部５２は、薄板円形状の底部５２ａと、底部５２ａの周縁から屹立する側壁５２ｂとを有し、全体として円筒形状を有している。底部５２ａ及び側壁５２ｂは一体に形成されている。底部５２ａは、上記実施例２−３における底部３２ａと同一の構造を有し、同一の作用・機能を奏するため、詳細な説明は省略する。
【０２６６】
流水殺菌モジュール５は、少なくとも一部が内部空間２１１に露出して放熱部材５４を挿入する挿入口５２９を有し一部に流路管２１の一端部が接触する板状部材５２７を備えている。板状部材５２７は、側壁５２ｂと一体に形成されている。放熱部材５４は、挿入口５２９に挿入されて光源１３が取り付けられる光源取付部５４１と、光源取付部５４１から導入空間５２２に突出する突出部５４２ｂを有し光源取付部５４１に熱接触して光源１３で発生する熱を放熱する放熱部５４２とを有している。本実施例では、放熱部５４２は、光源取付部５４１と一体に形成されることにより、光源取付部５４１と熱接触するようになっているが、これに限られない。例えば、放熱部５４２と光源取付部５４１とは、異なる部材として形成されており、ねじによって互いに固定されて熱接触したり、接着材によって互いに接着されて熱接触したり、組み合わせ部分に形成されたねじによって互いに締結されたりしてもよい。放熱部材５４は、例えばステンレス鋼（ＳＵＳ）で形成されている。
【０２６７】
側壁５２ｂは、板状部材５２７を有することを除いて、上記実施例２−３における側壁３２ｂと同様の形状及び大きさを有している。このため、側壁５２ｂの外表面に形成された雄ねじＭ５３は、固定部材３８の側壁の内表面に形成された雌ねじＦＳ３３と締結することができる。また、側壁５２ｂは、上記実施例２−３における放熱部材３４の板状部３４２ａが側壁３２ｂに配置される位置と対応する位置に板状部材５２７を有している。このため、図２３に示すように、流水殺菌モジュール５は、固定部材３８を用いて、板状部材５２７に一端部を接触した状態で流路管２１を流水流入出部５２に固定することができる。これにより、流水殺菌モジュール５は、第二流入出部材１６を流路管２１から取り外す際に、流路管２１が流水流入出部５２から外れてしまうのを防止できる。また、流路管２１を流水流入出部５２に取り付けると、流路管２１に設けられたゴムパッキンＰＫ２３は側壁５２ｂの内表面に密着する。このため、流水殺菌モジュール５は、導入空間５２２を流れる流体が流路管２１と流水流入出部５２との間から漏洩するのを防止できる。
【０２６８】
流路管２１及び流水流入出部５２は、例えばポリテトラフルオロエチレン（ＰＴＦＥ）で形成されている。これにより、光源１３から照射される紫外線は、内部空間２１１において流路管２１の内壁面で反射を繰り返すことができるので、流水殺菌モジュール５は、内部空間２１１を流れる流水の殺菌効率を向上することができる。また、流水殺菌モジュール５は、光源１３から照射される紫外線が流水殺菌モジュール５の外部に漏洩するのを防止できる。
【０２６９】
流水流入出部５２の底部５２ａの中央には、開口部５２３が形成されている。開口部５２３は、底部５２ａを貫通して設けられている。開口部５２３は、上記実施例２−３における開口部３２３と同一の形状及び大きさを有し、同一の作用・機能を奏するため、詳細な説明は省略する。図２３に示すように、開口部５２３は、開口部３２３と同一の形状及び大きさを有するため、キャップ部材３０を配置することができる。キャップ部材３０は、光源１３に電力を供給する電源ケーブル（不図示）を底部５２ａに形成された溝部５２６の側に配線させて流水殺菌モジュール５の外部に引き出すことができる。
【０２７０】
流水流入出部５２は、第一流入出口として側壁流入出口５２１及び底部流入出口５２４を有している。側壁流入出口５２１は、上記実施例２−３における側壁流入出口３２１と同じ大きさを有する貫通孔である。また、側壁流入出口５２１によって形成される側壁５２ｂの内面と、側壁流入出口３２１によって形成される側壁３２ｂの内面とは同一の形状を有している。すなわち、側壁流入出口５２１によって形成される側壁５２ｂの内面に形成される雌ねじＦＳ５１と、側壁流入出口３２１によって形成される側壁３２ｂの内面に形成される雌ねじＦＳ３１とは、同一の形状を有している。さらに、側壁５２ｂの当該内面における雌ねじＦＳ５１の相対的な形成位置及び形成領域と、側壁３２ｂの当該内面における雌ねじＦＳ３２の相対的な形成位置及び形成領域とは、同一になっている。これにより、側壁流入出口５２１には、第一流入出部材２５及び栓部材３９のいずれも取り付けることができる。図２３では、側壁流入出口５２１には、第一流入出部材２５が取り付けられた状態が図示されている。
【０２７１】
底部流入出口５２４は、上記実施例２−３における底部流入出口３２４と同じ大きさを有する貫通孔である。また、底部流入出口５２４によって形成される底部５２ａの内面と、底部流入出口３２４によって形成される底部３２ａの内面とは同一の形状を有している。すなわち、底部流入出口５２４によって形成される底部５２ａの内面に形成される雌ねじＦＳ５４と、底部流入出口３２４によって形成される底部３２ａの内面に形成される雌ねじＦＳ３４とは、同一の形状を有している。さらに、底部５２ａの当該内面における雌ねじＦＳ５４の相対的な形成位置及び形成領域と、底部３２ａの当該内面における雌ねじＦＳ３４の相対的な形成位置及び形成領域とは、同一になっている。これにより、底部流入出口５２４には、第一流入出部材２５及び栓部材３９のいずれも取り付けることができる。図２３では、底部流入出口５２４には、栓部材３９が取り付けられた状態が図示されている。
【０２７２】
流路管２１は、流路管２１の他端部よりも一端部に近く且つ側壁流入出口５２１及び底部流入出口５２４（いずれも第一流入出口の一例）の上方に形成されて流路管２１の側壁２１４を貫通する第一貫通孔２１２を有している。流水殺菌モジュール５では、上記実施例２−３による流水殺菌モジュール３と同様に、第一貫通孔２１２は、側壁流入出口５２１及び底部流入出口５２４に対して内部空間２１１を挟まない位置に配置されている。
【０２７３】
流路管２１の側壁２１４に形成された第一貫通孔２１２と側壁流入出口５２１及び底部流入出口５２４との相対位置関係は、上記実施例２−３における第一貫通孔２１２と側壁流入出口３２１及び底部流入出口３２４との相対位置関係と同じであるため、説明は省略する。
【０２７４】
図２３に示すように、板状部材５２７は、内部空間２１１に露出せず且つ第一貫通孔２１２に対して内部空間２１１を挟む位置に形成されて板状部材５２７を貫通する第三貫通孔５２８を有している。第三貫通孔５２８は、板状部材５２７の周縁に形成されている。第三貫通孔５２８の少なくとも一部は、流路管２１の一端部における側壁２１４の外表面を切り欠いて形成された切欠き部２１４ｂに露出されている（図２３参照）。第三貫通孔５２８は、第一流入出部材２５から導入空間５２２に流入する流水の流量以上の流水を通過できる程度に切欠き部２１４ｂに露出されていればよい。これにより、流水殺菌モジュール５は、導入空間５２２における流水の滞留を防止しして、導入空間５２２を効率よく流水を流通できる。なお、本実施例では、第三貫通孔５２８の全体が切欠き部２１４ｂに露出されている。
【０２７５】
図２３に示すように、第一貫通孔２１２は、切欠き部２１４ｂに形成されている。流水殺菌モジュール５は、切欠き部２１４ｂと、流水流入出部５２の内壁面と、板状部材５２７の表面とで内部空間２１１の周囲に形成された回廊部５３を備えている。回廊部５３には、第一貫通孔２１２と、第三貫通孔５２８の少なくとも一部（本実施例では全部）が露出されている。これにより、回廊部５３は、流路管２１の内部空間２１１と流水流入出部５２の導入空間５２２とを連通する空間を構成する。このため、回廊部５３は、導入空間５２２から第三貫通孔５２８を通って流入する流水を第一貫通孔２１２から内部空間２１１に流出させることができる。さらに、回廊部３３は、内部空間２１１から第一貫通孔２１２を通って流入する流水を第三貫通孔５２８から導入空間５２２に流出させることができる。
【０２７６】
ここで、第一貫通孔２１２に対して内部空間２１１を挟む位置には、流路管２１の延在する方向に流水殺菌モジュール５を見た場合に、内部空間２１１の中心を通り且つ第一貫通孔２１２の中心軸に一致する直線上の、回廊部５３を構成する板状部材５２７の周縁であって第一貫通孔２１２から相対的に離れた位置が含まれる。また、第一貫通孔２１２に対して内部空間２１１を挟む位置には、この直線上の当該位置に限られず、内部空間２１１の中心軸を回転軸として当該位置に対して±９０°の範囲に含まれて回廊部５３を構成する板状部材５２７の周縁も含まれる。
【０２７７】
第一流入出部材２５を側壁流入出口５２１及び底部流入出口５２４の一方に取り付けると、第一流通口２５１は導入空間５２２に露出する。これにより、導入空間５２２、第一流通口２５１及び第一流通空間２５２が連通され、一の外部と導入空間５２２との間を流水が流通可能になる。また、第二流入出部材１６を第二流入出口２１３に取り付けると、第二流通口２６１が内部空間２１１に露出する。これにより、内部空間２１１、第二流通口２６１及び第二流通空間２６２が連通され、他の外部と内部空間２１１との間を流水が流通可能になる。内部空間２１１と導入空間５２２とは第一貫通孔２１２、回廊部５３及び第三貫通孔５２８によって繋がっている。このため、流水殺菌モジュール５は、一の外部又は他の外部（本実施例では一の外部）から流入する流水を内部空間２１１で殺菌し、他の外部又は一の外部（本実施例では他の外部）に殺菌した流水を流出することができる。
【０２７８】
流水殺菌モジュール５を組み立てる場合、放熱部材５４、流路管２１及び固定部材３８がこの順に流水流入出部５２に取り付けられる。放熱部材５４を流水流入出部５２に取り付ける際に、側壁流入出口５２１、底部流入出口５２４及び第三貫通孔５２８は視認できる状態にある。このため、側壁流入出口５２１及び底部流入出口５２４と、第三貫通孔５２８との相対位置関係は、側壁流入出口５２１、底部流入出口５２４及び第三貫通孔５２８を確認しながら特定できる。これに対し、流路管２１を流水流入出部５２に取り付ける際に流路管２１が流水流入出部３２に挿入されると、第一貫通孔２１２及び第三貫通孔５２８は視認できなくなる。しかしながら、流路管２１には、直線溝部２１５が形成されているため、直線溝部２１５を用いて第一貫通孔２１２及び第三貫通孔５２８の相対位置が特定できる。
【０２７９】
放熱部材５４が挿入される挿入口５２９は、板状部材５２７のほぼ中央に形成されている。挿入口５２９は、板状部材５２７を貫通する貫通孔である。板状部材５２７は、挿入口５２９を囲む壁面の一部が挿入口５２９に向かって突出する段差部５２９ａを有している。段差部５２９ａは、放熱部材５４の放熱部５４２を支える支持部としての機能を発揮するようになっている。
【０２８０】
図２３に示すように、放熱部材５４の放熱部５４２は、光源取付部５４１と突出部５４２ｂとの間に設けられた枠部５４２ａを有している。枠部５４２ａは、上記実施例２−３における板状部３４２ａが放熱部材３４に形成された位置と対応する放熱部材５４の位置に形成されている。枠部５４２ａは、板状部材５２７に形成された挿入口５２９の直径よりも短く且つ段差部５２９ａよりも長い直径を有している。このため、突出部５４２ｂを挿入口５２９に挿入して枠部５４２ａを段差部５２９ａに設置すると、放熱部材５４は、突出部５４２ｂを導入空間５２２に配置した状態で板状部材５２７で支持される。
【０２８１】
突出部５４２ｂは、上記実施例２−３における突出部３４２ｂと同様の構造を有し、同様の作用・機能を発揮するようになっている。すなわち、突出部５４２ｂは、筒状に形成されている。突出部５４２ｂの内部には、光源１３に電力を供給する電線（電源ケーブル）が配線される。突出部５４２ｂの内部には、突出部５４２ｂに囲まれて内側空間５４４が形成されている。内側空間５４４は、突出部５４２ｂ及び流水流入出部５２の底部５２ａによって導入空間５２２と分離された空間となっている。このため、内側空間５４４には、導入空間５２２を流通する流水が流入しないようになっている。
【０２８２】
図２３に示すように、突出部５４２ｂは、導入空間５２２のほぼ中央に配置されている。突出部５４２ｂは、放熱部材５４を流水流入出部５２に設置すると、突出部５４２ｂの端部側の一部が、底部５２ａの開口部５２３に挿入される。これにより、突出部５４２ｂは導入空間５２２を横切って配置される。その結果、導入空間５２２は環状の空間となる。側壁流入出口５２１に取り付けられた第一流入出部材２５の複数の第一流通口２５１から流入する流水は、突出部５４２ｂを迂回して第三貫通孔５２８が配置されている側に向かう。このように、導入空間５２２に流入する流水は、流れる方向がある程度制限されることによって整流される。したがって、導入空間５２２は、流水を整流する整流部としての機能を発揮するようになっている。
【０２８３】
図２３に示すように、突出部５４２ｂの内壁面には凹状部５４２ｃが形成されている。凹状部５４２ｃは、突出部５４２ｂの内壁面の周方向に形成されている。凹状部５４２ｃは、放熱部材５４を流水流入出部５２に設置した場合に、底部５２ａに囲まれる位置に配置される。凹状部５４２ｃには、底部５２ａの開口部５２３に挿入されたキャップ部材３０の凸状部３０２ｂが嵌め合わされる。これにより、キャップ部材３０は、開口部５２３を塞いだ状態で放熱部材５４に取り付けられる。
【０２８４】
図２３に示すように、光源取付部５４１が内側空間５４４に接する平面とは反対側の平面上に光源１３が配置されている。光源取付部５４１は、上記実施例２−３における光源取付部３４１と同一の外形状を有している。このため、光源取付部５４１は、内部空間２１１に突出して配置されることができる。さらに、光源取付部５４１の外表面に形成された溝部５４１ａには、上記実施例２−３におけるゴムパッキンＰＫ３６と同一形状のゴムパッキンＰＫ５６を取り付けることができる。また、光源取付部５４１の外表面に形成された溝部５４１ｂには、上記実施例２−３におけるゴムパッキンＰＫ３７と同一形状のゴムパッキンＰＫ５７を取り付けることができる。これにより、ゴムパッキンＰＫ５６，ＰＫ５７を含んで光源取付部５４１を覆ってカバー部材１７を配置できる。その結果、ゴムパッキンＰＫ５６，ＰＫ５７とカバー部材１７とが密着するので、内部空間２１１を流通する流水に光源１３が浸されてしまうのを防止できる。
【０２８５】
金属基板１３２は、金属基板１３２に形成された第一ねじ挿通口１３２ｋ及び第二ねじ挿通口１３２ｌのそれぞれを介して光源取付部５４１に形成されたねじ穴（不図示）にねじ（不図示）をそれぞれ締結して光源取付部５４１に固定される。これにより、金属基板１３２に設けられたベース基板１３２ａと光源取付部５４１とは機械的及び熱的に接触する。その結果、「金属基板１３２のサーマルパッド１３２ｆ→熱伝導層１３２ｃ→ねじ→光源取付部５４１→放熱部５４２」による第一熱伝導経路が形成される。さらに、「サーマルパッド１３２ｆ→熱伝導層１３２ｃ→ねじ→ベース基板１３２ａ→光源取付部５４１→放熱部５４２」による第二熱伝導経路が形成される。発光素子１３１を金属基板１３２上に実装すると、発光素子１３１の基板実装面は、サーマルパッド１３２ｆに機械的及び熱的に接触される。このため、発光素子１３１で発生した熱は、第一熱伝導経路及び第二熱伝導経路を通って放熱部５４２に到達する。放熱部５４２の枠部５４２ａは内部空間２１１の流水に接し、放熱部５４２の突出部５４２ｂは導入空間３２２の流水に接している。内部空間２１１及び導入空間３２２のそれぞれの流水は、冷媒となって、放熱部５４２に達した熱を放熱部５４２から奪う。このように、流水殺菌モジュール５は、光源１３を水冷によって冷却するようになっている。
【０２８６】
一方の電源ケーブル（不図示）は、金属基板１３２に形成された第一配線パッド１３２ｉに半田付けされ、光源取付部５４１に形成された一方のケーブル挿通孔に挿通されて内側空間５４４に引き出される。他方の電源ケーブル（不図示）は、第二配線パッド１３２ｊに半田付けされ、他方のケーブル挿通孔に挿通されて内側空間５４４に引き出される。キャップ部材３０は、４個の切欠き部３０２ａのうちの１個の切欠き部３０２ａを溝部５２６に合わせて放熱部材５４に取り付けられる。キャップ部材３０が放熱部材５４に取り付けられると、放熱部材５４の突出部５４２ｂの端部は底板３０１で塞がれる。放熱部材５４の突出部５４２ｂの端部が底板３０１で塞がれても、内側空間５４４は、溝部５２６及び切欠き部３０２ａによって外部と連通されている。このため、流水殺菌モジュール５は、光源取付部５４１の２つのケーブル挿通孔から内側空間５４４にそれぞれ引き出された電源ケーブル（不図示）を、切欠き部３０２ａ及び溝部５２６を介して外部に引き回すことができる。これにより、流水殺菌モジュール５は、電源ケーブルを流水に接触させずに発光素子１３１に電力を供給することができる。
【０２８７】
＜流水殺菌モジュール５の動作＞
本実施例による流水殺菌モジュール５の動作について図２４を用いて説明する。図２４では、側壁流入出口５２１及び底部流入出口５２４のいずれに第一流入出部材２５が取り付けられても同じ流水が流水殺菌モジュール５に形成されることを示すため、側壁流入出口５２１及び底部流入出口５２４のそれぞれに第一流入出部材２５が取り付けられた状態が図示されている。
【０２８８】
図２４に示すように、流水殺菌モジュール５は、一の外部から第一流入出部材２５を介して流体を流入し、導入空間５２２、第三貫通孔５２８、回廊部５３、第一貫通孔２１２及び内部空間２１１を通って第二流入出部材２６から他の外部に流出する流水ＷＦ２５を形成する。
【０２８９】
流水殺菌モジュール３は、放熱部材５４の突出部５４２ｂの周りを回転しながら第三貫通孔５２８に到達する流水ＷＦ２５を導入空間５２２に形成する。流水殺菌モジュール５は、突出部５４２ｂの周りを一方向に回転する流水ＷＦ２５を導入空間５２２に形成するのではなく、突出部５４２ｂの周りを一の方向に回転して第三貫通孔５２８に到達する流水ＷＦ２５と、他の方向に回転して第三貫通孔５２８に到達する流水ＷＦ２５とを形成する。このように、導入空間５２２に流入する流水ＷＦ２５は、流れる方向がある程度制限されることによって整流される。導入空間５２２は、流水ＷＦ２５を整流する整流部としての機能を発揮する。
【０２９０】
流水殺菌モジュール５は、導入空間５２２を流れる液体（本実施例では水）を１箇所（すなわち第三貫通孔５２８）から流入して第一貫通孔２１２に到達する流水ＷＦ２５を回廊部５３に形成する。流水殺菌モジュール５は、流路管２１の周りを一方向に回転する流水ＷＦ２５を回廊部５３に形成するのではなく、流路管２１の周りを一の方向に回転して第一貫通孔２１２に到達する流水ＷＦ２５と、他の方向に回転して第一貫通孔２１２に到達する流水ＷＦ２５とを形成する。
【０２９１】
流水殺菌モジュール５は、回廊部５３を流れる液体（本実施例では水）を１箇所（すなわち第一貫通孔２１２）から内部空間２１１に流入することにより、回転しながら第二流入出部材２６に向かう流水ＷＦ２５を内部空間２１１に形成する。流水殺菌モジュール５は、内部空間２１１で回転する流水ＷＦ２５を形成することにより、液体が内部空間２１１に滞在する時間を長くすることができる。その結果、内部空間２１１を流れる液体は、光源１３から出射される紫外線及び流路管２１で反射した紫外線に長時間照射される。これにより、流水殺菌モジュール５は、流水の殺菌効率の向上を図ることができる。
【０２９２】
以上説明したように、本実施例による流水殺菌モジュール５は、流路管２１の内部空間２１１に突出し内部空間２１１に向けて紫外線を照射可能に設けられた光源１３を備えている。また、流水殺菌モジュール５は、流水が流入及び流出することが可能な側壁流入出口５２１及び底部流入出口５２４と、側壁流入出口５２１及び底部流入出口５２４から流入する流水を流路管２１に導入し流路管２１から流入する流水を側壁流入出口５２１及び底部流入出口５２４に導入可能な導入空間５２２とを有する流水流入出部５２を備えている。また、流水殺菌モジュール５は、側壁に第一流通口２５１を有する第一流入出部材２５と、側壁に第二流通口２６１を有する第二流入出部材２６とを備えている。さらに、流水殺菌モジュール５は、少なくとも一部が内部空間２１１及び導入空間５２２の少なくとも一方に露出し光源１３から発生する熱を放熱する放熱部材５４を備えている。これにより、流水殺菌モジュール５は、上記実施例２−１による流水殺菌モジュール１と同様の効果が得られる。
【０２９３】
〔第３実施形態〕
本発明の第３実施形態による流水殺菌モジュールについて図２５を用いて説明する。本実施形態による流水殺菌モジュール８は、複数の光源を備えている点に特徴を有している。
【０２９４】
＜流水殺菌モジュール８の概略構成＞
まず、流水殺菌モジュール８の概略構成について図２５を用いて説明する。
図２５に示すように、流水殺菌モジュール８は、流水が流通する内部空間８１１を有する流路管８１と、流路管８１の一端部の側から内部空間８１１に突出し内部空間８１１に向けて紫外線を照射可能に設けられた光源８４と、流路管８１の他端部の側から内部空間８１１に突出し内部空間８１１に向けて紫外線を照射可能に設けられた光源８５とを備えている。複数の光源のうちの少なくとも２つ（本実施形態では光源８４，８５）は、内部空間８１１を挟んで向かい合わせて配置されている。
【０２９５】
また、流水殺菌モジュール８は、流水が流入及び流出することが可能な第一流入出口８２１と、第一流入出口８２１を含み放熱部材８６の少なくとも一部が露出して配置される緩衝空間８２２と、緩衝空間８２２に対して光源８５側に設けられた回廊部８２３とを有する第一流入出部８２を備えている。また、流水殺菌モジュール８は、流水が流入及び流出することが可能な第一流入出口８３１と、第一流入出口８３１を含み放熱部材８７の少なくとも一部が露出して配置される緩衝空間８３２と、緩衝空間８３２に対して光源８４側に設けられた回廊部８３３とを有する第一流入出部８３を備えている。
【０２９６】
流路管８１及び第一流入出部８２，８３は、例えばポリテトラフルオロエチレン（ＰＴＦＥ）で形成されている。これにより、光源８４，８５から照射される紫外線は、内部空間８１１において流路管８１の内壁面で反射を繰り返すことができるので、流水殺菌モジュール８は、内部空間８１１を流れる流水の殺菌効率を向上することができる。また、流水殺菌モジュール８は、光源８４，８５から照射される紫外線が流水殺菌モジュール８の外部に漏洩するのを防止できる。
【０２９７】
流水殺菌モジュール８は、少なくとも一部が内部空間８１１及び緩衝空間８２２の少なくとも一方に露出し光源８４から発生する熱を放熱する放熱部材８６を備えている。本実施形態では、放熱部材８６は、内部空間８１１及び緩衝空間８２２のそれぞれに一部が露出している。流水殺菌モジュール８は、少なくとも一部が内部空間８１１及び緩衝空間８３２の少なくとも一方に露出し光源８５から発生する熱を放熱する放熱部材８７を備えている。本実施形態では、放熱部材８７は、内部空間８１１及び緩衝空間８３２のそれぞれに一部が露出している。放熱部材８６，８７は、例えばステンレス鋼（ＳＵＳ）で形成されている。
【０２９８】
放熱部材８６は、光源８４が取り付けられる光源取付部と、光源８４で発生する熱を放熱する放熱部とを兼ねる柱状部８６１を有している。放熱部材８７は、光源８５が取り付けられる光源取付部と、光源８５で発生する熱を放熱する放熱部とを兼ねる柱状部８７１を有している。
【０２９９】
流水殺菌モジュール８は、第一流入出口８２１に取り付けられる第一流入出部材（不図示）を備えていてもよい。第一流入出部材は、緩衝空間８２２と外部との間で流水を流通可能な複数の第一流通口を側壁に有していてもよい。流水殺菌モジュール８は、第一流入出口８３１に取り付けられる第二流入出部材（不図示）を備えていてもよい。第二流入出部材は、緩衝空間８３２と外部との間で流水を流通可能な複数の第一流通口を側壁に有していてもよい。
【０３００】
回廊部８２３は、放熱部材８６と所定の間隙を有し、流路管８１の側壁に沿って設けられている。回廊部８２３は、放熱部材８６に対向する側壁の一部を貫通する第一貫通孔８２３ａを有している。これにより、第一流入出口８２１、緩衝空間８２２、回廊部８２３の内部空間８２３ｂ及び第一貫通孔８２３ａによって流水殺菌モジュール８の一の外部と流路管８１との内部空間８１１とが連通される。その結果、第一流入出部８２は、一の外部から内部空間８１１に向かって流水を流入したり、内部空間８１１から一の外部に向かって流水を流出したりできる。
【０３０１】
第一貫通孔８２３ａは、第一流入出口８２１に対して放熱部材８６を挟む位置に形成されている。流路管８１の延在する方向に流水殺菌モジュール８を見た場合に、第一流入出口８２１に対して放熱部材８６を挟む位置には、放熱部材８６の中心を通り且つ第一流入出口８２１の中心軸に一致する直線上に配置され、且つ第一流入出口８２１から相対的に離れた場所であって放熱部材８６に対向する回廊部８２３の側壁の一部が含まれる。また、第一流入出口８２１に対して放熱部材８６を挟む位置には、当該一部に限られず、放熱部材８６の中心軸を回転軸として当該一部に対して±９０°よりも小さい範囲に含まれる回廊部８２３の当該側壁の部分も含まれる。
【０３０２】
回廊部８３３は、放熱部材８７と所定の間隙を有し、流路管８１の側壁に沿って設けられている。回廊部８３３は、放熱部材８７に対向する側壁の一部を貫通する第一貫通孔８３３ａを有している。これにより、第一流入出口８３１、緩衝空間８３２、回廊部８３３の内部空間８３３ｂ及び第一貫通孔８３３ａによって流水殺菌モジュール８の他の外部と流路管８１との内部空間８１１とが連通される。その結果、第一流入出部８３は、他の外部から内部空間８１１に向かって流水を流入したり、内部空間８１１から他の外部に向かって流水を流出したりできる。
【０３０３】
第一貫通孔８３３ａは、第一流入出口８３１に対して放熱部材８７を挟む位置に形成されている。流路管８１の延在する方向に流水殺菌モジュール８を見た場合に、第一流入出口８３１に対して放熱部材８７を挟む位置には、放熱部材８７の中心を通り且つ第一流入出口８３１の中心軸に一致する直線上に配置され、且つ第一流入出口８３１から相対的に離れた場所であって放熱部材８７に対向する回廊部８３３の側壁の一部が含まれる。また、第一流入出口８３１に対して放熱部材８７を挟む位置には、当該一部に限られず、放熱部材８７の中心軸を回転軸として当該一部に対して±９０°よりも小さい範囲に含まれる回廊部８３３の当該側壁の部分も含まれる。
【０３０４】
流水殺菌モジュール８は、第一流入出部８２を介して一の外部（又は第一流入出部８３を介して他の外部）から流入する流水を内部空間８１１で殺菌し、第一流入出部８３を介して他の外部（又は第一流入出部８２を介して一の外部）に殺菌した流水を流出することができる。
【０３０５】
光源８４で発生した熱は、柱状部８６１に到達する。柱状部８６１の少なくとも一部は、内部空間８１１及び緩衝空間８２２の少なくとも一方に露出している。このため、柱状部８６１は内部空間８１１の流水及び緩衝空間８２２の流水の少なくとも一方に接する。内部空間８１１及び緩衝空間８２２のそれぞれの流水のうち柱状部８６１に接する流水は、冷媒となって、柱状部８６１に達した熱を柱状部８６１から奪う。このように、流水殺菌モジュール８は、光源８４を水冷するようになっている。
【０３０６】
光源８５で発生した熱は、柱状部８７１に到達する。柱状部８７１の少なくとも一部は、内部空間８１１及び緩衝空間８３２の少なくとも一方に露出している。このため、柱状部８７１は内部空間８１１の流水及び緩衝空間８３２の流水の少なくとも一方に接する。内部空間８１１及び緩衝空間８３２のそれぞれの流水のうち柱状部８７１に接する流水は、冷媒となって、柱状部８７１に達した熱を柱状部８７１から奪う。このように、流水殺菌モジュール８は、光源８５を水冷するようになっている。
【０３０７】
＜流水殺菌モジュール８の動作＞
次に、流水殺菌モジュール８の動作について説明する。
図２５に示すように、流水殺菌モジュール８は、第一流入出口８２１を介して一の外部から流入する流体を緩衝空間８２２に流入し、放熱部材８６の周りを一方向及び他方向に回転しながら徐々に回廊部８２３の内部空間８３３ｂに移動し、第一貫通孔８２３ａに到達して流路管８１の内部空間８１１に流入する流水ＷＦ２８を形成する。このように、流水殺菌モジュール８は、緩衝空間８２２で整流された流水ＷＦ２８を内部空間８１１に流入する。
【０３０８】
流水殺菌モジュール８は、緩衝空間８２２で整流した流体を１箇所（すなわち第一貫通孔８２３ａ）から内部空間８１１に流入することにより、回転しながら第一貫通孔８３３ａに向かう渦状の流水ＷＦ２８を内部空間８１１に形成する。これにより、液体が内部空間８１１に滞在する時間が長くなるので、内部空間８１１を流れる液体は、光源８４，８５から出射される紫外線及び流路管８１で反射された紫外線に長時間照射される。これにより、流水殺菌モジュール８は、流水の殺菌効率の向上を図ることができる。また、流水殺菌モジュール８は、複数の光源（本変形例では２つの光源８４，８５）で流水を殺菌できるので、内部空間８１１を通過した流水に存在する細菌の生残率の低減を図ることができる。
【０３０９】
流水殺菌モジュール８は、緩衝空間８３２では放熱部材８７の周りを一方向及び他方向に回転しながら第一流入出口８３１に到達して他の外部に流出する流水ＷＦ２８を形成する。このように、流水殺菌モジュール８は、一の外部から流入する流体を殺菌して他の外部に流出することができる。また、流水殺菌モジュール８は、「第一流入出口８３１→緩衝空間８３２→内部空間８１１→緩衝空間８２２→第一流入出口８２１」の経路の流水を形成し、内部空間８１１で流水を殺菌することもできる。
【０３１０】
以上説明したように、本実施形態による流水殺菌モジュール８は、流路管８１の内部空間８１１に突出し内部空間８１１に向けて紫外線を照射可能に設けられた光源８４，８５を備えている。また、流水殺菌モジュール８は、流水が流入及び流出することが可能な第一流入出口８２１，８３１を有し第一流入出口８２１，８３１から流入する流水を内部空間８１１に流出し内部空間８１１から流入する流水を第一流入出口８２１，８３１から外部に流出する第一流入出部８２，８３を備えている。また、流水殺菌モジュール８は、少なくとも一部が内部空間８１１に露出し光源８４，８５から発生する熱を放熱する放熱部材８６，８７を備えている。これにより、流水殺菌モジュール８は、上記第１実施形態による流水殺菌モジュールと同様の効果が得られる。
【０３１１】
本発明は、上記実施形態に限らず、種々の変形が可能である。
上記第１から第３実施形態による流水殺菌モジュールは、ドーム型のカバー部材１７で覆われた光源１３を備えている。ドーム型のカバー部材１７は、光源１３の側面からの光を有効に活用し、且つフレネル反射を抑制する効果もある。このため、カバー部材１７は、中心部で光源１３を覆うことが可能な、ドーム形状を含む曲面を有する形状であることがより好ましい。しかしながら、本発明はこれに限られない。例えば、図２６に示すように、光源１３は、平板状のカバー部材１７ａで覆われていてもよい。本変形例における放熱部材７４は、光源１３が紫外線を照射する側に開口部７４１を有している。放熱部材７４は、カバー部材１７ａの周縁をゴムパッキンＰＫ７４によって押さえるようになっている。これにより、放熱部材７４は、流路管の内部空間を流通する流水がカバー部材１７ａの下方、すなわち光源１３が設けられている側に浸入するのを防止できる。
【０３１２】
上記第１実施形態の実施例１−５及び１−６における緩衝空間は、複数の領域に区画されていてもよい。この場合、緩衝空間を区画する仕切板には、隣り合う領域を連通するための貫通孔が設けられる。隣り合う仕切り板に設けられる貫通孔同士は、例えば放熱部材を挟む位置に設けられてもよい。
【０３１３】
上記第２実施形態による流水殺菌モジュールは、上記第１実施形態の実施例１−５及び実施例１−６及び上記第３実施形態による流水殺菌モジュールと同様に、緩衝空間を備えていてもよい。
【０３１４】
上記第１及び第２実施形態による流水殺菌モジュールは、上記第３実施形態による流水殺菌モジュール８と同様に、複数の光源を備えていてもよい。
【０３１５】
上記第１から第３実施形態は、本発明の技術的思想を具体化するための装置や動作を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【０３１６】
１，２，３，４，５，８，９ａ，９ｂ，１００１，２００１，３００１，４００１，５００１，６００１  流水殺菌モジュール
１１，２１，９１，８１，９８，１０１１，２０１１，３０１１，４０１１，５０１１，６０１１  流路管
１２，２２，３２，４２，５２，９２  流水流入出部
１３，８４，８５，９３、９４  光源
１４，２４，３４，４４，５４，７４，８６，８７，１０１４  放熱部材
１５，２５，９５  第一流入出部材
１６，２６，９６  第二流入出部材
１７，１７ａ  カバー部材
１８  第一本体部材
１９  第二本体部材
２８，３８  固定部材
３０  キャップ部材
３２ａ，４２ａ，５２ａ  底部
３２ｂ，４２ｂ，５２ｂ  側壁
３３，４３，５３，８２３，８３３，３１２２，４１２２，５１２２，６１２２  回廊部３９  栓部材
８２，８３，１０１２，２０１２，３０１２，４０１２，５０１２，６０１２  第一流入出部
９３ａ，９３ｂ，１３１  発光素子
９７  仕切部
１１１，２１１，３１１，８１１，９１１，９８１，８２３ｂ，８３３ｂ，３１２２ｂ、４１２２ｂ，５１２２ｂ，６１２２ｂ  内部空間
１１２，２１２，２１２２ａ，３１２２ａ，４１２２ａ，５１２２ａ，６１２２ａ  第一貫通孔
１１３，２１３，６１３，９１３，９１５  第二流入出口
１１８ｂ  薄板状部
１２１，２２１，８２１，８３１，９１４，９２１，１１２１，２１２１，３１２１，４１２１，５１２１，６１２１  第一流入出口
１２２，２２２，３２２，４２２，５２２，９２２  導入空間
１３２  金属基板
１３２ａ  ベース基板
１３２ｂ  絶縁層
１３２ｃ  熱伝導層
１３２ｄ  第一電極層
１３２ｅ  第二電極層
１３２ｆ  サーマルパッド
１３２ｇ  第一電極パッド
１３２ｈ  第二電極パッド
１３２ｉ  第一配線パッド
１３２ｊ  第二配線パッド
１３２ｋ  第一ねじ挿通口
１３２ｌ  第二ねじ挿通口
１４１，２４１，３４１，４４１，５４１，８４１  光源取付部
１４１ａ，１４１ｂ，１８１ｃ，１９１ｂ，２１４ｃ，２２５，２４１ａ，２４１ｂ，２５４，２６４，３２６，３４１ａ，３４１ｂ，３４５ｂ，３９１，４２６，４４１ａ，４４１ｂ，５２６，５４１ａ，５４１ｂ  溝部
１４２，２４２，３４２，４４２，５４２  放熱部
１４２ａ，２４２ａ，３４２ａ，４４２ａ  板状部
１４５ａ，１４５ｂ  ねじ穴
１４６ａ，１４６ｂ  ケーブル挿通孔
１５１，２５１  第一流通口
１５２，２５２  第一流通空間
１５３，１６３，２１４ａ，２５３  張出部
１６１，２６１  第二流通口
１６２，２６２  第二流通空間
１８１  円盤部
１８１ａ  厚板状部
１８１ｂ  薄板状部
１８２  円筒状部
１８３  周縁部
１８４  傾斜部
１９１  底板部
１９１ａ，２２３，３２３，５２３，７４１  開口部
１９２，２１４，３０２  側壁
１９２ａ，５２９ａ  段差部
２１４ｂ，３０２ａ  切欠き部
２１５  直線溝部
２２４  凹部
３０１  底板
３０２ｂ  凸状部
３２１，４２１，５２１  側壁流入出口
３２４，４２４，５２４  底部流入出口
３４２ｂ，５４２ｂ，６４２ｂ  突出部
３４２ｃ，５４２ｃ  凹状部
３４３，４４３，５１２４ａ  第二貫通孔
３４６ａ，３４６ｂ  ケーブル挿通孔
３４４，５４４  内側空間
５２７  板状部材
５２８  第三貫通孔
５２９  挿入口
５４２ａ  枠部
８２２，８３２，５１２３，６１２３  緩衝空間
９１２，１１３５  貫通孔
１０１３  第二流入出部
１１３２，１１３４  平板部
１１４１  柱状部
２１２２  箱状部
５１２４  仕切板
【図１】
2019018198.tif 000003
【図２】
2019018198.tif 000004
【図３】
2019018198.tif 000005
【図４】
2019018198.tif 000006
【図５】
2019018198.tif 000007
【図６】
2019018198.tif 000008
【図７】
2019018198.tif 000009
【図８】
2019018198.tif 000010
【図９】
2019018198.tif 000011
【図１０】
2019018198.tif 000012
【図１１】
2019018198.tif 000013
【図１２】
2019018198.tif 000014
【図１３】
2019018198.tif 000015
【図１４】
2019018198.tif 000016
【図１５】
2019018198.tif 000017
【図１６】
2019018198.tif 000018
【図１７】
2019018198.tif 000019
【図１８】
2019018198.tif 000020
【図１９】
2019018198.tif 000021
【図２０】
2019018198.tif 000022
【図２１】
2019018198.tif 000023
【図２２】
2019018198.tif 000024
【図２３】
2019018198.tif 000025
【図２４】
2019018198.tif 000026
【図２５】
2019018198.tif 000027
【図２６】
2019018198.tif 000028